(57)【要約】【課題】同一ユーザが、他のクライアント端末を使用する場合、ユーザがＶＰＮ設定情報を設定し直す必要がない通信システム、通信方法、及び設定管理サーバを提供する。【解決手段】第二クライアント端末３は、インターネット網７を介して設定管理サーバ４に接続され、ＶＰＮアドレス、ＶＰＮ設定情報、及びＳＩＰ設定情報等を入手する。次にＶＰＮサーバ５に接続され、ＶＰＮサーバ５によって、ＶＰＮ設定情報に基づいてＶＰＮ８に接続される。次に、ＳＩＰサーバ６に接続され、ＳＩＰサーバ６によって、ＳＩＰ設定情報に基づいてＳＩＰ通信可能にされる。【選択図】図１
2011035678.tif 000002
【特許請求の範囲】
【請求項１】
クライアント端末と、前記クライアント端末がＶＰＮに接続するために必要な設定情報であるＶＰＮ設定情報を記憶する設定管理サーバと、前記クライアント端末を前記ＶＰＮに接続させるＶＰＮサーバとを備えた通信システムであって、
前記クライアント端末は、
ユーザを特定するためのＩＤであるユーザＩＤを含む情報であるユーザ特定情報を取得するユーザ特定情報取得手段と、
前記クライアント端末のＩＰアドレスである実ＩＰアドレスと、前記ユーザ特定情報取得手段において取得された前記ユーザ特定情報とを前記設定管理サーバに送信する第一端末送信手段と、
前記第一端末送信手段において前記設定管理サーバに送信された前記実ＩＰアドレスと前記ユーザ特定情報とに応じて、前記設定管理サーバから送信された、前記設定管理サーバが前記クライアント端末に割り当てるＩＰアドレスであり、前記クライアント端末が前記ＶＰＮに接続するために必要となる前記ＶＰＮ上のＩＰアドレスであるＶＰＮアドレスと、前記ＶＰＮ設定情報とを受信する第一端末受信手段と、
前記第一端末受信手段において受信された、前記ＶＰＮアドレスと前記ＶＰＮ設定情報とに基づいて、前記ＶＰＮサーバに接続され、前記ＶＰＮサーバにより前記ＶＰＮに接続される端末ＶＰＮ接続手段と、
前記ＶＰＮとの接続を切断する切断手段と
を備え、
前記設定管理サーバは、
前記ＶＰＮへの接続を許可するユーザの前記ユーザ特定情報と、前記ＶＰＮ設定情報とが対応付けられて記憶された設定情報記憶手段と、
前記クライアント端末の前記第一端末送信手段において送信された、前記実ＩＰアドレスと前記ユーザ特定情報とを受信する設定管理サーバ受信手段と、
前記設定管理サーバ受信手段にて受信された前記ユーザ特定情報と同一の前記ユーザ特定情報が、前記設定情報記憶手段に記憶されているか否かを判断することで前記クライアント端末を操作するユーザを認証する認証手段と、
前記認証手段によって、前記設定管理サーバ受信手段にて受信された前記ユーザ特定情報と同一の前記ユーザ特定情報が、前記設定情報記憶手段に記憶されていると判断された場合に、前記ユーザＩＤに対応付けられた前記ＶＰＮ設定情報を前記設定情報記憶手段から取得する設定情報取得手段と、
前記設定管理サーバ受信手段において受信された前記実ＩＰアドレスに、前記ＶＰＮアドレスを割り当てるＶＰＮアドレス割り当て手段と、
前記ＶＰＮアドレス割り当て手段において割り当てられた前記ＶＰＮアドレスと、前記設定情報取得手段において前記設定情報記憶手段から取得された前記ＶＰＮ設定情報とを前記クライアント端末に送信する設定管理サーバ送信手段と
を備え、
前記ＶＰＮサーバは、
前記クライアント端末の前記端末ＶＰＮ接続手段によって接続され、前記クライアント端末を前記ＶＰＮに接続させるＶＰＮ接続化手段を備えたことを特徴とする通信システム。
【請求項２】
前記ユーザ特定情報は、ユーザを特定するためのパスワードをさらに含むことを特徴とする請求項１に記載の通信システム。
【請求項３】
前記クライアント端末は、
前記ＶＰＮ設定情報を記憶する第一端末記憶手段と、
前記第一端末記憶手段に記憶された前記ＶＰＮ設定情報と、前記設定管理サーバの前記設定情報記憶手段に記憶された前記ＶＰＮ設定情報とが一致しているか否かを判断する第一設定情報判断手段と
をさらに備え、
前記クライアント端末に備えられた前記端末ＶＰＮ接続手段が前記ＶＰＮに接続される回数が１回目の場合に、前記第一端末記憶手段は、前記第一端末受信手段によって受信された前記ＶＰＮ設定情報を記憶し、
前記クライアント端末に備えられた前記端末ＶＰＮ接続手段が前記ＶＰＮに接続される回数が２回目以降の場合において、前記第一設定情報判断手段が、前記第一端末記憶手段に記憶された前記ＶＰＮ設定情報と、前記設定管理サーバの前記設定情報記憶手段に記憶された前記ＶＰＮ設定情報とが一致していると判断した場合に、
前記端末ＶＰＮ接続手段は、
前記第一端末受信手段において受信された前記ＶＰＮアドレスと、前記第一端末記憶手段に記憶された前記ＶＰＮ設定情報とに基づいて、前記ＶＰＮサーバに接続され、前記ＶＰＮサーバによって前記ＶＰＮに接続され、
前記クライアント端末に備えられた前記端末ＶＰＮ接続手段が前記ＶＰＮに接続される回数が２回目以降の場合において、前記第一設定情報判断手段が、前記第一端末記憶手段に記憶された前記ＶＰＮ設定情報と、前記設定管理サーバの前記設定情報記憶手段に記憶された前記ＶＰＮ設定情報とが一致していないと判断した場合に、
前記第一端末記憶手段は、前記設定情報記憶手段に記憶された前記ＶＰＮ設定情報と、前記第一端末記憶手段に記憶された前記ＶＰＮ設定情報とが同一になるように、前記第一端末記憶手段に記憶された前記ＶＰＮ設定情報を更新し、
前記端末ＶＰＮ接続手段は、
前記更新されたＶＰＮ設定情報と、前記第一端末受信手段において受信された前記ＶＰＮアドレスとに基づいて、前記ＶＰＮサーバに接続され、前記ＶＰＮサーバによって前記ＶＰＮに接続されることを特徴とする請求項１又は２に記載の通信システム。
【請求項４】
前記クライアント端末におけるＳＩＰ通信を可能にするＳＩＰサーバをさらに備え、
前記設定管理サーバの前記設定情報記憶手段には、
前記ユーザ特定情報と、前記ＶＰＮ設定情報と、前記クライアント端末がＳＩＰ通信をするために必要な設定情報であるＳＩＰ設定情報とが対応付けられて記憶され、
前記設定管理サーバの前記設定情報取得手段は、
前記認証手段によって、前記設定管理サーバ受信手段にて受信された前記ユーザ特定情報と同一の前記ユーザ特定情報が、前記設定情報記憶手段に記憶されていると判断された場合に、前記ユーザＩＤに対応付けられた前記ＶＰＮ設定情報と前記ＳＩＰ設定情報とを前記設定情報記憶手段から取得し、
前記設定管理サーバの前記設定管理サーバ送信手段は、
前記ＶＰＮアドレスと、前記ＶＰＮ設定情報と、前記ＳＩＰ設定情報とを前記クライアント端末に送信し、
前記クライアント端末の前記第一端末受信手段は、
前記設定管理サーバの前記設定管理サーバ送信手段において送信された、前記ＶＰＮアドレスと前記ＶＰＮ設定情報と前記ＳＩＰ設定情報とを受信し、
前記クライアント端末は、
前記クライアント端末が前記ＶＰＮ接続化手段によって前記ＶＰＮに接続された状態で、前記ＳＩＰ設定情報に基づいて、前記ＳＩＰサーバに接続され、前記ＳＩＰサーバによりＳＩＰ通信を可能にされる第一端末ＳＩＰ通信手段をさらに備え、
前記ＳＩＰサーバは、
前記クライアント端末が前記ＶＰＮに接続された状態で、前記クライアント端末の前記第一端末ＳＩＰ通信手段と接続され、前記クライアント端末におけるＳＩＰ通信を可能にする第一ＳＩＰ通信可能化手段と
を備えたことを特徴とする請求項１又は２に記載の通信システム。
【請求項５】
前記クライアント端末は、
前記ＶＰＮ設定情報と前記ＳＩＰ設定情報とを記憶する第二端末記憶手段と、
前記第二端末記憶手段に記憶された前記ＶＰＮ設定情報と前記設定管理サーバの前記設定記憶手段に記憶された前記ＶＰＮ設定情報とが一致し、且つ前記第二端末記憶手段に記憶された前記ＳＩＰ設定情報と前記設定管理サーバの前記設定情報記憶手段に記憶された前記ＳＩＰ設定情報とが一致するか否かを判断する第二設定情報判断手段と
をさらに備え、
前記クライアント端末に備えられた前記端末ＶＰＮ接続手段が前記ＶＰＮに接続され、前記第一端末ＳＩＰ通信手段がＳＩＰ通信を可能にされる回数が１回目の場合に、前記第二端末記憶手段は、前記第一端末受信手段によって受信された前記ＶＰＮ設定情報と前記ＳＩＰ設定情報とを記憶し、
前記クライアント端末に備えられた前記端末ＶＰＮ接続手段が前記ＶＰＮに接続され、前記第一端末ＳＩＰ通信手段がＳＩＰ通信を可能にされる回数が２回目以降の場合において、前記第二設定情報判断手段が、前記第二端末記憶手段に記憶された前記ＶＰＮ設定情報と、前記設定管理サーバの前記設定情報記憶手段に記憶された前記ＶＰＮ設定情報とが一致し、且つ前記第二端末記憶手段に記憶された前記ＳＩＰ設定情報と、前記設定管理サーバの前記設定情報記憶手段に記憶された前記ＳＩＰ設定情報とが一致していると判断した場合に、
前記端末ＶＰＮ接続手段は、
前記第一端末受信手段において受信された前記ＶＰＮアドレスと、前記第二端末記憶手段に記憶された前記ＶＰＮ設定情報とに基づいて、前記ＶＰＮサーバに接続され、前記ＶＰＮサーバによって前記ＶＰＮに接続され、
前記第一端末ＳＩＰ通信手段は、
前記クライアント端末が前記ＶＰＮに接続された状態で、前記第二端末記憶手段に記憶された前記ＳＩＰ設定情報に基づいて、前記ＳＩＰサーバに接続され、前記ＳＩＰサーバによってＳＩＰ通信を可能にされ、
前記クライアント端末に備えられた前記端末ＶＰＮ接続手段が前記ＶＰＮに接続され、前記第一端末ＳＩＰ通信手段がＳＩＰ通信を可能にされる回数が２回目以降の場合において、前記第二設定情報判断手段が、前記第二端末記憶手段に記憶された前記ＶＰＮ設定情報と、前記設定管理サーバの前記設定情報記憶手段に記憶された前記ＶＰＮ設定情報とが一致しないと判断した場合、又は、前記第二設定情報判断手段が、前記第二端末記憶手段に記憶された前記ＳＩＰ設定情報と、前記設定管理サーバの前記設定情報記憶手段に記憶された前記ＳＩＰ設定情報とが一致しないと判断した場合に、
前記第二端末記憶手段は、前記設定情報記憶手段に記憶された前記ＶＰＮ設定情報と、前記第二端末記憶手段に記憶された前記ＶＰＮ設定情報とが同一になるように、且つ前記設定情報記憶手段に記憶された前記ＳＩＰ設定情報と、前記第二端末記憶手段に記憶された前記ＳＩＰ設定情報とが同一になるように、前記第二端末記憶手段に記憶された前記ＶＰＮ設定情報と前記ＳＩＰ設定情報とを更新し、
前記端末ＶＰＮ接続手段は、
前記更新されたＶＰＮ設定情報と、前記第一端末受信手段において受信された前記ＶＰＮアドレスとに基づいて、前記ＶＰＮサーバに接続され、前記ＶＰＮサーバによって前記ＶＰＮに接続され、
前記第一端末ＳＩＰ通信手段は、
前記クライアント端末が前記ＶＰＮに接続された状態で、前記更新されたＳＩＰ設定情報に基づいて、前記ＳＩＰサーバに接続され、前記ＳＩＰサーバによってＳＩＰ通信を可能にされることを特徴とする請求項４に記載の通信システム。
【請求項６】
前記クライアント端末におけるＳＩＰ通信を可能にするＳＩＰサーバと、前記クライアント端末がＳＩＰ通信をするために必要な設定情報であるＳＩＰ設定情報を記憶するＳＩＰ設定管理サーバとをさらに備え、
前記クライアント端末は、
前記クライアント端末の前記ユーザ特定情報取得手段において取得された前記ユーザＩＤを、前記クライアント端末が前記ＶＰＮ接続化手段によって前記ＶＰＮに接続された状態で、前記ＳＩＰ設定管理サーバに送信する第二端末送信手段と、
前記第二端末送信手段において前記ＳＩＰ設定管理サーバに送信された前記ユーザＩＤに応じて、前記ＳＩＰ設定管理サーバから送信された前記ＳＩＰ設定情報を受信する第二端末受信手段と、
前記クライアント端末が前記ＶＰＮ接続化手段によって前記ＶＰＮに接続された状態で、前記ＳＩＰ設定情報に基づいて、前記ＳＩＰサーバに接続され、前記ＳＩＰサーバによりＳＩＰ通信を可能にされる第二端末ＳＩＰ通信手段と
をさらに備え、
前記ＳＩＰ設定管理サーバは、
前記ＳＩＰサーバへの接続を許可するユーザの前記ユーザＩＤと、前記ＳＩＰ設定情報とが対応付けられて記憶されたＳＩＰ情報記憶手段と、
前記クライアント端末の前記第二端末送信手段にて送信された前記ユーザＩＤを受信するＳＩＰ設定管理サーバ受信手段と、
前記ＳＩＰ設定管理サーバ受信手段において受信された前記ユーザＩＤと同一の前記ユーザＩＤが、前記ＳＩＰ情報記憶手段に記憶されている場合に、前記ユーザＩＤに対応付けられた前記ＳＩＰ設定情報を前記ＳＩＰ情報記憶手段から取得するＳＩＰ情報取得手段と、
前記ＳＩＰ情報取得手段において前記ＳＩＰ情報記憶手段から取得された前記ＳＩＰ設定情報を前記クライアント端末に送信するＳＩＰ情報送信手段と
を備え、
前記ＳＩＰサーバは、
前記クライアント端末が前記ＶＰＮに接続された状態で、前記クライアント端末の前記第二端末ＳＩＰ通信手段と接続され、前記クライアント端末におけるＳＩＰ通信を可能にする第二ＳＩＰ通信可能化手段を備えたことを特徴とする請求項１又は２に記載の通信システム。
【請求項７】
前記クライアント端末は、
前記ＶＰＮ設定情報と前記ＳＩＰ設定情報とを記憶する第三端末記憶手段と、
前記第三端末記憶手段に記憶された前記ＶＰＮ設定情報と、前記設定管理サーバの前記設定情報記憶手段に記憶された前記ＶＰＮ設定情報とが一致しているか否かを判断する第三設定情報判断手段と、
前記第三端末記憶手段に記憶された前記ＳＩＰ設定情報と、前記ＳＩＰ設定管理サーバの前記ＳＩＰ情報記憶手段に記憶された前記ＳＩＰ設定情報とが一致しているか否かを判断する第四設定情報判断手段とをさらに備え、
前記クライアント端末に備えられた前記端末ＶＰＮ接続手段が前記ＶＰＮに接続され、前記第二端末ＳＩＰ通信手段がＳＩＰ通信を可能にされる回数が１回目の場合に、前記第三端末記憶手段は、前記第一端末受信手段によって受信された前記ＶＰＮ設定情報と前記第二端末受信手段によって受信された前記ＳＩＰ設定情報とを記憶し、
前記クライアント端末に備えられた前記端末ＶＰＮ接続手段が前記ＶＰＮに接続され、前記第二端末ＳＩＰ通信手段がＳＩＰ通信を可能にされる回数が２回目以降の場合において、前記第三設定情報判断手段が、前記第三端末記憶手段に記憶された前記ＶＰＮ設定情報と、前記設定管理サーバの前記設定情報記憶手段に記憶された前記ＶＰＮ設定情報とが一致していると判断した場合に、
前記端末ＶＰＮ接続手段は、
前記第一端末受信手段において受信された前記ＶＰＮアドレスと、前記第三端末記憶手段に記憶された前記ＶＰＮ設定情報とに基づいて、前記ＶＰＮサーバに接続され、前記ＶＰＮサーバによって前記ＶＰＮに接続され、
前記クライアント端末に備えられた前記端末ＶＰＮ接続手段が前記ＶＰＮに接続され、前記第二端末ＳＩＰ通信手段がＳＩＰ通信を可能にされる回数が２回目以降の場合において、前記第三設定情報判断手段が、前記第三端末記憶手段に記憶された前記ＶＰＮ設定情報と、前記設定管理サーバの前記設定情報記憶手段に記憶された前記ＶＰＮ設定情報とが一致していないと判断した場合に、
前記第三端末記憶手段は、前記設定情報記憶手段に記憶された前記ＶＰＮ設定情報と、前記第三端末記憶手段に記憶された前記ＶＰＮ設定情報とが同一になるように、前記第三端末記憶手段に記憶された前記ＶＰＮ設定情報を更新し、
前記端末ＶＰＮ接続手段は、
前記更新されたＶＰＮ設定情報と、前記第一端末受信手段において受信された前記ＶＰＮアドレスとに基づいて、前記ＶＰＮサーバに接続され、前記ＶＰＮサーバによって前記ＶＰＮに接続され、
前記クライアント端末に備えられた前記端末ＶＰＮ接続手段が前記ＶＰＮに接続され、前記第二端末ＳＩＰ通信手段がＳＩＰ通信を可能にされる回数が２回目以降の場合において、前記端末ＶＰＮ接続手段が、前記ＶＰＮに接続された後に、前記第四設定情報判断手段が、前記第三端末記憶手段に記憶された前記ＳＩＰ設定情報と、前記ＳＩＰ設定管理サーバの前記ＳＩＰ情報記憶手段に記憶された前記ＳＩＰ設定情報とが一致していると判断した場合に、
前記第二端末ＳＩＰ通信手段は、
前記クライアント端末が前記ＶＰＮに接続された状態で、前記第三端末記憶手段に記憶された前記ＳＩＰ設定情報に基づいて、前記ＳＩＰサーバに接続され、前記ＳＩＰサーバによりＳＩＰ通信を可能にされ、
前記クライアント端末に備えられた前記端末ＶＰＮ接続手段が前記ＶＰＮに接続され、前記第二端末ＳＩＰ通信手段がＳＩＰ通信を可能にされる回数が２回目以降の場合において、前記端末ＶＰＮ接続手段が、前記ＶＰＮに接続された後に、前記第四設定情報判断手段が、前記第三端末記憶手段に記憶された前記ＳＩＰ設定情報と、前記ＳＩＰ設定管理サーバの前記ＳＩＰ情報記憶手段に記憶された前記ＳＩＰ設定情報とが一致していないと判断した場合に、
前記第三端末記憶手段は、前記ＳＩＰ情報記憶手段に記憶された前記ＳＩＰ設定情報と、前記第三端末記憶手段に記憶された前記ＳＩＰ設定情報とが同一になるように、前記第三端末記憶手段に記憶された前記ＳＩＰ設定情報を更新し、
更新された前記ＳＩＰ設定情報に基づいて、前記ＳＩＰサーバに接続され、前記ＳＩＰサーバによりＳＩＰ通信を可能にされることを特徴とする請求項６に記載の通信システム。
【請求項８】
クライアント端末と、前記クライアント端末がＶＰＮに接続するために必要な設定情報であるＶＰＮ設定情報を記憶する設定管理サーバと、前記クライアント端末を前記ＶＰＮに接続させるＶＰＮサーバとで実行される通信方法であって、
前記クライアント端末において、ユーザを特定するためのＩＤであるユーザＩＤを含む情報であるユーザ特定情報を取得するユーザ特定情報取得ステップと、
前記クライアント端末において、前記クライアント端末のＩＰアドレスである実ＩＰアドレスと、前記ユーザ特定情報取得ステップにおいて取得された前記ユーザ特定情報とを前記設定管理サーバに送信する第一端末送信ステップと、
前記クライアント端末において、前記第一端末送信ステップにおいて前記設定管理サーバに送信された、前記実ＩＰアドレスと前記ユーザ特定情報とに応じて、前記設定管理サーバから送信された、前記設定管理サーバが前記クライアント端末に割り当てるＩＰアドレスであり、前記クライアント端末が前記ＶＰＮに接続するために必要となる前記ＶＰＮ上のＩＰアドレスであるＶＰＮアドレスと、前記ＶＰＮ設定情報とを受信する第一端末受信ステップと、
前記クライアント端末において、前記第一端末受信ステップにおいて受信された、前記ＶＰＮアドレスと前記ＶＰＮ設定情報とに基づいて、前記ＶＰＮサーバに接続され、前記ＶＰＮサーバにより前記ＶＰＮに接続される端末ＶＰＮ接続ステップと、
前記クライアント端末において、前記ＶＰＮとの接続を切断する切断ステップと、
前記設定管理サーバにおいて、前記クライアント端末の前記第一端末送信ステップにおいて送信された、前記実ＩＰアドレスと前記ユーザ特定情報とを受信する設定管理サーバ受信ステップと、
前記設定管理サーバにおいて、前記設定管理サーバ受信ステップにて受信された前記ユーザ特定情報と同一の前記ユーザ特定情報が、前記ＶＰＮへの接続を許可するユーザの前記ユーザ特定情報と、前記ＶＰＮ設定情報とが対応付けられて記憶された設定情報記憶手段に記憶されているか否かを判断することで前記クライアント端末を操作するユーザを認証する認証ステップと、
前記設定管理サーバにおいて、前記認証ステップによって、前記設定管理サーバ受信ステップにて受信された前記ユーザ特定情報と同一の前記ユーザ特定情報が、前記設定情報記憶手段に記憶されていると判断された場合に、前記ユーザＩＤに対応付けられた前記ＶＰＮ設定情報を前記設定情報記憶手段から取得する設定情報取得ステップと、
前記設定管理サーバにおいて、前記設定管理サーバ受信ステップにおいて受信された前記実ＩＰアドレスに、前記ＶＰＮアドレスを割り当てるＶＰＮアドレス割り当てステップと、
前記設定管理サーバにおいて、前記ＶＰＮアドレス割り当てステップにおいて割り当てられた前記ＶＰＮアドレスと、前記設定情報取得ステップにおいて前記設定情報記憶手段から取得された前記ＶＰＮ設定情報とを前記クライアント端末に送信する設定管理サーバ送信ステップと
前記ＶＰＮサーバにおいて、前記クライアント端末の前記端末ＶＰＮ接続ステップによって接続され、前記クライアント端末を前記ＶＰＮに接続させるＶＰＮ接続化ステップを備えたことを特徴とする通信方法。
【請求項９】
クライアント端末がＶＰＮに接続するために必要な設定情報であるＶＰＮ設定情報を記憶する設定管理サーバであって、
前記ＶＰＮへの接続を許可するユーザのユーザを特定するためのＩＤであるユーザＩＤを含む情報であるユーザ特定情報と、前記ＶＰＮ設定情報とが対応付けられて記憶された設定情報記憶手段と、
前記クライアント端末から送信された、前記クライアント端末のＩＰアドレスである実ＩＰアドレスと前記ユーザ特定情報とを受信する設定管理サーバ受信手段と、
前記設定管理サーバ受信手段にて受信された前記ユーザ特定情報と同一の前記ユーザ特定情報が、前記設定情報記憶手段に記憶されているか否かを判断することで前記クライアント端末を操作するユーザを認証する認証手段と、
前記認証手段によって、前記設定管理サーバ受信手段にて受信された前記ユーザ特定情報と同一の前記ユーザ特定情報が、前記設定情報記憶手段に記憶されていると判断された場合に、前記ユーザＩＤに対応付けられた前記ＶＰＮ設定情報を前記設定情報記憶手段から取得する設定情報取得手段と、
前記設定管理サーバ受信手段において受信された前記実ＩＰアドレスに、前記クライアント端末が前記ＶＰＮに接続するために必要となる前記ＶＰＮ上のＩＰアドレスであるＶＰＮアドレスを割り当てるＶＰＮアドレス割り当て手段と、
前記ＶＰＮアドレス割り当て手段において割り当てられた前記ＶＰＮアドレスと、前記設定情報取得手段において前記設定情報記憶手段から取得された前記ＶＰＮ設定情報とを前記クライアント端末に送信する設定管理サーバ送信手段と
を備えたことを特徴とする設定管理サーバ。
【発明の詳細な説明】
【技術分野】
【０００１】
本発明は、通信システム、通信方法、及び設定管理サーバに関し、詳細には、ユーザが使用するクライアント端末を変更しても、変更前の設定でＶＰＮに接続することが可能な通信システム、通信方法、及び設定管理サーバに関する。
【背景技術】
【０００２】
複数の端末間で通信が可能なネットワークとして、ＶＰＮ（Ｖｉｒｔｕａｌ  Ｐｒｉｖａｔｅ  Ｎｅｔｗｏｒｋ）と呼ばれるネットワークが知られている。ＶＰＮでは、公衆ネットワーク上に、第三者がアクセスできない仮想的な閉域網が設定される。このため、閉域網内部の特定ユーザ間のみで通信を行うことができる。クライアント端末には、ＶＰＮに接続するために必要な設定情報であるＶＰＮ設定情報が予め記憶される。クライアント端末は、ＶＰＮ設定情報に基づき、ＶＰＮサーバとの間で所定の通信を行うことによって、ＶＰＮ接続が可能となる。
【０００３】
例えば、特許文献１に記載の通信システムでは、クライアント端末に仮想デバイスドライバが実装され、サーバに仮想ハブがソフトウェアとして実装される。これによって、ＶＰＮ上でセキュリティーを担保したＳＩＰ通信を行っている。
【先行技術文献】
【特許文献】
【０００４】
【特許文献１】国際公開第２００６／１２０７５１号
【発明の概要】
【発明が解決しようとする課題】
【０００５】
しかしながら、従来のＶＰＮ接続方法では、ＶＰＮ設定情報が記憶されたクライアント端末に代えて他のクライアント端末をユーザが使用する場合、ユーザはＶＰＮ設定情報を他のクライアント端末に設定し直す必要があるという問題点があった。
【０００６】
本発明は上記課題を解決するためになされたものであり、同一ユーザが、他のクライアント端末を使用する場合、ユーザがＶＰＮ設定情報を設定し直す必要がない通信システム、通信方法、及び設定管理サーバを提供することを目的とする。
【課題を解決するための手段】
【０００７】
上記課題を解決するために、請求項１に係る発明の通信システムは、クライアント端末と、前記クライアント端末がＶＰＮに接続するために必要な設定情報であるＶＰＮ設定情報を記憶する設定管理サーバと、前記クライアント端末を前記ＶＰＮに接続させるＶＰＮサーバとを備えた通信システムであって、前記クライアント端末は、ユーザを特定するためのＩＤであるユーザＩＤを含む情報であるユーザ特定情報を取得するユーザ特定情報取得手段と、前記クライアント端末のＩＰアドレスである実ＩＰアドレスと、前記ユーザ特定情報取得手段において取得された前記ユーザ特定情報とを前記設定管理サーバに送信する第一端末送信手段と、前記第一端末送信手段において前記設定管理サーバに送信された前記実ＩＰアドレスと前記ユーザ特定情報とに応じて、前記設定管理サーバから送信された、前記設定管理サーバが前記クライアント端末に割り当てるＩＰアドレスであり、前記クライアント端末が前記ＶＰＮに接続するために必要となる前記ＶＰＮ上のＩＰアドレスであるＶＰＮアドレスと、前記ＶＰＮ設定情報とを受信する第一端末受信手段と、前記第一端末受信手段において受信された、前記ＶＰＮアドレスと前記ＶＰＮ設定情報とに基づいて、前記ＶＰＮサーバに接続され、前記ＶＰＮサーバにより前記ＶＰＮに接続される端末ＶＰＮ接続手段と、前記ＶＰＮとの接続を切断する切断手段とを備え、前記設定管理サーバは、前記ＶＰＮへの接続を許可するユーザの前記ユーザ特定情報と、前記ＶＰＮ設定情報とが対応付けられて記憶された設定情報記憶手段と、前記クライアント端末の前記第一端末送信手段において送信された、前記実ＩＰアドレスと前記ユーザ特定情報とを受信する設定管理サーバ受信手段と、前記設定管理サーバ受信手段にて受信された前記ユーザ特定情報と同一の前記ユーザ特定情報が、前記設定情報記憶手段に記憶されているか否かを判断することで前記クライアント端末を操作するユーザを認証する認証手段と、前記認証手段によって、前記設定管理サーバ受信手段にて受信された前記ユーザ特定情報と同一の前記ユーザ特定情報が、前記設定情報記憶手段に記憶されていると判断された場合に、前記ユーザＩＤに対応付けられた前記ＶＰＮ設定情報を前記設定情報記憶手段から取得する設定情報取得手段と、前記設定管理サーバ受信手段において受信された前記実ＩＰアドレスに、前記ＶＰＮアドレスを割り当てるＶＰＮアドレス割り当て手段と、前記ＶＰＮアドレス割り当て手段において割り当てられた前記ＶＰＮアドレスと、前記設定情報取得手段において前記設定情報記憶手段から取得された前記ＶＰＮ設定情報とを前記クライアント端末に送信する設定管理サーバ送信手段と
を備え、前記ＶＰＮサーバは、前記クライアント端末の前記端末ＶＰＮ接続手段によって接続され、前記クライアント端末を前記ＶＰＮに接続させるＶＰＮ接続化手段を備えたことを特徴とする。
【０００８】
また、請求項２に係る発明の通信システムによれば、請求項１に記載の発明の構成に加えて、前記ユーザ特定情報は、ユーザを特定するためのパスワードをさらに含むことを特徴とする
【０００９】
また、請求項３に係る発明の通信システムは、請求項１又は２に記載の発明の構成に加えて、前記クライアント端末は、前記ＶＰＮ設定情報を記憶する第一端末記憶手段と、前記第一端末記憶手段に記憶された前記ＶＰＮ設定情報と、前記設定管理サーバの前記設定情報記憶手段に記憶された前記ＶＰＮ設定情報とが一致しているか否かを判断する第一設定情報判断手段とをさらに備え、前記クライアント端末に備えられた前記端末ＶＰＮ接続手段が前記ＶＰＮに接続される回数が１回目の場合に、前記第一端末記憶手段は、前記第一端末受信手段によって受信された前記ＶＰＮ設定情報を記憶し、前記クライアント端末に備えられた前記端末ＶＰＮ接続手段が前記ＶＰＮに接続される回数が２回目以降の場合において、前記第一設定情報判断手段が、前記第一端末記憶手段に記憶された前記ＶＰＮ設定情報と、前記設定管理サーバの前記設定情報記憶手段に記憶された前記ＶＰＮ設定情報とが一致していると判断した場合に、前記端末ＶＰＮ接続手段は、前記第一端末受信手段において受信された前記ＶＰＮアドレスと、前記第一端末記憶手段に記憶された前記ＶＰＮ設定情報とに基づいて、前記ＶＰＮサーバに接続され、前記ＶＰＮサーバによって前記ＶＰＮに接続され、前記クライアント端末に備えられた前記端末ＶＰＮ接続手段が前記ＶＰＮに接続される回数が２回目以降の場合において、前記第一設定情報判断手段が、前記第一端末記憶手段に記憶された前記ＶＰＮ設定情報と、前記設定管理サーバの前記設定情報記憶手段に記憶された前記ＶＰＮ設定情報とが一致していないと判断した場合に、前記第一端末記憶手段は、前記設定情報記憶手段に記憶された前記ＶＰＮ設定情報と、前記第一端末記憶手段に記憶された前記ＶＰＮ設定情報とが同一になるように、前記第一端末記憶手段に記憶された前記ＶＰＮ設定情報を更新し、前記端末ＶＰＮ接続手段は、前記更新されたＶＰＮ設定情報と、前記第一端末受信手段において受信された前記ＶＰＮアドレスとに基づいて、前記ＶＰＮサーバに接続され、前記ＶＰＮサーバによって前記ＶＰＮに接続されることを特徴とする。
【００１０】
また、請求項４に係る発明の通信システムは、請求項１又は２に記載の発明の構成に加えて、前記クライアント端末におけるＳＩＰ通信を可能にするＳＩＰサーバをさらに備え、前記設定管理サーバの前記設定情報記憶手段には、前記ユーザ特定情報と、前記ＶＰＮ設定情報と、前記クライアント端末がＳＩＰ通信をするために必要な設定情報であるＳＩＰ設定情報とが対応付けられて記憶され、前記設定管理サーバの前記設定情報取得手段は、前記認証手段によって、前記設定管理サーバ受信手段にて受信された前記ユーザ特定情報と同一の前記ユーザ特定情報が、前記設定情報記憶手段に記憶されていると判断された場合に、前記ユーザＩＤに対応付けられた前記ＶＰＮ設定情報と前記ＳＩＰ設定情報とを前記設定情報記憶手段から取得し、前記設定管理サーバの前記設定管理サーバ送信手段は、前記ＶＰＮアドレスと、前記ＶＰＮ設定情報と、前記ＳＩＰ設定情報とを前記クライアント端末に送信し、前記クライアント端末の前記第一端末受信手段は、前記設定管理サーバの前記設定管理サーバ送信手段において送信された、前記ＶＰＮアドレスと前記ＶＰＮ設定情報と前記ＳＩＰ設定情報とを受信し、前記クライアント端末は、前記クライアント端末が前記ＶＰＮ接続化手段によって前記ＶＰＮに接続された状態で、前記ＳＩＰ設定情報に基づいて、前記ＳＩＰサーバに接続され、前記ＳＩＰサーバによりＳＩＰ通信を可能にされる第一端末ＳＩＰ通信手段をさらに備え、前記ＳＩＰサーバは、前記クライアント端末が前記ＶＰＮに接続された状態で、前記クライアント端末の前記第一端末ＳＩＰ通信手段と接続され、前記クライアント端末におけるＳＩＰ通信を可能にする第一ＳＩＰ通信可能化手段とを備えたことを特徴とする。
【００１１】
また、請求項５に係る発明の通信システムは、請求項４に記載の発明の構成に加えて、前記クライアント端末は、前記ＶＰＮ設定情報と前記ＳＩＰ設定情報とを記憶する第二端末記憶手段と、前記第二端末記憶手段に記憶された前記ＶＰＮ設定情報と前記設定管理サーバの前記設定記憶手段に記憶された前記ＶＰＮ設定情報とが一致し、且つ前記第二端末記憶手段に記憶された前記ＳＩＰ設定情報と前記設定管理サーバの前記設定情報記憶手段に記憶された前記ＳＩＰ設定情報とが一致するか否かを判断する第二設定情報判断手段とをさらに備え、前記クライアント端末に備えられた前記端末ＶＰＮ接続手段が前記ＶＰＮに接続され、前記第一端末ＳＩＰ通信手段がＳＩＰ通信を可能にされる回数が１回目の場合に、前記第二端末記憶手段は、前記第一端末受信手段によって受信された前記ＶＰＮ設定情報と前記ＳＩＰ設定情報とを記憶し、前記クライアント端末に備えられた前記端末ＶＰＮ接続手段が前記ＶＰＮに接続され、前記第一端末ＳＩＰ通信手段がＳＩＰ通信を可能にされる回数が２回目以降の場合において、前記第二設定情報判断手段が、前記第二端末記憶手段に記憶された前記ＶＰＮ設定情報と、前記設定管理サーバの前記設定情報記憶手段に記憶された前記ＶＰＮ設定情報とが一致し、且つ前記第二端末記憶手段に記憶された前記ＳＩＰ設定情報と、前記設定管理サーバの前記設定情報記憶手段に記憶された前記ＳＩＰ設定情報とが一致していると判断した場合に、前記端末ＶＰＮ接続手段は、前記第一端末受信手段において受信された前記ＶＰＮアドレスと、前記第二端末記憶手段に記憶された前記ＶＰＮ設定情報とに基づいて、前記ＶＰＮサーバに接続され、前記ＶＰＮサーバによって前記ＶＰＮに接続され、前記第一端末ＳＩＰ通信手段は、前記クライアント端末が前記ＶＰＮに接続された状態で、前記第二端末記憶手段に記憶された前記ＳＩＰ設定情報に基づいて、前記ＳＩＰサーバに接続され、前記ＳＩＰサーバによってＳＩＰ通信を可能にされ、前記クライアント端末に備えられた前記端末ＶＰＮ接続手段が前記ＶＰＮに接続され、前記第一端末ＳＩＰ通信手段がＳＩＰ通信を可能にされる回数が２回目以降の場合において、前記第二設定情報判断手段が、前記第二端末記憶手段に記憶された前記ＶＰＮ設定情報と、前記設定管理サーバの前記設定情報記憶手段に記憶された前記ＶＰＮ設定情報とが一致しないと判断した場合、又は、前記第二設定情報判断手段が、前記第二端末記憶手段に記憶された前記ＳＩＰ設定情報と、前記設定管理サーバの前記設定情報記憶手段に記憶された前記ＳＩＰ設定情報とが一致しないと判断した場合に、前記第二端末記憶手段は、前記設定情報記憶手段に記憶された前記ＶＰＮ設定情報と、前記第二端末記憶手段に記憶された前記ＶＰＮ設定情報とが同一になるように、且つ前記設定情報記憶手段に記憶された前記ＳＩＰ設定情報と、前記第二端末記憶手段に記憶された前記ＳＩＰ設定情報とが同一になるように、前記第二端末記憶手段に記憶された前記ＶＰＮ設定情報と前記ＳＩＰ設定情報とを更新し、前記端末ＶＰＮ接続手段は、前記更新されたＶＰＮ設定情報と、前記第一端末受信手段において受信された前記ＶＰＮアドレスとに基づいて、前記ＶＰＮサーバに接続され、前記ＶＰＮサーバによって前記ＶＰＮに接続され、前記第一端末ＳＩＰ通信手段は、前記クライアント端末が前記ＶＰＮに接続された状態で、前記更新されたＳＩＰ設定情報に基づいて、前記ＳＩＰサーバに接続され、前記ＳＩＰサーバによってＳＩＰ通信を可能にされることを特徴とする。
【００１２】
また、請求項６に係る発明の通信システムは、請求項１又は２に記載の発明の構成に加えて、前記クライアント端末におけるＳＩＰ通信を可能にするＳＩＰサーバと、前記クライアント端末がＳＩＰ通信をするために必要な設定情報であるＳＩＰ設定情報を記憶するＳＩＰ設定管理サーバとをさらに備え、前記クライアント端末は、前記クライアント端末の前記ユーザ特定情報取得手段において取得された前記ユーザＩＤを、前記クライアント端末が前記ＶＰＮ接続化手段によって前記ＶＰＮに接続された状態で、前記ＳＩＰ設定管理サーバに送信する第二端末送信手段と、前記第二端末送信手段において前記ＳＩＰ設定管理サーバに送信された前記ユーザＩＤに応じて、前記ＳＩＰ設定管理サーバから送信された前記ＳＩＰ設定情報を受信する第二端末受信手段と、前記クライアント端末が前記ＶＰＮ接続化手段によって前記ＶＰＮに接続された状態で、前記ＳＩＰ設定情報に基づいて、前記ＳＩＰサーバに接続され、前記ＳＩＰサーバによりＳＩＰ通信を可能にされる第二端末ＳＩＰ通信手段とをさらに備え、前記ＳＩＰ設定管理サーバは、前記ＳＩＰサーバへの接続を許可するユーザの前記ユーザＩＤと、前記ＳＩＰ設定情報とが対応付けられて記憶されたＳＩＰ情報記憶手段と、前記クライアント端末の前記第二端末送信手段にて送信された前記ユーザＩＤを受信するＳＩＰ設定管理サーバ受信手段と、前記ＳＩＰ設定管理サーバ受信手段において受信された前記ユーザＩＤと同一の前記ユーザＩＤが、前記ＳＩＰ情報記憶手段に記憶されている場合に、前記ユーザＩＤに対応付けられた前記ＳＩＰ設定情報を前記ＳＩＰ情報記憶手段から取得するＳＩＰ情報取得手段と、前記ＳＩＰ情報取得手段において前記ＳＩＰ情報記憶手段から取得された前記ＳＩＰ設定情報を前記クライアント端末に送信するＳＩＰ情報送信手段とを備え、前記ＳＩＰサーバは、前記クライアント端末が前記ＶＰＮに接続された状態で、前記クライアント端末の前記第二端末ＳＩＰ通信手段と接続され、前記クライアント端末におけるＳＩＰ通信を可能にする第二ＳＩＰ通信可能化手段を備えたことを特徴とする。
【００１３】
また、請求項７に係る発明の通信システムは、請求項６に記載の発明の構成に加えて、前記クライアント端末は、前記ＶＰＮ設定情報と前記ＳＩＰ設定情報とを記憶する第三端末記憶手段と、前記第三端末記憶手段に記憶された前記ＶＰＮ設定情報と、前記設定管理サーバの前記設定情報記憶手段に記憶された前記ＶＰＮ設定情報とが一致しているか否かを判断する第三設定情報判断手段と、前記第三端末記憶手段に記憶された前記ＳＩＰ設定情報と、前記ＳＩＰ設定管理サーバの前記ＳＩＰ情報記憶手段に記憶された前記ＳＩＰ設定情報とが一致しているか否かを判断する第四設定情報判断手段とをさらに備え、前記クライアント端末に備えられた前記端末ＶＰＮ接続手段が前記ＶＰＮに接続され、前記第二端末ＳＩＰ通信手段がＳＩＰ通信を可能にされる回数が１回目の場合に、前記第三端末記憶手段は、前記第一端末受信手段によって受信された前記ＶＰＮ設定情報と前記第二端末受信手段によって受信された前記ＳＩＰ設定情報とを記憶し、前記クライアント端末に備えられた前記端末ＶＰＮ接続手段が前記ＶＰＮに接続され、前記第二端末ＳＩＰ通信手段がＳＩＰ通信を可能にされる回数が２回目以降の場合において、前記第三設定情報判断手段が、前記第三端末記憶手段に記憶された前記ＶＰＮ設定情報と、前記設定管理サーバの前記設定情報記憶手段に記憶された前記ＶＰＮ設定情報とが一致していると判断した場合に、前記端末ＶＰＮ接続手段は、前記第一端末受信手段において受信された前記ＶＰＮアドレスと、前記第三端末記憶手段に記憶された前記ＶＰＮ設定情報とに基づいて、前記ＶＰＮサーバに接続され、前記ＶＰＮサーバによって前記ＶＰＮに接続され、前記クライアント端末に備えられた前記端末ＶＰＮ接続手段が前記ＶＰＮに接続され、前記第二端末ＳＩＰ通信手段がＳＩＰ通信を可能にされる回数が２回目以降の場合において、前記第三設定情報判断手段が、前記第三端末記憶手段に記憶された前記ＶＰＮ設定情報と、前記設定管理サーバの前記設定情報記憶手段に記憶された前記ＶＰＮ設定情報とが一致していないと判断した場合に、前記第三端末記憶手段は、前記設定情報記憶手段に記憶された前記ＶＰＮ設定情報と、前記第三端末記憶手段に記憶された前記ＶＰＮ設定情報とが同一になるように、前記第三端末記憶手段に記憶された前記ＶＰＮ設定情報を更新し、前記端末ＶＰＮ接続手段は、前記更新されたＶＰＮ設定情報と、前記第一端末受信手段において受信された前記ＶＰＮアドレスとに基づいて、前記ＶＰＮサーバに接続され、前記ＶＰＮサーバによって前記ＶＰＮに接続され、前記クライアント端末に備えられた前記端末ＶＰＮ接続手段が前記ＶＰＮに接続され、前記第二端末ＳＩＰ通信手段がＳＩＰ通信を可能にされる回数が２回目以降の場合において、前記端末ＶＰＮ接続手段が、前記ＶＰＮに接続された後に、前記第四設定情報判断手段が、前記第三端末記憶手段に記憶された前記ＳＩＰ設定情報と、前記ＳＩＰ設定管理サーバの前記ＳＩＰ情報記憶手段に記憶された前記ＳＩＰ設定情報とが一致していると判断した場合に、前記第二端末ＳＩＰ通信手段は、前記クライアント端末が前記ＶＰＮに接続された状態で、前記第三端末記憶手段に記憶された前記ＳＩＰ設定情報に基づいて、前記ＳＩＰサーバに接続され、前記ＳＩＰサーバによりＳＩＰ通信を可能にされ、前記クライアント端末に備えられた前記端末ＶＰＮ接続手段が前記ＶＰＮに接続され、前記第二端末ＳＩＰ通信手段がＳＩＰ通信を可能にされる回数が２回目以降の場合において、前記端末ＶＰＮ接続手段が、前記ＶＰＮに接続された後に、前記第四設定情報判断手段が、前記第三端末記憶手段に記憶された前記ＳＩＰ設定情報と、前記ＳＩＰ設定管理サーバの前記ＳＩＰ情報記憶手段に記憶された前記ＳＩＰ設定情報とが一致していないと判断した場合に、前記第三端末記憶手段は、前記ＳＩＰ情報記憶手段に記憶された前記ＳＩＰ設定情報と、前記第三端末記憶手段に記憶された前記ＳＩＰ設定情報とが同一になるように、前記第三端末記憶手段に記憶された前記ＳＩＰ設定情報を更新し、更新された前記ＳＩＰ設定情報に基づいて、前記ＳＩＰサーバに接続され、前記ＳＩＰサーバによりＳＩＰ通信を可能にされることを特徴とする。
【００１４】
また、請求項８に係る発明の通信方法は、クライアント端末と、前記クライアント端末がＶＰＮに接続するために必要な設定情報であるＶＰＮ設定情報を記憶する設定管理サーバと、前記クライアント端末を前記ＶＰＮに接続させるＶＰＮサーバとで実行される通信方法であって、前記クライアント端末において、ユーザを特定するためのＩＤであるユーザＩＤを含む情報であるユーザ特定情報を取得するユーザ特定情報取得ステップと、前記クライアント端末において、前記クライアント端末のＩＰアドレスである実ＩＰアドレスと、前記ユーザ特定情報取得ステップにおいて取得された前記ユーザ特定情報とを前記設定管理サーバに送信する第一端末送信ステップと、前記クライアント端末において、前記第一端末送信ステップにおいて前記設定管理サーバに送信された、前記実ＩＰアドレスと前記ユーザ特定情報とに応じて、前記設定管理サーバから送信された、前記設定管理サーバが前記クライアント端末に割り当てるＩＰアドレスであり、前記クライアント端末が前記ＶＰＮに接続するために必要となる前記ＶＰＮ上のＩＰアドレスであるＶＰＮアドレスと、前記ＶＰＮ設定情報とを受信する第一端末受信ステップと、前記クライアント端末において、前記第一端末受信ステップにおいて受信された、前記ＶＰＮアドレスと前記ＶＰＮ設定情報とに基づいて、前記ＶＰＮサーバに接続され、前記ＶＰＮサーバにより前記ＶＰＮに接続される端末ＶＰＮ接続ステップと、前記クライアント端末において、前記ＶＰＮとの接続を切断する切断ステップと、前記設定管理サーバにおいて、前記クライアント端末の前記第一端末送信ステップにおいて送信された、前記実ＩＰアドレスと前記ユーザ特定情報とを受信する設定管理サーバ受信ステップと、前記設定管理サーバにおいて、前記設定管理サーバ受信ステップにて受信された前記ユーザ特定情報と同一の前記ユーザ特定情報が、前記ＶＰＮへの接続を許可するユーザの前記ユーザ特定情報と、前記ＶＰＮ設定情報とが対応付けられて記憶された設定情報記憶手段に記憶されているか否かを判断することで前記クライアント端末を操作するユーザを認証する認証ステップと、前記設定管理サーバにおいて、前記認証ステップによって、前記設定管理サーバ受信ステップにて受信された前記ユーザ特定情報と同一の前記ユーザ特定情報が、前記設定情報記憶手段に記憶されていると判断された場合に、前記ユーザＩＤに対応付けられた前記ＶＰＮ設定情報を前記設定情報記憶手段から取得する設定情報取得ステップと、前記設定管理サーバにおいて、前記設定管理サーバ受信ステップにおいて受信された前記実ＩＰアドレスに、前記ＶＰＮアドレスを割り当てるＶＰＮアドレス割り当てステップと、前記設定管理サーバにおいて、前記ＶＰＮアドレス割り当てステップにおいて割り当てられた前記ＶＰＮアドレスと、前記設定情報取得ステップにおいて前記設定情報記憶手段から取得された前記ＶＰＮ設定情報とを前記クライアント端末に送信する設定管理サーバ送信ステップと前記ＶＰＮサーバにおいて、前記クライアント端末の前記端末ＶＰＮ接続ステップによって接続され、前記クライアント端末を前記ＶＰＮに接続させるＶＰＮ接続化ステップを備えたことを特徴とする。
【００１５】
また、請求項９に係る発明の設定管理サーバは、クライアント端末がＶＰＮに接続するために必要な設定情報であるＶＰＮ設定情報を記憶する設定管理サーバであって、前記ＶＰＮへの接続を許可するユーザのユーザを特定するためのＩＤであるユーザＩＤを含む情報であるユーザ特定情報と、前記ＶＰＮ設定情報とが対応付けられて記憶された設定情報記憶手段と、前記クライアント端末から送信された、前記クライアント端末のＩＰアドレスである実ＩＰアドレスと前記ユーザ特定情報とを受信する設定管理サーバ受信手段と、前記設定管理サーバ受信手段にて受信された前記ユーザ特定情報と同一の前記ユーザ特定情報が、前記設定情報記憶手段に記憶されているか否かを判断することで前記クライアント端末を操作するユーザを認証する認証手段と、前記認証手段によって、前記設定管理サーバ受信手段にて受信された前記ユーザ特定情報と同一の前記ユーザ特定情報が、前記設定情報記憶手段に記憶されていると判断された場合に、前記ユーザＩＤに対応付けられた前記ＶＰＮ設定情報を前記設定情報記憶手段から取得する設定情報取得手段と、前記設定管理サーバ受信手段において受信された前記実ＩＰアドレスに、前記クライアント端末が前記ＶＰＮに接続するために必要となる前記ＶＰＮ上のＩＰアドレスであるＶＰＮアドレスを割り当てるＶＰＮアドレス割り当て手段と、前記ＶＰＮアドレス割り当て手段において割り当てられた前記ＶＰＮアドレスと、前記設定情報取得手段において前記設定情報記憶手段から取得された前記ＶＰＮ設定情報とを前記クライアント端末に送信する設定管理サーバ送信手段とを備えたことを特徴とする。
【発明の効果】
【００１６】
請求項１に係る発明の通信システムによれば、ユーザ特定情報取得手段によってユーザ特定情報が取得された場合、ユーザＩＤを含む情報であるユーザ特定情報と、クライアント端末のＩＰアドレスである実ＩＰアドレスとが、クライアント端末から設定管理サーバに送信される。次いで、設定管理サーバは、クライアント端末から送信された実ＩＰアドレスと、ユーザＩＤとに基づいて、ＶＰＮ設定情報を取得し、ＶＰＮアドレスを割り当てる。そして、ＶＰＮ設定情報とＶＰＮアドレスとをクライアント端末に送信する。次いで、クライアント端末は、ＶＰＮアドレスとＶＰＮ設定情報とに基づいて、ＶＰＮサーバに接続され、ＶＰＮサーバによって、ＶＰＮに接続される。これにより、クライアント端末は、ユーザ特定情報取得手段によってユーザ特定情報が取得された場合に、自動的にＶＰＮに接続される。このため、ユーザは、クライアント端末にＶＰＮ設定情報とＶＰＮアドレスとを手動で設定する必要がない。
【００１７】
また、請求項２に係る発明の通信システムによれば、ユーザ特定情報は、ユーザＩＤとパスワードとを含む。このため、請求項１に係る発明の効果に加え、設定管理サーバは、ユーザＩＤとパスワードとを含んだ情報であるユーザ特定情報を参照して、ユーザの認証を行うことができる。
【００１８】
また、請求項３に係る発明の通信システムによれば、設定管理サーバから送信され、クライアント端末で受信されたＶＰＮ設定情報が第一端末記憶手段に記憶される。そして、クライアント端末がＶＰＮに接続する回数が２回目以降の場合において、第一端末記憶手段に記憶されたＶＰＮ設定情報と設定管理サーバの設定情報記憶手段に記憶されたＶＰＮ設定情報とが一致する場合には、第一端末記憶手段に記憶されたＶＰＮ設定情報と第一端末受信手段によって受信されたＶＰＮアドレスとに基づいて、クライアント端末がＶＰＮに接続される。このため、クライアント端末がＶＰＮに接続する回数が２回目以降の場合において、第一端末記憶手段に記憶されたＶＰＮ設定情報と設定管理サーバの設定情報記憶手段に記憶されたＶＰＮ設定情報とが一致する場合には、請求項１又は２に係る発明の効果に加え、第一端末記憶手段に記憶されたＶＰＮ設定情報を更新することなく、クライアント端末がＶＰＮに接続される。
【００１９】
また、請求項４に係る発明の通信システムによれば、ユーザ特定情報取得手段によってユーザ特定情報が取得された場合、ユーザ特定情報と、クライアント端末のＩＰアドレスである実ＩＰアドレスとが、クライアント端末から設定管理サーバに送信される。次いで、設定管理サーバは、クライアント端末から送信された実ＩＰアドレスと、ユーザ特定情報に含まれるユーザＩＤとに基づいて、ＶＰＮ設定情報とＳＩＰ設定情報とを取得し、ＶＰＮアドレスを割り当てる。そして、ＶＰＮ設定情報とＳＩＰ設定情報とＶＰＮアドレスとをクライアント端末に送信する。次いで、クライアント端末は、ＶＰＮアドレスとＶＰＮ設定情報とに基づいて、ＶＰＮサーバに接続され、ＶＰＮサーバによって、ＶＰＮに接続される。次いで、クライアント端末は、ＶＰＮ上で、ＳＩＰ設定情報に基づいてＳＩＰサーバに接続される。そして、クライアント端末は、ＳＩＰサーバによって、ＳＩＰ通信可能にされる。これにより、クライアント端末は、ユーザ特定情報取得手段によってユーザ特定情報が取得された場合に、自動的にＶＰＮ上でＳＩＰ通信可能にされる。このように、ユーザは、クライアント端末にＶＰＮ設定情報とＳＩＰ設定情報とＶＰＮアドレスとを手動で設定する必要がない。このため、請求項１又は２に係る発明の効果に加え、ユーザは、クライアント端末にＳＩＰ設定情報を手動で設定する必要がない。
【００２０】
また、請求項５に係る発明の通信システムによれば、設定管理サーバから送信され、クライアント端末で受信されたＶＰＮ設定情報とＳＩＰ設定情報とが第二端末記憶手段に記憶される。そして、クライアント端末がＶＰＮに接続され、ＳＩＰ通信可能にされる回数が２回目以降の場合において、第二端末記憶手段に記憶されたＶＰＮ設定情報と、設定管理サーバの設定情報記憶手段に記憶されたＶＰＮ設定情報とが一致し、且つ第二端末記憶手段に記憶されたＳＩＰ設定情報と、設定管理サーバの設定情報記憶手段に記憶されたＳＩＰ設定情報とが一致している場合には、第二端末記憶手段に記憶されたＶＰＮ設定情報と第一端末受信手段によって受信されたＶＰＮアドレスとに基づいて、クライアント端末がＶＰＮに接続される。また、第二端末記憶手段に記憶されたＳＩＰ設定情報に基づいて、クライアント端末がＳＩＰ通信可能にされる。このため、クライアント端末がＶＰＮに接続され、ＳＩＰ通信可能にされる回数が２回目以降の場合において、第二端末記憶手段に記憶されたＶＰＮ設定情報と、設定管理サーバの設定情報記憶手段に記憶されたＶＰＮ設定情報とが一致し、且つ第二端末記憶手段に記憶されたＳＩＰ設定情報と、設定管理サーバの設定情報記憶手段に記憶されたＳＩＰ設定情報とが一致している場合には、請求項４に係る発明の効果に加え、第二端末記憶手段に記憶されたＶＰＮ設定情報とＳＩＰ設定情報とを更新することなく、クライアント端末がＶＰＮに接続され、ＳＩＰ通信可能にされる。
【００２１】
また、請求項６に係る発明の通信システムによれば、ユーザ特定情報取得手段によってユーザ特定情報が取得された場合、ユーザ特定情報と、クライアント端末のＩＰアドレスである実ＩＰアドレスとが、クライアント端末から設定管理サーバに送信される。次いで、設定管理サーバは、クライアント端末から送信された実ＩＰアドレスと、ユーザ特定情報に含まれるユーザＩＤとに基づいて、ＶＰＮ設定情報を取得し、ＶＰＮアドレスを割り当てる。そして、ＶＰＮ設定情報とＶＰＮアドレスとをクライアント端末に送信する。次いで、クライアント端末は、ＶＰＮアドレスとＶＰＮ設定情報とに基づいて、ＶＰＮサーバに接続され、ＶＰＮサーバによって、ＶＰＮに接続される。次いで、クライアント端末は、ＶＰＮ上で、ＳＩＰ設定管理サーバにユーザＩＤを送信する。次いで、ＳＩＰ設定管理サーバは、クライアント端末から送信されたユーザＩＤに基づいて、ＳＩＰ設定情報を取得する。そして、ＳＩＰ設定管理サーバは、ＳＩＰ設定情報をクライアント端末に送信する。次いで、クライアント端末は、ＶＰＮ上で、ＳＩＰ設定情報に基づいてＳＩＰサーバに接続される。そして、クライアント端末は、ＳＩＰサーバによって、ＳＩＰ通信可能にされる。このように、クライアント端末は、ＶＰＮ上でＳＩＰ設定情報を受信することができる。このため、ＳＩＰ設定情報を第三者に閲覧等される虞が低い。このため、請求項１又は２に記載の効果に加え、安全性が高められた上で、クライアント端末は自動でＳＩＰ通信を行うように設定される。また、ユーザは、クライアント端末にＳＩＰ設定情報を手動で設定する必要がない。
【００２２】
また、請求項７に係る発明の通信システムによれば、設定管理サーバから送信され、クライアント端末で受信されたＶＰＮ設定情報が第三端末記憶手段に記憶される。また、ＳＩＰ設定管理サーバから送信され、クライアント端末で受信されたＳＩＰ設定情報も第三端末記憶手段に記憶される。そして、クライアント端末がＶＰＮに接続され、ＳＩＰ通信可能にされる回数が２回目以降の場合において、第三端末記憶手段に記憶されたＶＰＮ設定情報と、設定管理サーバの設定情報記憶手段に記憶されたＶＰＮ設定情報とが一致している場合には、第三端末記憶手段に記憶されたＶＰＮ設定情報と第一端末受信手段によって受信されたＶＰＮアドレスに基づいて、クライアント端末がＶＰＮに接続される。また、クライアント端末がＶＰＮに接続され、ＳＩＰ通信可能にされる回数が２回目以降の場合において、第三端末記憶手段に記憶されたＳＩＰ設定情報と、ＳＩＰ設定管理サーバのＳＩＰ情報記憶手段に記憶されたＳＩＰ設定情報とが一致している場合には、クライアント端末が、ＶＰＮに接続された後に、第三端末記憶手段に記憶されたＳＩＰ設定情報に基づいて、クライアント端末がＳＩＰ通信可能にされる。このため、クライアント端末がＶＰＮに接続され、ＳＩＰ通信可能にされる回数が２回目以降の場合において、第三端末記憶手段に記憶されたＶＰＮ設定情報と、設定管理サーバの設定情報記憶手段に記憶されたＶＰＮ設定情報とが一致し、第三端末記憶手段に記憶されたＳＩＰ設定情報と、ＳＩＰ設定管理サーバのＳＩＰ情報記憶手段に記憶されたＳＩＰ設定情報とが一致している場合には、請求項６に係る発明の効果に加え、第三端末記憶手段に記憶されたＶＰＮ設定情報とＳＩＰ設定情報とを更新することなく、クライアント端末がＶＰＮに接続され、ＳＩＰ通信可能にされる。
【００２３】
また、請求項８に係る発明の通信方法によれば、ユーザ特定情報取得ステップにおいてユーザ特定情報が取得された場合、第一端末送信ステップにおいて、ユーザ特定情報と、クライアント端末のＩＰアドレスである実ＩＰアドレスとが、クライアント端末から設定管理サーバに送信される。次いで、設定管理サーバにおいて、クライアント端末から送信された実ＩＰアドレスと、ユーザＩＤとに基づいて、設定情報取得ステップにおいてＶＰＮ設定情報が取得され、ＶＰＮアドレス割り当てステップにおいてＶＰＮアドレスが割り当てられる。そして、設定管理サーバ送信ステップにおいて、ＶＰＮ設定情報とＶＰＮアドレスとがクライアント端末に送信される。次いで、端末ＶＰＮ接続ステップにおいて、ＶＰＮアドレスとＶＰＮ設定情報とに基づいて、ＶＰＮサーバに接続され、ＶＰＮサーバによりＶＰＮに接続される。これにより、クライアント端末は、ユーザ特定情報取得ステップにおいてユーザ特定情報が取得された場合に、自動的にＶＰＮに接続される。このため、ユーザは、クライアント端末にＶＰＮ設定情報とＶＰＮアドレスとを手動で設定する必要がない。
【００２４】
また、請求項９に係る発明の設定管理サーバによれば、設定管理サーバはクライアント端末から送信されたユーザ特定情報に含まれるユーザＩＤに基づいて、ユーザＩＤと対応付けられたＶＰＮ設定情報を取得する。また、設定管理サーバは、クライアント端末から送信された実ＩＰアドレスに基づいて、ＶＰＮアドレスを割り当てる。そして、設定管理サーバは、ＶＰＮ設定情報とＶＰＮアドレスとをクライアント端末に送信する。このように、クライアント端末から送信されたユーザＩＤと実ＩＰアドレスとに基づいて、ＶＰＮ設定情報とＶＰＮアドレスとをクライアント端末に送信することができる。
【図面の簡単な説明】
【００２５】
【図１】通信システム１の構成を示すブロック図である。
【図２】設定管理サーバ４の電気的構成を示すブロック図である。
【図３】第二クライアント端末３の電気的構成を示すブロック図である。
【図４】ＶＰＮサーバ５の電気的構成を示すブロック図である。
【図５】ＳＩＰサーバ６の電気的構成を示すブロック図である。
【図６】ＨＤＤ４４の各記憶エリアを示す概念図である。
【図７】ＲＡＭ４３の各記憶エリアを示す概念図である
【図８】ＨＤＤ３４の各記憶エリアを示す概念図である
【図９】ユーザテーブル１１を示すデータテーブルである。
【図１０】ＶＰＮ設定テーブル１２を示すデータテーブルである。
【図１１】ＳＩＰ設定テーブル１３を示すデータテーブルである。
【図１２】ＩＰアドレステーブル１４を示すデータテーブルである。
【図１３】第一の実施の形態におけるＣＰＵ４１による処理を示すフローチャートである。
【図１４】ＣＰＵ４１によるＶＰＮアドレス取得処理を示すフローチャートである。
【図１５】ＩＰアドレステーブル１４を示すデータテーブルである。
【図１６】第二クライアント端末３がＶＰＮ８に接続する回数が１回目の場合におけるＣＰＵ３１による処理を示すフローチャートである。
【図１７】ＣＰＵ５１による処理を示すフローチャートである。
【図１８】ＣＰＵ６１による処理を示すフローチャートである。
【図１９】第二クライアント端末３がＶＰＮ８に接続する回数が２回目以降の場合におけるＣＰＵ３１による処理を示すフローチャートである。
【図２０】通信システム２１を示すブロック図である。
【図２１】設定管理サーバ２４の電気的構成を示すブロック図である。
【図２２】ＳＩＰ設定管理サーバ２７の電気的構成を示すブロック図である。
【図２３】ＨＤＤ４４０の各記憶エリアを示す概念図である。
【図２４】ＨＤＤ２７４の各記憶エリアを示す概念図である。
【図２５】第二の実施の形態におけるＣＰＵ４１による処理を示すフローチャートである。
【図２６】ＣＰＵ２７１による処理を示すフローチャートである。
【図２７】第二クライアント端末２３がＶＰＮ８に接続する回数が１回目の場合におけるＣＰＵ３１による処理を示すフローチャートである。
【図２８】第二クライアント端末２３がＶＰＮ８に接続する回数が２回目以降の場合におけるＣＰＵ３１による処理を示すフローチャートである。
【発明を実施するための形態】
【００２６】
以下、本発明の通信システム、通信方法、及び設定管理サーバの実施の形態について、図面を参照して説明する。なお、これらの図面は、本発明が採用しうる技術的特徴を説明するために用いられるものであり、記載されている装置の構成、各種処理のフローチャートなどは、それのみに限定する趣旨ではなく、単なる説明例である。
【００２７】
以下本発明の第一の実施の形態と第二の実施の形態とを図面を参照して説明する。第一の実施の形態では、説明のため、以下のような条件とする。すなわち、ユーザが、後述する第一クライアント端末２及び第二クライアント端末３を使用するとする。第一クライアント端末２は、ユーザの会社の本社にあり、第二クライアント端末３は、ユーザの会社の支社にあるとする。そして、ユーザは、普段は会社の本社で、第一クライアント端末２を使用している。さらに、ユーザは、本社の第一クライアント端末２を使用して、後述するＶＰＮ８上でＳＩＰ通信を行うための各種の設定情報を設定済みであるとする。つまり、ユーザは、第一クライアント端末２を使用して、ＶＰＮ８上で、例えば内線電話等のＳＩＰ通信ができるとする。しかし、ユーザは、支社の第二クライアント端末３を使用したことがないとする。このため、第二クライアント端末３は、ＶＰＮ８上でＳＩＰ通信ができるようには設定されていない。
【００２８】
第一の実施の形態では、上記のような条件において、ユーザが支社に行き、支社の第二クライアント端末３を用いて、本社の第一クライアント端末２と同様の設定で、ＶＰＮ８上でＳＩＰ通信ができるようにする場合について説明する。
【００２９】
本発明の第一の実施の形態における通信システム１について説明する。まず、図１を参照し、本発明の第一の実施の形態における通信システム１のシステム構成について説明する。図１に示すように、通信システム１は、第一クライアント端末２、第二クライアント端末３、設定管理サーバ４、ＶＰＮサーバ５、及びＳＩＰサーバ６から構成されている。
【００３０】
本実施の第一の実施の形態における通信システム１には、インターネット網７が設けられている。また、後述するＶＰＮサーバ５により構築されたＶＰＮ８が設けられている。インターネット網７には、設定管理サーバ４が接続されている。また、ＶＰＮ８を構築するＶＰＮサーバ５は、ＶＰＮ８及びインターネット網７に接続されている。さらに、ＶＰＮ８には、各クライアント端末がＳＩＰ通信を行うことを可能にするためのＳＩＰサーバ６が接続されている。
【００３１】
ユーザの会社の本社には、第一クライアント端末２が設置されている。上述したように、ユーザは、普段は第一クライアント端末２を使用して、ＶＰＮ８上でＳＩＰ通信を行っている。このため、ユーザは、第一クライアント端末２を使用して、ＶＰＮ８上でＳＩＰ通信を行うための種々の設定情報を、第一クライアント端末２、設定管理サーバ４、ＶＰＮサーバ５、及びＳＩＰサーバ６に予め設定している。第一クライアント端末２は、ＶＰＮ８上でＳＩＰ通信を行えるように、ＶＰＮ８に接続されている。なお、ユーザは、第一クライアント端末２を使用して、後述するＶＰＮ設定情報、ＳＩＰ設定情報、及びユーザＩＤやパスワード等を設定管理サーバ４のＨＤＤ４４に記憶させている。以下、ユーザＩＤやパスワード等を「認証情報」という。認証情報が、本発明の「ユーザ特定情報」に相当する。
【００３２】
ユーザの会社の支社には、第二クライアント端末３が設置されている。ユーザは第二クライアント端末３を使用したことがないので、最初は、第一クライアント端末２と同様の設定によってＶＰＮ８上でＳＩＰ通信を行うことができない。ユーザが第二クライアント端末３を使用して、第一クライアント端末２と同様の設定で、ＶＰＮ８上でＳＩＰ通信をする場合、まず、第二クライアント端末３は、インターネット網７を介して、設定管理サーバ４に接続される。第二クライアント端末３は、第二クライアント端末３のＩＰアドレスである実ＩＰアドレスと、ユーザによって入力された、設定管理サーバ４がユーザを特定するためのＩＤであるユーザＩＤや、パスワード等を設定管理サーバ４に送信する。
【００３３】
設定管理サーバ４は、認証情報と、第二クライアント端末３がＶＰＮに接続するために必要な設定情報であるＶＰＮ設定情報と、第二クライアント端末３がＳＩＰ通信を行うために必要な設定情報であるＳＩＰ設定情報とを記憶している。なお、ＶＰＮ設定情報とＳＩＰ設定情報と認証情報とは、ユーザが本社の第一クライアント端末２を使用して予め設定した設定情報である。設定管理サーバ４は、第二クライアント端末３から送信された実ＩＰアドレスと認証情報とに基づいて、第二クライアント端末３がＶＰＮ８に接続するために必要となるＶＰＮ８上のＩＰアドレスであるＶＰＮアドレスと、ＶＰＮ設定情報と、ＳＩＰ設定情報とを第二クライアント端末３に送信する。ＶＰＮアドレス、ＶＰＮ設定情報、及びＳＩＰ設定情報の詳細については、後述する。
【００３４】
ＶＰＮアドレスとＶＰＮ設定情報とＳＩＰ設定情報とを受信した第二クライアント端末３は、ＶＰＮ設定情報に基づいて、インターネット網７を介してＶＰＮサーバ５に接続される。
【００３５】
ＶＰＮサーバ５は、第三者がアクセスできない仮想的な閉域網であるＶＰＮ８を構築している。このため、ＶＰＮサーバ５によってＶＰＮ８に接続された複数のクライアント端末や各種サーバ等の間では、セキュリティーを担保した通信を行うことができる。ＶＰＮサーバ５は、第二クライアント端末３をＶＰＮ８に接続させる。
【００３６】
ＶＰＮ８に接続された第二クライアント端末３は、ＳＩＰ設定情報に基づいて、ＶＰＮ８上でＳＩＰサーバ６に接続される。ＳＩＰサーバ６は、第二クライアント端末３をＳＩＰ通信可能にする。これにより、第二クライアント端末３は、ＶＰＮ８に接続された状態でＳＩＰ通信を行うことができる。これにより、詳細は後述するが、ユーザは第二クライアント端末３を使用して、第一クライアント端末２と同様の設定で、ＶＰＮ８上でセキュリティーを担保しながら、ＳＩＰ通信を行うことができる。
【００３７】
次に図２を参照して、設定管理サーバ４の電気的構成について説明する。図２に示すように、設定管理サーバ４は、設定管理サーバ４にて実行される各処理の制御を司るＣＰＵ４１、ＣＰＵ４１にて実行される各種処理のための各種データ等が記憶される不揮発性記憶素子であるＲＯＭ４２、ＣＰＵ４１が処理を実行するために必要となる一時的な記憶領域を提供する為の揮発性記憶素子であるＲＡＭ４３、プログラムや各種データテーブル等が記憶される記憶素子であるハードディスク（ＨＤＤ）４４を備えている。そして、ＣＰＵ４１によってＲＯＭ４２、ＲＡＭ４３、及びＨＤＤ４４の記憶領域にアクセスすることが可能なように、ＣＰＵ４１、ＲＯＭ４２、ＲＡＭ４３、及びＨＤＤ４４はバス４５を介して電気的に接続されている。また、設定管理サーバ４は、インターネットインターフェイス（インターネットＩ／Ｆ）４６を備えている。そして、インターネットＩ／Ｆ４６には、ＬＡＮポート４７が電気的に接続されている。ＬＡＮポート４７は、ＣＰＵ４１がインターネット網７を介して、第二クライアント端末３等との通信を行うために設けられている。そして、ＣＰＵ４１により送信される各種データを、インターネット網７を介して、第二クライアント端末３等に送信することが可能なように、ＣＰＵ４１とインターネットＩ／Ｆ４６とはバス４５を介して電気的に接続されている。
【００３８】
次に、図３を参照し、第二クライアント端末３の電気的構成について説明する。図３に示すように、第二クライアント端末３は、第二クライアント端末３にて実行される各処理の制御を司るＣＰＵ３１、ＣＰＵ３１にて実行される各種の処理のためのデータ等が記憶される不揮発性記憶素子であるＲＯＭ３２、ＣＰＵ３１が処理を実行するために必要となる一時的な記憶領域を提供する為の揮発性記憶素子であるＲＡＭ３３、プログラム、各種設定情報等が記憶される記憶素子であるハードディスク（ＨＤＤ）３４を備えている。そして、ＣＰＵ３１によってＲＯＭ３２、ＲＡＭ３３、及びＨＤＤ３４の記憶領域にアクセスすることができるように、ＣＰＵ３１、ＲＯＭ３２、ＲＡＭ３３、及びＨＤＤ３４はバス３５を介して電気的に接続されている。
【００３９】
第二クライアント端末３は、入出力制御（インピーダンス変換、タイミング制御等）を行うための入出力部３６を備えている。そして、入出力部３６は、バス３５を介してＣＰＵ３１と電気的に接続されている。また、第二クライアント端末３は、文字等を入力するための入力装置３７と、所望の画像を表示させることが可能なディスプレイ３８とを備えており、それぞれ入出力部３６と電気的に接続されている。これにより、入力装置３７からの入力信号をＣＰＵ３１にて認識することができる。また、ＣＰＵ３１によりディスプレイ３８に画像を表示させることができる。なお、入力装置３７は、例えばキーボードやマウス等で構成されている。
【００４０】
また、第二クライアント端末３は、通信インターフェイス（通信Ｉ／Ｆ）３９を備えている。そして、通信Ｉ／Ｆ３９には、ＬＡＮポート４０が電気的に接続されている。ＬＡＮポート４０は、インターネット網７及びＶＰＮ８を介して、設定管理サーバ４、ＶＰＮサーバ５、及びＳＩＰサーバ６等との通信を行うために設けられている。そして、ＣＰＵ３１が、インターネット網７及びＶＰＮ８を介して、設定管理サーバ４、ＶＰＮサーバ５、及びＳＩＰサーバ６等と各種データを送受信することができるように、ＣＰＵ３１と通信Ｉ／Ｆ３９とはバス３５を介して電気的に接続されている。なお、図示しないが、第二クライアント端末３には、内線電話を使用して通話するための通話用スピーカー及び通話用マイクが備えられている。また、内線電話等で着信があった場合に着信音を再生するための再生用スピーカー（図示せず）が備えられている。
【００４１】
次に、図４を参照し、ＶＰＮサーバ５の電気的構成について説明する。図４に示すように、ＶＰＮサーバ５は、ＶＰＮサーバ５にて実行される各処理の制御を司るＣＰＵ５１、ＣＰＵ５１にて実行される処理のための各種データ等が記憶される不揮発性記憶素子であるＲＯＭ５２、ＣＰＵ５１が処理を実行するために必要となる一時的な記憶領域を提供する為の揮発性記憶素子であるＲＡＭ５３、各クライアント端末や各サーバ等をＶＰＮ８に接続するためのデータ、及びプログラム等が記憶される記憶素子であるハードディスク（ＨＤＤ）５４を備えている。そして、ＣＰＵ５１によってＲＯＭ５２、ＲＡＭ５３、及びＨＤＤ５４の記憶領域にアクセスすることが可能なように、ＣＰＵ５１、ＲＯＭ５２、ＲＡＭ５３、及びＨＤＤ５４はバス５５を介して電気的に接続されている。また、ＶＰＮサーバ５は、インターネット網７及びＶＰＮ８を介して通信を行うための通信Ｉ／Ｆ５６を備えている。そして、通信Ｉ／Ｆ５６には、ＬＡＮポート５７が電気的に接続されている。ＬＡＮポート５７は、インターネット網７及びＶＰＮ８を介して、第一クライアント端末２、第二クライアント端末３、及びＳＩＰサーバ６等との通信を行うために設けられている。そして、ＣＰＵ３１により送受信される各種データを、インターネット網７及びＶＰＮ８を介して、第一クライアント端末２、第二クライアント端末３、及びＳＩＰサーバ６等と送受信することができるように、ＣＰＵ５１と通信Ｉ／Ｆ５６とはバス５５を介して電気的に接続されている。
【００４２】
次に、図５を参照し、ＳＩＰサーバ６の電気的構成について説明する。図５に示すように、ＳＩＰサーバ６は、ＳＩＰサーバ６にて実行される各処理の制御を司るＣＰＵ６１、ＣＰＵ６１にて実行される処理のための各種データ等が記憶される不揮発性記憶素子であるＲＯＭ６２、ＣＰＵ６１が処理を実行するために必要となる一時的な記憶領域を提供する為の揮発性記憶素子であるＲＡＭ６３、各クライアント端末や各種サーバをＳＩＰ通信可能にするためのデータ、プログラム等が記憶される記憶素子であるハードディスク（ＨＤＤ）６４を備えている。そして、ＣＰＵ６１によってＲＯＭ６２、ＲＡＭ６３、及びＨＤＤ６４の記憶領域にアクセスすることが可能なように、ＣＰＵ６１と、ＲＯＭ６２、ＲＡＭ６３、及びＨＤＤ６４とはバス６５を介して電気的に接続されている。また、ＳＩＰサーバ６は、ＶＰＮ８を介して通信を行うための通信Ｉ／Ｆ６６を備えている。そして、通信Ｉ／Ｆ６６には、ＬＡＮポート６７が電気的に接続されている。ＬＡＮポート６７は、ＶＰＮ８を介して、第一クライアント端末２、第二クライアント端末３、及びＶＰＮサーバ５等との通信を行うために設けられている。そして、ＣＰＵ６１により送受信される各種データを、ＶＰＮ８を介して、第一クライアント端末２、第二クライアント端末３、及びＶＰＮサーバ５等と送受信することができるように、ＣＰＵ６１と通信Ｉ／Ｆ６６とはバス６５を介して電気的に接続されている。
【００４３】
次に、図６を参照して、設定管理サーバ４のＨＤＤ４４（図２参照）に設けられている記憶エリアについて説明する。図６に示すようにＨＤＤ４４には、プログラム記憶エリア４４１、ユーザテーブル記憶エリア４４２、ＶＰＮ設定テーブル記憶エリア４４３、ＳＩＰ設定テーブル記憶エリア４４４、ＩＰアドレステーブル記憶エリア４４５、データＩＤ記憶エリア４４７、及びその他の記憶エリアが設けられている。
【００４４】
これらのエリアのうち、プログラム記憶エリア４４１には、設定管理サーバ４のＣＰＵ４１が各種の処理等を実行するために必要なプログラムデータが記憶されている。また、ユーザテーブル記憶エリア４４２には、後述するユーザテーブル１１（図９参照）が記憶されている。また、ＶＰＮ設定テーブル記憶エリア４４３には、後述するＶＰＮ設定テーブル１２（図１０参照）が記憶されている。また、ＳＩＰ設定テーブル記憶エリア４４４には、後述するＳＩＰ設定テーブル１３（図１１参照）が記憶されている。また、ＩＰアドレステーブル記憶エリア４４５には、後述するＩＰアドレステーブル１４（図１２参照）が記憶されている。また、データＩＤ記憶エリア４４７には、後述するデータＩＤが記憶されている。
【００４５】
次に図７を参照して、設定管理サーバ４のＲＡＭ４３（図２参照）に設けられている記憶エリアについて説明する。図７に示すようにＲＡＭ４３には、実ＩＰアドレス記憶エリア４３１、認証情報記憶エリア４３２、及びその他の記憶エリアが設けられている。
【００４６】
これらのエリアのうち、実ＩＰアドレス記憶エリア４３１には、第二クライアント端末３から設定管理サーバ４に送信される実ＩＰアドレスが記憶される（図１３のＳ２参照、後述）。また、認証情報記憶エリア４３２には、後述する第二クライアント端末３から設定管理サーバ４に送信される認証情報が記憶される（図１３のＳ２参照、後述）。
【００４７】
次に、図８を参照して、第二クライアント端末３のＨＤＤ３４（図３参照）に設けられている記憶エリアについて説明する。図８に示すようにＨＤＤ３４には、プログラム記憶エリア３４１、設定記憶エリア３４２、及びその他の記憶エリアが設けられている。
【００４８】
これらのエリアのうち、プログラム記憶エリア３４１には、第二クライアント端末３のＣＰＵ３１（図３参照）が各種の処理等を実行するために必要なプログラムデータが記憶されている。また、設定記憶エリア３４２には、図１６及び図１９に示すＣＰＵ３１のＳ２６の処理によって、Ｓ２４の処理で受信されたＶＰＮ設定情報、ＳＩＰ設定情報、データＩＤ、及びＶＰＮアドレスが記憶される。図１６及び図１９に示すＣＰＵ３１のＳ２４の処理及びＳ２６の処理については後述する。
【００４９】
次に、図９を参照して、ユーザテーブル１１について説明する。ユーザテーブル１１は、設定管理サーバ４が、予め登録されたユーザを管理するためのデータテーブルの一例である。ユーザテーブル１１には、登録された複数の各ユーザのユーザＩＤとパスワードと氏名とユーザに関するその他の情報とが対応付けられて登録されている。詳細は後述するが、設定管理サーバ４は、第二クライアント端末３から送信されるユーザの認証情報に基づいて、ユーザテーブル１１を使用して、第二クライアント端末３を使用しているユーザが予め登録されたユーザであるか否かを判断する（図１３のＳ３参照、後述）。ユーザテーブル１１は、設定管理サーバ４のＨＤＤ４４のユーザテーブル記憶エリア４４２（図６参照）に記憶されている。
【００５０】
図９に示すように、ユーザテーブル１１は、予め登録されたユーザを特定するためのＩＤであるユーザＩＤと、ユーザにより予め登録されたパスワードと、登録されたユーザの氏名と、ユーザに関するその他の情報とから構成されている。このユーザテーブル１１には、ユーザＩＤ「０００００００１」と、パスワード「ａｂｃｄｅｆ１２３」と、ユーザの氏名「山田太郎」と、ユーザに関するその他の情報とが対応付けられて登録されている。また、ユーザＩＤ「０００００００２」と、パスワード「４５６ｈｉｊｋｌ」と、ユーザの氏名「鈴木次郎」と、ユーザに関するその他の情報とが対応付けられて登録されている。また、ユーザＩＤ「０００００００３」と、パスワード「ｖｗｘｖｚ９８７」と、ユーザの氏名「佐藤三郎」と、ユーザに関するその他の情報とが対応付けられて登録されている。さらに、上記の３名以外のユーザの、ユーザＩＤとパスワードとユーザの氏名とユーザに関するその他の情報とが、対応付けられて登録されている。
【００５１】
次に、図１０を参照して、ＶＰＮ設定テーブル１２について説明する。ＶＰＮ設定テーブル１２は、複数の各ユーザが使用するクライアント端末を、ＶＰＮ８に接続するために必要な設定情報であるＶＰＮ設定情報が登録されたデータテーブルの一例である。ＶＰＮ設定テーブル１２は、設定管理サーバ４のＨＤＤ４４のＶＰＮ設定テーブル記憶エリア４４３（図６参照）に記憶されている。詳細は後述するが、設定管理サーバ４は、第二クライアント端末３から送信されるユーザＩＤに基づいて、ＶＰＮ設定テーブル１２を使用して、第二クライアント端末３を使用しているユーザに対応したＶＰＮ設定情報をＶＰＮ設定テーブル記憶エリア４４３から取得する（図１３のＳ４参照、後述）。そして、設定管理サーバ４は、取得したＶＰＮ設定情報を第二クライアント端末３に送信する（図１３のＳ６参照、後述）。
【００５２】
図１０に示すように、ＶＰＮ設定テーブル１２は、図９に示したユーザＩＤと同一のユーザＩＤと、各ユーザが使用する各クライアント端末が接続されるＶＰＮサーバ５のＩＰアドレスとＶＰＮサーバ５のポート番号と、ＶＰＮ８上で通信を行う際のデータの暗号化方式と、ＶＰＮ８上で通信を行う際のデータの暗号化及び復号化に用いる鍵である暗号化鍵の方式と、ＶＰＮ８上で通信を行う際に使用される暗号化キーの値である暗号化キー値とから構成されている。暗号化方式の種類としては、例えば、Ｄａｔａ  Ｅｎｃｒｙｐｔｉｏｎ  Ｓｔａｎｄａｒｄ（以下、「ＤＥＳ」という）、Ｔｒｉｐｌｅ  ＤＥＳ（以下「３ＤＥＳ」という）、及びＡｄｖａｎｃｅｄ  Ｅｎｃｒｙｐｔｉｏｎ  Ｓｔａｎｄａｒｄ（以下、「ＡＥＳ」という）等が知られている。また、暗号化鍵の方式としては、共通鍵方式や公開鍵方式等が知られている。ＤＥＳ、３ＤＥＳ、及びＡＥＳは、すべて共通鍵方式の暗号化方式である。上述のＤＥＳ、３ＤＥＳ、ＡＥＳ、共通鍵方式、及び公開鍵方式は、すべて周知の技術であるので説明は省略する。
【００５３】
図１０に示すＶＰＮ設定テーブル１２には、ユーザＩＤ「０００００００１」と、ＶＰＮサーバ５のＩＰアドレス「２０２．２１３．ｘｘｘ．ｘｘｘ」と、ＶＰＮサーバ５のポート番号「５００」と、暗号化方式「ＤＥＳ」と、暗号化鍵の方式「共通鍵方式」と、暗号化キー値「ｆｋａｓｊｄｌａｆ」と、その他のＶＰＮ設定情報とが対応付けられて登録されている。また、ユーザＩＤ「０００００００２」と、ＶＰＮサーバ５のＩＰアドレス「２０２．２１３．ｘｘｘ．ｘｘｘ」と、ＶＰＮサーバ５のポート番号「５００」と、暗号化方式「３ＤＥＳ」と、暗号化鍵の方式「共通鍵方式」、暗号化キー値「ｋｌｊｌｋｊｉｊｌｋａ」と、その他のＶＰＮ設定情報とが対応付けられて登録されている。また、ユーザＩＤ「０００００００３」と、ＶＰＮサーバ５のＩＰアドレス「２０２．２１３．ｘｘｘ．ｘｘｘ」と、ＶＰＮサーバ５のポート番号「５００」と、暗号化方式「ＡＥＳ」と、暗号化鍵の方式「共通鍵方式」、暗号化キー値「ｊｉｉｋｎａｆｉ９」と、その他のＶＰＮ設定情報とが対応付けられて登録されている。さらに、上記のユーザＩＤ以外のユーザＩＤと、ＶＰＮサーバ５のＩＰアドレスと、ＶＰＮサーバ５のポート番号と、暗号化方式と、暗号化鍵の方式と、暗号化キー値とが対応付けられて登録されている。なお、ＶＰＮサーバ５のＩＰアドレスに用いた「ｘ」は、ＶＰＮサーバ５のＩＰアドレスを表す数字であるが、ここでは、「ｘ」と置き換えて表示している。
【００５４】
次に、図１１を参照して、ＳＩＰ設定テーブル１３について説明する。ＳＩＰ設定テーブル１３は、各ユーザが使用する各クライアント端末において、ＳＩＰ通信を行うために必要な設定情報であるＳＩＰ設定情報が登録されたデータテーブルの一例である。このＳＩＰ設定テーブル１３は、各ユーザが、各クライアント端末を使用して、ＳＩＰ通信によって内線電話等をすることを想定した場合の一例である。ＳＩＰ設定テーブル１３は、設定管理サーバ４のＨＤＤ４４のＳＩＰ設定テーブル記憶エリア４４４（図６参照）に記憶されている。詳細は後述するが、設定管理サーバ４は、第二クライアント端末３から送信されるユーザＩＤに基づいて、ＳＩＰ設定テーブル１３を使用して、第二クライアント端末３を使用しているユーザに対応したＳＩＰ設定情報をＳＩＰ設定テーブル記憶エリア４４４から取得する（図１３のＳ４参照、後述）。そして、設定管理サーバ４は、取得したＳＩＰ設定情報を第二クライアント端末３に送信する（図１３のＳ６参照、後述）。
【００５５】
図１１に示すように、ＳＩＰ設定テーブル１３は、図９及び図１０に示したユーザＩＤと同一のユーザＩＤと、各ユーザが使用する各クライアント端末が接続されるＳＩＰサーバ６のＩＰアドレスと、各ユーザが使用する各クライアント端末が接続されるＳＩＰサーバ６のポート番号と、各ユーザがクライアント端末を使用して、ＳＩＰ通信によって内線電話をする場合における各クライアント端末の内線番号と、内線電話によってクライアント端末に着信があった場合に、各クライアント端末が再生する着信音データと、その他のＳＩＰ設定情報とから構成されている。なお、着信音データには、着信音の曲名等の名称だけでなく、各クライアント端末が着信音を再生するための音声データも含まれている。
【００５６】
図１１に示すＳＩＰ設定テーブル１３には、ユーザＩＤ「０００００００１」と、ＳＩＰサーバ６のＩＰアドレス「２０２．２１３．ｙｙｙ．ｙｙｙ」と、ＳＩＰサーバ６のポート番号「５０６０」と、クライアント端末の内線番号「２０００００２１」と、着信音データ「ｖｖｖ．ｗａｖ」と、その他のＳＩＰ設定情報とが対応付けられて登録されている。また、ユーザＩＤ「０００００００２」と、ＳＩＰサーバ６のＩＰアドレス「２０２．２１３．ｙｙｙ．ｙｙｙ」と、ＳＩＰサーバ６のポート番号「５０６０」と、クライアント端末の内線番号「２０００００２３」と、着信音データ「ｔｔｔ．ｗａｖ」と、その他のＳＩＰ設定情報とが対応付けられて登録されている。また、ユーザＩＤ「０００００００３」と、ＳＩＰサーバ６のＩＰアドレス「２０２．２１３．ｙｙｙ．ｙｙｙ」と、ＳＩＰサーバ６のポート番号「５０６０」と、クライアント端末の内線番号「２０００００２４」と、着信音データ「ｚｚｚ．ｗａｖ」と、その他のＳＩＰ設定情報とが対応付けられて登録されている。さらに、上記のユーザＩＤ以外のユーザＩＤと、ＳＩＰサーバ６のＩＰアドレスと、ＳＩＰサーバ６のポート番号と、クライアント端末の内線番号と、着信音データと、その他のＳＩＰ設定情報とが対応付けられて登録されている。なお、ＳＩＰサーバ６のＩＰアドレスに用いた「ｙ」は、ＳＩＰサーバ６のＩＰアドレスを表す数字であるが、ここでは、「ｙ」と置き換えて表示している。
【００５７】
次に図１２を参照して、ＩＰアドレステーブル１４について説明する。詳細は後述するが、設定管理サーバ４は、複数のユーザの各クライアント端末に対して、各クライアント端末がＶＰＮ８に接続するために必要となるＶＰＮ８上のＩＰアドレスであるＶＰＮアドレスを割り当て、ＩＰアドレステーブル１４に登録する。ＩＰアドレステーブル１４には、各ユーザのユーザＩＤと、各ユーザが使用しているクライアント端末のＩＰアドレスである実ＩＰアドレスと、設定管理サーバ４によって各クライアント端末に対して割り当てられたＶＰＮアドレスとから構成されている。設定管理サーバ４は、新たにクライアント端末がＶＰＮ８に接続しようとする場合に、すでにＩＰアドレステーブル１４に登録されているＶＰＮアドレスと重複しないようにＶＰＮアドレスを割り当てる（図１４のＳ１１及びＳ１２参照）。また、設定管理サーバ４は、クライアント端末がＶＰＮ８への接続を終了した場合は、接続を終了したクライアント端末のユーザＩＤと実ＩＰアドレスとＶＰＮアドレスとをＩＰアドレステーブル１４から削除する。なお、ＩＰアドレステーブル１４は、設定管理サーバ４のＨＤＤ４４のＩＰアドレステーブル記憶エリア４４５（図６参照）に記憶されている。
【００５８】
図１２に示すように、ＩＰアドレステーブル１４には、ユーザＩＤ「０００００００２」と、クライアント端末の実ＩＰアドレス「１９２．１６８．２．２０」と、設定管理サーバ４によってクライアント端末に割り当てられたＶＰＮアドレス「１０．１００．０．１１」とが対応付けられて登録されている。また、ユーザＩＤ「０００００００３」と、クライアント端末の実ＩＰアドレス「１９２．１６８．３．３０」と、設定管理サーバ４によってクライアント端末に割り当てられたＶＰＮアドレス「１０．１００．０．１２」とが対応付けられて登録されている。さらに、上述したユーザＩＤ以外のユーザＩＤと、実ＩＰアドレスと、ＶＰＮアドレスとが対応付けられて登録されている。
【００５９】
次に、データＩＤについて説明する。各ユーザが設定したＶＰＮ設定情報とＳＩＰ設定情報とには、データＩＤが対応付けられている。データＩＤは、ＶＰＮ設定情報とＳＩＰ設定情報とが新たに設定された場合に、設定管理サーバ４によって割り当てられる。また、データＩＤは、ＶＰＮ設定情報又はＳＩＰ設定情報が変更された場合に、設定管理サーバ４によって新たに割り当てられる。つまり、データＩＤが更新される。クライアント端末は、このデータＩＤを確認することで、ＶＰＮ設定情報とＳＩＰ設定情報とが変更されたか否かを判断することができる（図１９のＳ３５参照、後述）。なお、データＩＤは、設定管理サーバ４のＨＤＤ４４のデータＩＤ記憶エリア４４７（図６参照）に記憶されている。
【００６０】
次に、具体例を示しながら、フローチャートを参照して、第一の実施の形態に係る通信システム１による処理について説明する。ここでは、設定管理サーバ４のＣＰＵ４１による処理、第二クライアント端末３のＣＰＵ３１による処理、ＶＰＮサーバ５のＣＰＵ５１による処理、ＳＩＰサーバ６のＣＰＵ６１による処理に分けて順次説明する。
【００６１】
具体例として、以下のような条件であるとする。上述した第一クライアント端末２と第二クライアント端末３を使用するユーザは山田太郎さんであるとする。つまり、第一クライアント端末２は、山田太郎さんの会社の本社にあり、第二クライアント端末３は、山田太郎さんの会社の支社にあるとする。ユーザである山田太郎さんは、普段は会社の本社で第一クライアント端末２を使用している。そして、山田太郎さんは、本社の第一クライアント端末２を使用して、ＶＰＮ８上で、内線電話等のＳＩＰ通信を行っているとする。つまり、山田太郎さんは、本社の第一クライアント端末２を使用して、ＶＰＮ８上でＳＩＰ通信を行うための各種の設定情報を設定済みであるとする。しかし、山田太郎さんは、支社の第二クライアント端末３を使用したことがないとする。このため、第二クライアント端末３は、ＶＰＮ８上でＳＩＰ通信ができるようには設定されていない。このような条件において、山田太郎さんが支社に出張に行き、支社の第二クライアント端末３を用いて、本社の第一クライアント端末２と同様の設定で、ＶＰＮ８上でＳＩＰ通信を行うことができるようにする場合について説明する。また、ＶＰＮ８上でのＳＩＰ通信後、山田太郎さんによって、第二クライアント端末３に、ＶＰＮ８との通信を切断する指示が入力され、第二クライアント端末３のＶＰＮ８への接続が終了される場合について説明する。さらに、ＶＰＮ８への接続が終了された後に、各種の設定情報が変更されないまま、再びＶＰＮ８へ接続する場合について説明する。
【００６２】
なお、具体例において、第二クライアント端末３の実ＩＰアドレスは、「１９２．１６８．１．１０」であるとする。また、山田太郎さんは、本社の第一クライアント端末２を使用して、図９に示すユーザテーブル１１において、ユーザＩＤ「０００００００１」、パスワード「ａｂｃｄｅｆ１２３」、氏名「山田太郎」、及びユーザに関するその他の情報を登録しているとする。また、図１０に示すＶＰＮ設定テーブル１２において、ユーザＩＤ「０００００００１」、ＶＰＮサーバ５のＩＰアドレス「２０２．２１３．ｘｘｘ．ｘｘｘ」、ＶＰＮサーバ５のポート番号「５００」、暗号化方式「ＤＥＳ」、暗号化鍵の方式「共通鍵方式」、暗号化キー値「ｆｋａｓｊｄｌａｆ」、及びその他のＶＰＮ設定情報を登録しているとする。また、図１１に示すＳＩＰ設定テーブル１３において、ユーザＩＤ「０００００００１」、ＳＩＰサーバ６のＩＰアドレス「２０２．２１３．ｙｙｙ．ｙｙｙ」、ＳＩＰサーバ６のポート番号「５０６０」、クライアント端末の内線番号「２０００００２１」、着信音データ「ｖｖｖ．ｗａｖ」、及びその他のＳＩＰ設定情報を登録しているとする。また、設定管理サーバ４によって、山田太郎さんが登録したＶＰＮ設定情報とＳＩＰ設定情報とに対応付けて設定されたデータＩＤは「００Ａ」であるとする。
【００６３】
まず、設定管理サーバ４のＣＰＵ４１による処理について、図１３を参照して説明する。図１３に示すＣＰＵ４１による処理についてのフローチャートのプログラムは、ＨＤＤ４４のプログラム記憶エリア４４１（図６参照）に記憶されている。
【００６４】
図１３に示すように、設定管理サーバ４のＣＰＵ４１による処理では、まず、ユーザの認証情報と、第二クライアント端末３のＩＰアドレスである実ＩＰアドレスとが受信されたか否かが判断される（Ｓ１）。認証情報は、ユーザＩＤとパスワードとであるとする。詳細は後述するが、Ｓ２１参照ユーザは、第二クライアント端末３の入力装置３７（図３参照）を使用して、認証情報であるユーザＩＤとパスワードとを入力する。そして、ユーザにより入力された認証情報と、第二クライアント端末３の実ＩＰアドレスとが第二クライアント端末３から設定管理サーバ４に送信される（図１６のＳ２３参照、後述）。図１３のＳ１の処理では、第二クライアント端末３から送信された、ユーザの認証情報と、第二クライアント端末３の実ＩＰアドレスとが受信されたか否かが判断される。
【００６５】
ユーザの認証情報と、第二クライアント端末３の実ＩＰアドレスとが受信されていない場合には（Ｓ１：ＮＯ）、次にＳ１に戻り処理が繰り返される。つまり、設定管理サーバ４のＣＰＵ４１は、ユーザの認証情報と第二クライアント端末３の実ＩＰアドレスとが受信されるまで待機している。
【００６６】
ユーザの認証情報と、第二クライアント端末３の実ＩＰアドレスとが受信された場合には（Ｓ１：ＹＥＳ）、続いて、受信された実ＩＰアドレスがＲＡＭ４３（図２参照）の実ＩＰアドレス記憶エリア４３１（図７参照）に記憶され（Ｓ２）、認証情報がＲＡＭ４３の認証情報記憶エリア４３２（図７参照）に記憶される（Ｓ２）。
【００６７】
具体例の場合では、山田太郎さんが、第二クライアント端末３の入力装置３７を使用して認証情報を入力すると（図１６のＳ２２参照、後述）、第二クライアント端末３の実ＩＰアドレスである「１９２．１６８．１．１０」と、山田太郎さんが入力した認証情報であるユーザＩＤ「０００００００１」とパスワード「ａｂｃｄｅｆ１２３」とが第二クライアント端末３から設定管理サーバ４に送信される（図１６のＳ２３参照、後述）。そして、第二クライアント端末３から送信された実ＩＰアドレスと認証情報とが設定管理サーバ４によって受信される（Ｓ１：ＹＥＳ）。設定管理サーバ４によって受信された実ＩＰアドレス「１９２．１６８、１．１０」はＲＡＭ４３の実ＩＰアドレス記憶エリア４３１（図７参照）に記憶され（Ｓ２）、ユーザＩＤ「０００００００１」とパスワード「ａｂｃｄｅｆ１２３」とはＲＡＭ４３の認証情報記憶エリア４３２（図７参照）に記憶される（Ｓ２）。
【００６８】
次に、認証が成功したか否かが判断される（Ｓ３）。Ｓ３の処理では、ＨＤＤ４４のユーザテーブル記憶エリア４４２（図６参照）に記憶されているユーザテーブル１１（図９参照）がＣＰＵ４１によって読み出される。そして、Ｓ１の処理で受信され、Ｓ２の処理によってＲＡＭ４３の認証情報記憶エリア４３２（図７参照）に記憶されたユーザＩＤとパスワードとが、ユーザテーブル１１に登録されているユーザＩＤとパスワードとに一致した場合には認証が成功したと判断され（Ｓ３：ＹＥＳ）、一致しなかった場合は認証が失敗したと判断される（Ｓ３：ＮＯ）。なお、ユーザテーブル１１に登録されているユーザＩＤ、パスワード、氏名、及びユーザに関するその他の情報は、予めユーザによって登録されている情報である。
【００６９】
Ｓ１の処理で受信され、Ｓ２の処理によってＲＡＭ４３の認証情報記憶エリア４３２に記憶されたユーザＩＤとパスワードとが、ユーザテーブル１１に登録されているユーザＩＤとパスワードとに一致しない場合、つまり認証が失敗したと判断された場合（Ｓ３：ＮＯ）、続いて、認証に失敗したという認証結果のデータである認証失敗データが設定管理サーバ４から、第二クライアント端末３に送信される（Ｓ７）。そして、設定管理サーバ４のＣＰＵ４１による処理が終了される。なお、Ｓ７の処理により送信された認証失敗データは、第二クライアント端末３のＳ２４の処理（図１６参照）によって受信される。
【００７０】
Ｓ１の処理で受信され、Ｓ２の処理によってＲＡＭ４３の認証情報記憶エリア４３２に記憶されたユーザＩＤとパスワードとが、ユーザテーブル１１に登録されているユーザＩＤとパスワードとに一致する場合、つまり、認証が成功したと判断された場合には（Ｓ３：ＹＥＳ）、続いて、ＶＰＮ設定情報とＳＩＰ設定情報とデータＩＤとが取得される（Ｓ４）。Ｓ４の処理では、ＨＤＤ４４のＶＰＮ設定テーブル記憶エリア４４３（図６参照）に記憶されているＶＰＮ設定テーブル１２（図１０参照）に登録されているＶＰＮ設定情報のうち、Ｓ２の処理によってＲＡＭ４３の認証情報記憶エリア４３２に記憶されたユーザＩＤと同一のユーザＩＤに対応付けられているＶＰＮ設定情報が取得される。
【００７１】
また、Ｓ４の処理では、ＨＤＤ４４のＳＩＰ設定テーブル記憶エリア４４４（図６参照）に記憶されているＳＩＰ設定テーブル（図１１参照）に登録されているＳＩＰ設定情報のうち、Ｓ２の処理によってＲＡＭ４３の認証情報記憶エリア４３２に記憶されたユーザＩＤと同一のユーザＩＤに対応付けられたＳＩＰ設定情報が取得される。また、Ｓ２の処理では、取得されたＶＰＮ設定情報とＳＩＰ設定情報とに対応付けられたデータＩＤが取得される。
【００７２】
具体例の場合には、Ｓ１の処理で受信され、Ｓ２の処理によってＲＡＭ４３の認証情報記憶エリア４３２に記憶された認証情報は、ユーザＩＤ「０００００００１」及びパスワード「ａｂｃｄｅｆ１２３」である。ユーザテーブル１１（図９参照）には、山田太郎さんが、本社の第一クライアント端末２を使用して登録した、ユーザＩＤ「０００００００１」、パスワード「ａｂｃｄｅｆ１２３」、氏名「山田太郎」、及びユーザに関するその他の情報が登録されている。したがって、Ｓ２の処理によってＲＡＭ４３の認証情報記憶エリア４３２に記憶されたユーザＩＤ及びパスワードと、ユーザテーブル１１のユーザＩＤ及びパスワードとが一致する。このため、認証に成功したと判断される（Ｓ３：ＹＥＳ）。そして、ＨＤＤ４４のＶＰＮ設定テーブル記憶エリア４４３（図６参照）に記憶されているＶＰＮ設定テーブル１２（図１０参照）に登録されているＶＰＮ設定情報のうち、Ｓ２の処理によってＲＡＭ４３の認証情報記憶エリア４３２に記憶されたユーザＩＤ「０００００００１」と同一のユーザＩＤに対応付けられたＶＰＮ設定情報が取得される。つまり、図１０におけるユーザＩＤ「０００００００１」に対応付けられた、ＶＰＮサーバ５のＩＰアドレス「２０２．２１３．ｘｘｘ．ｘｘｘ」、ＶＰＮサーバ５のポート番号「５００」、暗号化方式「ＤＥＳ」、暗号化鍵の方式「共通鍵方式」、暗号化キー値「ｆｋａｓｊｄｌａｆ」、及びその他のＶＰＮ設定情報が取得される。（Ｓ４）。
【００７３】
また、ＨＤＤ４４のＳＩＰ設定テーブル記憶エリア４４４（図６参照）に記憶されているＳＩＰ設定テーブル１３（図１１参照）に登録されているＳＩＰ設定情報のうち、Ｓ２の処理によってＲＡＭ４３の認証情報記憶エリア４３２に記憶されたユーザＩＤ「０００００００１」と同一のユーザＩＤに対応付けられたＳＩＰ設定情報が取得される。つまり、図１１におけるユーザＩＤ「０００００００１」に対応付けられた、ＳＩＰサーバ６のＩＰアドレス「２０２．２１３．ｙｙｙ．ｙｙｙ」、ＳＩＰサーバ６のポート番号「５０６０」、内線番号「２０００００２１」、着信音データ「ｖｖｖ．ｗａｖ」、及びその他のＳＩＰ設定情報が取得される（Ｓ４）。
【００７４】
また、これらのＶＰＮ設定情報とＳＩＰ設定情報とに対応つけられたデータＩＤ「００Ａ」が取得される（Ｓ４）。
【００７５】
ＶＰＮ設定情報とＳＩＰ設定情報とデータＩＤとが取得されたら（Ｓ４）、次に、ＶＰＮアドレス取得処理が実行される（Ｓ５）。
【００７６】
ここで、図１４に示すフローチャートを参照して、ＶＰＮアドレス取得処理について説明する。図１４に示すＶＰＮアドレス取得処理ではまず、ＨＤＤ４４のＩＰアドレステーブル記憶エリア４４５（図６参照）に記憶されたＩＰアドレステーブル１４（図１２参照）に基づいて、割り当てられていないＶＰＮアドレスが取得される（Ｓ１１）。ＶＰＮアドレスは、クライアント端末がＶＰＮ８に接続するために必要となるＶＰＮ８上のＩＰアドレスである。図１２に示すように、ＩＰアドレステーブル１４には、各ユーザのユーザＩＤと、各ユーザが使用しているクライアント端末の実ＩＰアドレスとに対して、設定管理サーバ４によってＶＰＮアドレスが割り当てられて登録されている。Ｓ１１の処理では、図１２に示すＩＰアドレステーブル１４において、各ユーザＩＤ及び実ＩＰアドレスに対して割り当てられていないＶＰＮアドレスが、ＣＰＵ４１によって取得される。
【００７７】
次に、Ｓ１の処理（図１３参照）で受信され、Ｓ２の処理（図１３参照）によってＲＡＭ４３に記憶された第二クライアント端末３のユーザＩＤと実ＩＰアドレスと、Ｓ１１の処理により取得されたＶＰＮアドレスとが対応付けられて、ＩＰアドレステーブル１４に追加登録される（Ｓ１２）。この追加登録されたＩＰアドレステーブル１４は、ＨＤＤ４４のＩＰアドレステーブル記憶エリア４４５（図６参照）に記憶される（Ｓ１２）。次に、ＶＰＮアドレス取得処理を終了し、図１３に示すフローチャートに戻る。
【００７８】
具体例の場合には、図１２に示すＩＰアドレステーブル１４において、割り当てられていないＶＰＮアドレスである「１０．１００．０．１３」が取得されたとする（Ｓ１１）。そして、Ｓ１の処理（図１３参照）で受信され、Ｓ２の処理（図１３参照）によってＲＡＭ４３に記憶されたユーザＩＤ「０００００００１」と実ＩＰアドレス「１９２．１６８．１．１０」と、Ｓ１１の処理で取得されたＶＰＮアドレス「１０．１００．０．１３」とが対応付けられて、ＩＰアドレステーブル１４に追加登録される（Ｓ１２）。この追加登録されたＩＰアドレステーブル１４は、ＨＤＤ４４のＩＰアドレステーブル記憶エリア４４５に記憶される（Ｓ１２）。Ｓ１２の処理によって、ユーザＩＤ「０００００００１」と実ＩＰアドレス「１９２．１６８．１．１０」とＶＰＮアドレス「１０．１００．０．１３」とが追加登録された後のＩＰアドレステーブル１４を、図１５に示す。Ｓ１２の処理により、ＩＰアドレステーブル１４にユーザＩＤ、実ＩＰアドレス、及びＶＰＮアドレスが追加して登録されたら、ＶＰＮアドレス取得処理を終了し、図１３に示すフローチャートに戻る。
【００７９】
図１３に示すように、ＶＰＮアドレス取得処理（Ｓ５）が終了したら、次に、認証結果等が設定管理サーバ４から、第二クライアント端末３に送信される（Ｓ６）。Ｓ６の処理では、Ｓ４の処理によって取得されたＶＰＮ設定情報とＳＩＰ設定情報とデータＩＤと、Ｓ５の処理によって割り当てられたＶＰＮアドレスと、認証に成功したという認証結果のデータである認証成功データとが、設定管理サーバ４から第二クライアント端末３に送信される。そして、設定管理サーバ４のＣＰＵ４１による処理が終了される。なお、Ｓ６の処理によって送信された認証結果等は、第二クライアント端末３のＳ２４の処理（図１６参照）によって受信される。
【００８０】
具体例の場合には、Ｓ４の処理によって取得されたＶＰＮ設定情報である、ＶＰＮサーバ５のＩＰアドレス「２０２．２１３．ｘｘｘ．ｘｘｘ」、ＶＰＮサーバ５のポート番号「５００」、暗号化方式「ＤＥＳ」、暗号化鍵の方式「共通鍵方式」、暗号化キー値「ｆｋａｓｊｄｌａｆ」、及びその他のＶＰＮ設定情報が第二クライアント端末３に送信される（Ｓ６）。また、Ｓ４の処理によって取得されたＳＩＰ設定情報である、ＳＩＰサーバ６のＩＰアドレス「２０２．２１３．ｙｙｙ．ｙｙｙ」、ＳＩＰサーバ６のポート番号「５０６０」、内線番号「２０００００２１」、着信音データ「ｖｖｖ．ｗａｖ」、及びその他のＳＩＰ設定情報が第二クライアント端末３に送信される（Ｓ６）。また、Ｓ４の処理によって取得されたユーザＩＤ「００Ａ」が第二クライアント端末３に送信される（Ｓ６）。また、Ｓ５のＶＰＮアドレス取得処理において割り当てられたＶＰＮアドレスである「１０．１００．０．１３」が第二クライアント端末３に送信される（Ｓ６）。さらに、認証に成功したという認証結果のデータである認証成功データが第二クライアント端末３に送信される（Ｓ６）。なお、Ｓ６の処理により送信された認証結果等は、第二クライアント端末３のＳ２４の処理（図１６参照）によって受信される。
【００８１】
次に、第二クライアント端末３のＣＰＵ３１による処理について、図１６を参照して説明する。図１６に示すように第二クライアント端末３のＣＰＵ３１による処理では、まずユーザが認証情報を入力するための画面である認証情報入力画面がディスプレイ３８（図３参照）に表示される（Ｓ２１）。Ｓ２１の処理では、ＣＰＵ３１が入出力部３６を介してディスプレイ３８を制御して、認証情報入力画面をディスプレイ３８に表示させる。認証情報入力画面を表示するためのデータは、ＨＤＤ３４のプログラム記憶エリア３４１（図８参照）に記憶されている。認証情報入力画面は、ユーザがユーザＩＤとパスワードとを入力するための入力エリアと、ユーザがユーザＩＤとパスワードとを入力した後に設定管理サーバ４に接続するために押下するログインキーとで構成されている。  
【００８２】
次に、認証情報が入力され、ログインキーが押下されたか否かが判断される（Ｓ２２）。上述したように、認証情報は、ユーザＩＤ、及びパスワードであるとする。Ｓ２２の処理では、入力装置３７（図３参照）を介して、ユーザによって認証情報が入力され、ログインキーが押下されたか否かが判断される。ログインキーが押下されていない場合には（Ｓ２２：ＮＯ）、続いて、Ｓ２２に戻り処理が繰り返される。つまり、第二クライアント端末３は、ユーザによって認証情報が入力され、ログインキーが押下されるまで待機している。
【００８３】
認証情報が入力され、ログインキーが押下された場合には（Ｓ２２：ＹＥＳ）、続いて、第二クライアント端末３がインターネット網７を介して設定管理サーバ４に接続され、第二クライアント端末３の実ＩＰアドレスと、ユーザによって入力された認証情報とが、設定管理サーバ４に送信される（Ｓ２３）。
【００８４】
具体例の場合には、山田太郎さんは、出張先の支社で第二クライアント端末３を使用する。第二クライアント端末３のディスプレイ３８には、ユーザがユーザＩＤとパスワードを入力するための認証情報入力画面が表示される（Ｓ２１）。ユーザは山田太郎さんであり、山田太郎さんのユーザＩＤとパスワードはそれぞれ「０００００００１」と「ａｂｃｄｅｆ１２３」である。山田太郎さんは、ディスプレイ３８に表示された認証情報入力画面を確認しながら、入力装置３７を使用してユーザＩＤ「０００００００１」、及びパスワード「ａｂｃｄｅｆ１２３」を入力したとする。山田太郎さんによってユーザＩＤ、及びパスワードが入力され、ログインキーが押下されると（Ｓ２２：ＹＥＳ）、第二クライアント端末３がインターネット網７を介して設定管理サーバ４に接続される（Ｓ２３）。そして、第二クライアント端末３のＩＰアドレスである実ＩＰアドレス「１９２．１６８．１．１０」と、山田太郎さんによって入力されたユーザＩＤ「０００００００１」とパスワード「ａｂｃｄｅｆ１２３」とが、設定管理サーバ４に送信される（Ｓ２３）。
【００８５】
第二クライアント端末３の実ＩＰアドレスと、ユーザによって入力された認証情報とが、設定管理サーバ４に送信されたら（Ｓ２３）、次に、設定管理サーバ４から送信される認証結果等が受信されたか否かが判断される（Ｓ２４）。上述したように、設定管理サーバ４では、Ｓ２３の処理によって第二クライアント端末３から送信された認証情報に基づいて、認証が行われ（図１３のＳ３）、認証に失敗した場合は（Ｓ３：ＮＯ）、認証に失敗したという認証結果のデータである認証失敗データが設定管理サーバ４から、第二クライアント端末３に送信される（図１３のＳ７）。認証に成功した場合は（Ｓ３：ＹＥＳ）、第二クライアント端末３のＳ２３の処理によって送信されたユーザＩＤに基づいて、ＶＰＮ設定情報とＳＩＰ設定情報とデータＩＤとが取得される（図１３のＳ４）。また、第二クライアント端末３のＳ２３の処理によって送信された実ＩＰアドレスに基づいて、第二クライアント端末３がＶＰＮ８に接続するために必要となるＶＰＮ８上のＩＰアドレスであるＶＰＮアドレスが割り当てられる（図１４のＳ１１及びＳ１２参照）。そして、認証に成功したという認証結果のデータである認証成功データと、ＶＰＮアドレスとＶＰＮ設定情報とＳＩＰ設定情報とデータＩＤとが、設定管理サーバ４から第二クライアント端末３に送信される（図１３のＳ６参照）。図１６に示すＳ２４の処理では、設定管理サーバ４のＣＰＵ４１のＳ７の処理（図１３参照）によって送信された認証失敗データ、もしくは、設定管理サーバ４のＣＰＵ４１のＳ６の処理（図１３参照）により送信された認証成功データ、ＶＰＮ設定情報、ＳＩＰ設定情報、データＩＤ、及びＶＰＮアドレスが受信されたか否かが判断される。
【００８６】
設定管理サーバ４のＣＰＵ４１のＳ７の処理（図１３参照）によって送信された認証失敗データ、もしくは、設定管理サーバ４のＣＰＵ４１のＳ６の処理（図１３参照）によって送信された認証成功データ、ＶＰＮ設定情報、ＳＩＰ設定情報、データＩＤ、及びＶＰＮアドレスが受信されていない場合には（Ｓ２４：ＮＯ）、続いて、Ｓ２４に戻り処理が繰り返される。つまり、第二クライアント端末３は、認証失敗データ、もしくは、認証成功データ、ＶＰＮ設定情報、ＳＩＰ設定情報、データＩＤ、及びＶＰＮアドレスが受信されるまでは待機している。
【００８７】
設定管理サーバ４のＳ７の処理により送信された認証失敗データ、もしくは、設定管理サーバ４のＳ６の処理により送信された認証成功データ、ＶＰＮ設定情報、ＳＩＰ設定情報、データＩＤ、及びＶＰＮアドレスが受信された場合には（Ｓ２４：ＹＥＳ）、続いて、設定管理サーバ４による認証が成功したか否かが判断される（Ｓ２５）。Ｓ２５の処理では、設定管理サーバ４から送信された認証結果が、認証成功データであるか、認証失敗データであるかの判断が行われ、認証成功データであった場合には、認証が成功したと判断される。また、認証失敗データであった場合には、認証が失敗したと判断される。設定管理サーバ４から送信された認証結果が、認証失敗データであった場合には（Ｓ２５：ＮＯ）、第二クライアント端末３のＣＰＵ３１による処理が終了される。
【００８８】
設定管理サーバ４から送信された認証結果が、認証成功データであった場合には（Ｓ２５：ＹＥＳ）、続いて、ＶＰＮ設定情報、ＳＩＰ設定情報、データＩＤ、及びＶＰＮアドレスが第二クライアント端末３に設定される（Ｓ２６）。Ｓ２６の処理では、Ｓ２６で受信されたＶＰＮ設定情報、ＳＩＰ設定情報、データＩＤ、及びＶＰＮアドレスが、第二クライアント端末３のＨＤＤ３４の設定記憶エリア３４２（図８参照）に記憶される。これにより、ＶＰＮ設定情報、ＳＩＰ設定情報、データＩＤ、及びＶＰＮアドレスが第二クライアント端末３に設定される。
【００８９】
具体例の場合には、上述したように、設定管理サーバ４では、第二クライアント端末３のＳ２３の処理（図１６参照）によって第二クライアント端末３から設定管理サーバ４に送信された第二クライアント端末３の実ＩＰアドレスである「１９２．１６８．１．１０」と、ユーザＩＤ「０００００００１」とパスワード「ａｂｃｄｅｆ１２３」とに基づいて、ＶＰＮ設定情報とＳＩＰ設定情報とデータＩＤとが取得され（図１３のＳ４）、ＶＰＮアドレスが割り当てられる（図１４のＳ１１及びＳ１２）。そして、認証成功データ、ＶＰＮ設定情報、ＳＩＰ設定情報、データＩＤ、及びＶＰＮアドレスが、設定管理サーバ４から第二クライアント端末３に送信される（図１３のＳ６）。上述したように、設定管理サーバ４のＳ６の処理（図１３参照）によって第二クライアント端末３に送信されるＶＰＮ設定情報は、ＶＰＮサーバ５のＩＰアドレス「２０２．２１３．ｘｘｘ．ｘｘｘ」、ＶＰＮサーバ５のポート番号「５００」、暗号化方式「ＤＥＳ」、暗号化鍵の方式「共通鍵方式」、暗号化キー値「ｆｋａｓｊｄｌａｆ」、及びその他のＶＰＮ設定情報で構成されている。また、Ｓ６の処理（図１３参照）によって送信されるＳＩＰ設定情報は、ＳＩＰサーバ６のＩＰアドレス「２０２．２１３．ｙｙｙ．ｙｙｙ」、ＳＩＰサーバ６のポート番号「５０６０」、内線番号「２０００００２１」、着信音データ「ｖｖｖ．ｗａｖ」、及びその他のＳＩＰ設定情報で構成されている。また、Ｓ６の処理（図１３参照）によって送信されるデータＩＤは、「００Ａ」である。また、Ｓ６の処理（図１３参照）によって送信されるＶＰＮアドレスは、「１０．１００．０．１３」である。
【００９０】
図１６に示すように、具体例の場合に、設定管理サーバ４から送信された、認証成功データ、ＶＰＮ設定情報、ＳＩＰ設定情報、データＩＤ、及びＶＰＮアドレスが受信されると（Ｓ２４：ＹＥＳ）、続いて、認証成功データが受信されているので、認証が成功したと判断される（Ｓ２５：ＹＥＳ）。そして、ＶＰＮ設定情報、ＳＩＰ設定情報、データＩＤ、及びＶＰＮアドレスが第二クライアント端末３のＨＤＤ３４の設定記憶エリア３４２（図８参照）に記憶される（Ｓ２６）。これにより、ＶＰＮ設定情報、ＳＩＰ設定情報、データＩＤ、及びＶＰＮアドレスが第二クライアント端末３に設定される（Ｓ２６）。
【００９１】
ＶＰＮ設定情報、ＳＩＰ設定情報、データＩＤ、及びＶＰＮアドレスが第二クライアント端末３に設定されたら（Ｓ２６）、続いて、第二クライアント端末３はＶＰＮ設定情報に基づいてＶＰＮ８に接続される（Ｓ２７）。Ｓ２７の処理では、まず、Ｓ２６の処理で設定されたＶＰＮ設定情報のＶＰＮサーバ５のＩＰアドレス及びポート番号に基づいて、第二クライアント端末３が、インターネット網７を介して、ＶＰＮサーバ５に接続される（Ｓ２７）。そして、第二クライアント端末３は、ＶＰＮサーバ５のＣＰＵ５１のＳ４１の処理（図１７参照、後述）によって、ＶＰＮ設定情報とＶＰＮアドレスとに基づいて、ＶＰＮ８への接続が確立される（Ｓ２７）。つまり、ＶＰＮサーバ５によって、第二クライアント端末３のＶＰＮアドレスが認識され、ＶＰＮサーバ５と第二クライアント端末３とは、ＶＰＮ設定情報である暗号化方式、暗号化鍵の方式、及び暗号化キー値等に対応した通信を行う。なお、ＶＰＮサーバ５は、ＶＰＮ８を構築しており、第二クライアント端末３は、ＶＰＮ８を介して、ＶＰＮ設定情報に基づいて通信を行う。これにより、第二クライアント端末３は、ＶＰＮ８に接続された複数のクライアント端末や各種サーバとセキュリティーを担保した通信を行うことができる。Ｓ２４の処理で受信されたＶＰＮ設定情報は、本社の第一クライアント端末２がＶＰＮ８に接続する場合のＶＰＮ設定情報と同様の設定である。このため、支社の第二クライアント端末３は、本社の第一クライアント端末２と同様の設定で、ＶＰＮ８に接続される（Ｓ２７）。つまり、第二クライアント端末３は、例えば、第一クライアント端末２と同様の暗号化方式、暗号化鍵の方式、及び暗号化キー値等に基づいてＶＰＮ８に接続される。これにより、第二クライアント端末３は、第一クライアント端末２と同様の設定で、ＶＰＮ８上でセキュリティーを担保した通信を行うことができる。
【００９２】
具体例の場合には、Ｓ２４で受信されたＶＰＮ設定情報のＶＰＮサーバ５のＩＰアドレス「２０２．２１３．ｘｘｘ．ｘｘｘ」とＶＰＮサーバ５のポート番号「５００」とに基づいて、第二クライアント端末３が、インターネット網７を介して、ＶＰＮサーバ５に接続される（Ｓ２７）。そして、第二クライアント端末３は、ＶＰＮアドレス「１０．１００．０．１３」と、ＶＰＮ設定情報である暗号化方式「ＤＥＳ」と暗号化鍵の方式「共通鍵方式」と暗号化キー値「ｆｋａｓｊｄｌａｆ」とその他のＶＰＮ設定情報とに基づいて、ＶＰＮサーバ５の処理（図１７のＳ４１参照、後述）によって、ＶＰＮ８への接続が確立される（Ｓ２７）。ＶＰＮ設定情報である暗号化方式「ＤＥＳ」と暗号化鍵の方式「共通鍵方式」、暗号化キー値「ｆｋａｓｊｄｌａｆ」とその他のＶＰＮ設定情報とは、本社の第一クライアント端末２がＶＰＮ８に接続する場合のＶＰＮ設定情報と同様の設定である。このため、支社の第二クライアント端末３は、本社の第一クライアント端末２と同様の設定でＶＰＮ８に接続される（Ｓ２７）。つまり、山田太郎さんは、出張先の支社の第二クライアント端末３を使用して、普段使用していた本社の第一クライアント端末２と同様の設定で、ＶＰＮ８上で通信を行うことができる。
【００９３】
第二クライアント端末３が、ＶＰＮ８に接続されたら（Ｓ２７）、続いて、ＳＩＰ設定情報に基づいて、第二クライアント端末３がＶＰＮ８上でＳＩＰ通信可能にされる（Ｓ２８）。上述したように、ＶＰＮ８には、ＳＩＰサーバ６が接続されている。Ｓ２８の処理では、Ｓ２４の処理で受信されたＳＩＰ設定情報のＳＩＰサーバ６のＩＰアドレス及びポート番号に基づいて、第二クライアント端末３が、ＶＰＮ８上でＳＩＰサーバ６に接続される。そして、第二クライアント端末３は、ＳＩＰサーバ６の処理（図１８のＳ５１参照、後述）によって、ＳＩＰ設定情報に基づいて、ＳＩＰ通信可能にされる。Ｓ２４の処理で受信されたＳＩＰ設定情報は、本社の第一クライアント端末２がＳＩＰ通信を行う場合のＳＩＰ設定情報と同様の設定である。このため、支社の第二クライアント端末３は、本社の第一クライアント端末２と同様の設定でＳＩＰ通信可能にされる。つまり、第二クライアント端末３は、例えば、第一クライアント端末２と同様の内線番号、着信音データ等に設定されて、内線電話等のＳＩＰ通信をすることができる。これにより、ＶＰＮ８上でセキュリティーを担保しながら、ＳＩＰ通信を行うことができる。
【００９４】
具体例の場合には、Ｓ２４で受信されたＳＩＰ設定情報のＳＩＰサーバ６のＩＰアドレス「２０２．２１３．ｙｙｙ．ｙｙｙ」とＳＩＰサーバ６のポート番号「５０６０」とに基づいて、第二クライアント端末３が、ＶＰＮ８上でＳＩＰサーバ６に接続される（Ｓ２８）。そして、第二クライアント端末３は、ＳＩＰ設定情報である内線番号「２０００００２１」と着信音データ「ｖｖｖ．ｗａｖ」とその他のＳＩＰ設定情報とに基づいて、ＳＩＰサーバ６の処理（図１８のＳ５１参照、後述）によって、ＳＩＰ通信可能にされる（Ｓ２８）。ＳＩＰ設定情報である内線番号「２０００００２１」と着信音データ「ｖｖｖ．ｗａｖ」とその他のＳＩＰ設定情報とは、本社の第一クライアント端末２が、ＶＰＮ８上でＳＩＰ通信を行う場合のＳＩＰ設定情報と同様の設定である。このため、支社の第二クライアント端末３は、本社の第一クライアント端末２と同様の設定で、ＶＰＮ８上でＳＩＰ通信を行うことができる。これにより、第二クライアント端末３は、第一クライアント端末２と同様の内線番号「２０００００２１」に設定され、着信があった場合には、着信音データ「ｖｖｖ．ｗａｖ」が再生される。このように、山田太郎さんは、出張先の支社の第二クライアント端末３を使用して、普段使用していた本社の第一クライアント端末２と同様の設定で、ＶＰＮ８上でセキュリティーを担保しながら、ＳＩＰ通信を行うことができる。
【００９５】
第二クライアント端末３がＶＰＮ８上でＳＩＰ通信可能にされたら（Ｓ２８）、続いて、ＶＰＮ８との接続を切断する指示（以下、接続切断指示という。）があったか否かが判断される（Ｓ２９）。接続切断指示とは、例えば、ユーザによってＶＰＮ８への接続を切断するためのログアウトキーが押下された場合などである。接続切断指示があった場合には（Ｓ２９：ＹＥＳ）、ＶＰＮ８と第二クライアント端末３との接続が切断される（Ｓ３１）。そして、第二クライアント端末３のＣＰＵ３１による処理が終了される。
【００９６】
接続切断指示がなかった場合には（Ｓ２９：ＮＯ）、次に、第二クライアント端末３によるＶＰＮ８上での最後の通信から所定時間経過したか否かが判断される（Ｓ３０）。この所定時間は、例えばユーザが設定したり、ＶＰＮサーバ５が設定したりする時間である。所定時間経過していない場合には（Ｓ３０：ＮＯ）、続いて、Ｓ２９に戻り処理が繰り返される。つまり、接続切断指示がなく（Ｓ２９：ＮＯ）、第二クライアント端末３のＶＰＮ８上での最後の通信から所定時間経過していない場合は（Ｓ３０：ＮＯ）、第二クライアント端末３とＶＰＮ８との接続が維持される。
【００９７】
第二クライアント端末３によるＶＰＮ８上での最後の通信から所定時間経過した場合には（Ｓ３０：ＹＥＳ）、ＶＰＮ８と第二クライアント端末３との接続が切断される（Ｓ３１）。そして、第二クライアント端末３のＣＰＵ３１による処理が終了される。なお、ＶＰＮ８と第二クライアント端末３との接続が切断された場合、Ｓ１２の処理（図１４参照）によって、対応つけられてＩＰアドレステーブル１４（図１５参照）に登録されたユーザＩＤと実ＩＰアドレスとＶＰＮアドレスとがＩＰアドレステーブル１４から消去される。
【００９８】
具体例の場合には、接続切断指示がなく（Ｓ２９：ＮＯ）、第二クライアント端末３のＶＰＮ８上での最後の通信から所定時間経過していない場合は（Ｓ３０：ＮＯ）、ＶＰＮ８との接続が維持される。そして、ユーザによって、第二クライアント端末３に接続切断指示が入力されると（Ｓ２９：ＹＥＳ）、ＶＰＮ８と第二クライアント端末３との接続が切断される（Ｓ３１）。そして、第二クライアント端末３のＣＰＵ３１による処理が終了される。なお、ＶＰＮ８と第二クライアント端末３との接続が切断された場合、ＩＰアドレステーブル１４（図１５参照）に対応付けられて登録されている、ユーザＩＤ「０００００００１」と実ＩＰアドレス「１９２．１６８．１．１０」とＶＰＮアドレス「１０．１００．０．１３」とが、ＩＰアドレステーブル１４から消去される。
【００９９】
次に、ＶＰＮサーバ５のＣＰＵ５１（図４参照）による処理について、図１７を参照して説明する。図１７に示すように、ＶＰＮサーバ５のＣＰＵ５１による処理では、第二クライアント端末３のＶＰＮ８への接続を確立させる（Ｓ４１）。上述したように第二クライアント端末３は、インターネット網７を介して、ＶＰＮサーバ５に接続される（図１６のＳ２７参照）。Ｓ４１の処理では、第二クライアント端末３がＶＰＮサーバ５に接続された場合、ＶＰＮサーバ５は、第二クライアント端末３をＶＰＮ設定情報とＶＰＮアドレスとに基づいてＶＰＮ８に接続させる（Ｓ４１及び図１６のＳ２７）。つまり、ＶＰＮサーバ５は、第二クライアント端末３のＶＰＮアドレスを認識し、ＶＰＮ設定情報である暗号化方式、暗号化鍵の方式、及び暗号化キー値等に基づいて、第二クライアント端末３と通信を行う。これにより、第二クライアント端末３のＶＰＮ８への接続が確立される。そして、第二クライアント端末３は、第一クライアント端末２と同様の設定で、ＶＰＮ８上でセキュリティーを担保した通信を行うことができる。なお、上述したように、ＶＰＮサーバ５は、ＶＰＮ８を構築しており、第二クライアント端末３は、ＶＰＮ８を介して、ＶＰＮ設定情報に基づいて通信を行う。これにより、第二クライアント端末３は、ＶＰＮ８に接続された複数のクライアント端末や各種サーバとセキュリティーを担保した通信を行うことができる。
【０１００】
具体例の場合では、第二クライアント端末３がＶＰＮサーバ５に接続された場合（図１６のＳ２７）、ＶＰＮサーバ５は、第二クライアント端末３のＶＰＮアドレス「１０．１００．０．１３」を認識し、ＶＰＮ設定情報である暗号化方式「ＤＥＳ」と暗号化鍵の方式「共通鍵方式」と暗号化キー値「ｆｋａｓｊｄｌａｆ」とその他のＶＰＮ設定情報とに基づいて、第二クライアント端末３と通信を行う。これにより、第二クライアント端末３とＶＰＮ８との接続が確立させる（Ｓ４１）。ＶＰＮ設定情報である暗号化方式「ＤＥＳ」と暗号化鍵の方式「共通鍵方式」と暗号化キー値「ｆｋａｓｊｄｌａｆ」とその他のＶＰＮ設定情報とは、本社の第一クライアント端末２がＶＰＮ８に接続する場合の設定と同様である。このため、山田太郎さんは、出張先の支社の第二クライアント端末３を使用して、普段使用していた本社の第一クライアント端末２と同様の設定で、ＶＰＮ８上で通信を行うことができる。
【０１０１】
次に、ＳＩＰサーバ６のＣＰＵ６１（図５参照）による処理について、図１８を参照して説明する。図１８に示すように、ＳＩＰサーバ６のＣＰＵ６１による処理では、第二クライアント端末３をＶＰＮ８上でＳＩＰ通信可能にする（Ｓ５１）。なお、ＳＩＰサーバ６もＶＰＮ８に接続されている。上述したように、第二クライアント端末３は、ＳＩＰ設定情報のＳＩＰサーバ６のＩＰアドレス及びポート番号に基づいて、ＶＰＮ８上でＳＩＰサーバ６に接続される（図１６のＳ２８）。Ｓ５１の処理では、第二クライアント端末３がＳＩＰサーバ６に接続された場合、第二クライアント端末３を、ＳＩＰ設定情報に基づいてＳＩＰ通信可能にする。つまり、第二クライアント端末３のＳＩＰ通信が確立される。これにより、第二クライアント端末３は、第一クライアント端末２と同様の設定で、ＶＰＮ８上でＳＩＰ通信を行うことができる。
【０１０２】
具体例の場合において、第二クライアント端末３がＳＩＰサーバ６に接続された場合（図１６のＳ２８）、ＳＩＰサーバ６は、ＳＩＰ設定情報である内線番号「２０００００２１」と、着信音データ「ｖｖｖ．ｗａｖ」と、その他のＳＩＰ設定情報とに基づいて、第二クライアント端末３とＶＰＮ８上でＳＩＰ通信を行う。つまり、第二クライアント端末３のＳＩＰ通信が確立される。これにより、第二クライアント端末３は、ＶＰＮ８上でセキュリティーを担保された上で、第一クライアント端末２と同様の設定で内線電話等のＳＩＰ通信を行うことができる。
【０１０３】
以上の構成により、第二クライアント端末３は、ＶＰＮ８上でセキュリティーを担保された上で、第一クライアント端末２と同様の設定でＳＩＰ通信を行うことができる。上述したＣＰＵ３１とＣＰＵ４１とＣＰＵ５１とＣＰＵ６１との処理によって、ユーザが使用したことがなかった第二クライアント端末３が、ユーザが普段使用していた第一クライアント端末２と同様に設定される。
【０１０４】
次に、一度ＶＰＮ８と第二クライアント端末３とが接続され、その後接続が終了された場合に、再びＶＰＮ８上でＳＩＰ通信を行う場合、つまり、第二クライアント端末３がＶＰＮ８上でＳＩＰ通信を行うのが２回目以降の場合について図１９を参照して説明する。なお、すでに説明した処理と同じ処理のステップは同一の番号で示し、説明は省略する。
【０１０５】
図１９に示すように、ＶＰＮ８上でＳＩＰ通信を行うのが２回目以降の場合における、第二クライアント端末３のＣＰＵ３１の処理では、まず、第二クライアント端末３がインターネット網７を介して設定管理サーバ４に接続され、第二クライアント端末３の実ＩＰアドレスと、認証情報とが、設定管理サーバ４に送信される（Ｓ２３）。つまり、ユーザが、ユーザＩＤとパスワードとの認証情報を再び入力する必要がない。なお、設定管理サーバ４に送付される認証情報は、図１６のＳ２２の処理において入力された認証情報、つまり１回目にＶＰＮ８上でＳＩＰ通信を行う際に入力された認証情報が利用される。１回目に入力された認証情報が利用されること以外は、上述のＳ２３の処理と同様なので、詳細の説明は省略する。また、第二クライアント端末３の実ＩＰアドレスと、認証情報とが、設定管理サーバ４に送信された後の設定管理サーバ４の処理は、図１３のＳ１〜Ｓ７の処理と同様なので説明は省略する。なお、ＶＰＮアドレスは、図１４のＳ１１の処理によって新たに取得され、Ｓ１２の処理によって、ユーザＩＤと実ＩＰアドレスとＶＰＮアドレスとが対応付けられてＩＰアドレステーブル１４に登録される
【０１０６】
第二クライアント端末３の実ＩＰアドレスと、認証情報とが、設定管理サーバ４に送信されたら（Ｓ２３）、次に、設定管理サーバ４から送信される認証結果等が受信されたか否かが判断される（Ｓ２４）。Ｓ２４の処理は、上述した図１６のＳ２４の処理と同様なので説明は省略する。設定管理サーバ４から送信される認証結果等が受信されていない場合には（Ｓ２４：ＮＯ）、続いてＳ２４に戻り処理を繰り返す。つまり、認証結果等が受信されるまで待機している。
【０１０７】
設定管理サーバ４から送信される認証結果等が受信された場合には（Ｓ２４：ＹＥＳ）、続いて認証が成功したか否かが判断される（Ｓ２５）。Ｓ２５の処理は、上述した図１６のＳ２５の処理と同様なので説明は省略する。設定管理サーバ４から送信された認証結果が、認証失敗データであった場合には（Ｓ２５：ＮＯ）、第二クライアント端末２３のＣＰＵ３１による処理が終了される。
【０１０８】
設定管理サーバ４から送信された認証結果が、認証成功データであった場合には（Ｓ２５：ＹＥＳ）、続いて、データＩＤが一致するか否かが判断される（Ｓ３５）。Ｓ３５の処理では、第二クライアント端末３のＨＤＤ３４の設定記憶エリア３４２（図８参照）に設定されているデータＩＤと、図１９のＳ２４の処理によって受信されたデータＩＤとが一致するか否かが判断される（Ｓ３５）。上述したように、ユーザが設定したＶＰＮ設定情報とＳＩＰ設定情報とには、データＩＤが割り当てられる。そして、ユーザにより、ＶＰＮ設定情報又はＳＩＰ設定情報が変更された場合には、データＩＤが新たに割り当てられる。つまりデータＩＤが更新される。例えば、第二クライアント端末３以外のクライアント端末によって、設定管理サーバ４のＨＤＤ４４に記憶されているＶＰＮ設定情報又はＳＩＰ設定情報が変更された場合、データＩＤが更新される。このため、次に第二クライアント端末３を使用した場合、Ｓ３５の処理によって、データＩＤが一致していないと判断される（Ｓ３５：ＮＯ）。また、ＶＰＮ設定情報又はＳＩＰ設定情報が変更されていない場合には、データＩＤが更新されることはない。このため、第二クライアント端末３を使用した場合、データＩＤが一致していると判断される（Ｓ３５：ＹＥＳ）。このように、データＩＤが一致するか否かを判断することで、ＶＰＮ設定情報とＳＩＰ設定情報とが変更されたか否かを判断することができる。
【０１０９】
第二クライアント端末３のＨＤＤ３４の設定記憶エリア３４２（図８参照）に設定されているデータＩＤと、図１９のＳ２４の処理によって受信されたデータＩＤとが一致しない場合には（Ｓ３５：ＮＯ）、続いて、ＶＰＮ設定情報、ＳＩＰ設定情報、ＶＰＮアドレス、及びデータＩＤがＨＤＤ３４の設定記憶エリア３４２（図８参照）に設定される（Ｓ２６）、つまり、ＶＰＮ設定情報、ＳＩＰ設定情報、ＶＰＮアドレス、及びデータＩＤが更新される。これにより、第二クライアント端末３の設定記憶エリア３４２に記憶されているＶＰＮ設定情報、ＳＩＰ設定情報、ＶＰＮアドレス、及びデータＩＤが、設定管理サーバ４のＨＤＤ４４に記憶されているＶＰＮ設定情報、ＳＩＰ設定情報、ＶＰＮアドレス、及びデータＩＤと同じ設定になる。Ｓ２６の処理は、図１６のＳ２６の処理と同様なので、詳細の説明は省略する。次に、設定記憶エリア３４２に記憶されたＶＰＮ設定情報とＶＰＮアドレスとに基づいて、ＶＰＮ８に接続され（Ｓ２７）、さらに、ＳＩＰ設定情報に基づいてＳＩＰ通信可能にされる（Ｓ２８）。Ｓ２７とＳ２８との処理は、上述した図１６のＳ２７とＳ２８との処理と同様なので、説明は省略する。
【０１１０】
Ｓ３５の処理において、第二クライアント端末３のＨＤＤ３４の設定記憶エリア３４２（図８参照）に設定されているデータＩＤと、図１９のＳ２４の処理によって受信されたデータＩＤとが一致する場合には（Ｓ３５：ＹＥＳ）、続いて、第二クライアント端末３のＨＤＤ３４の設定記憶エリア３４２に記憶されているＶＰＮアドレスが更新される（Ｓ３６）。つまり、ＶＰＮ設定情報、ＳＩＰ設定情報、及びデータＩＤは更新されず、ＶＰＮアドレスのみが更新される（Ｓ３６）。次に、設定記憶エリア３４２に記憶されているＶＰＮ設定情報とＶＰＮアドレスとに基づいて、ＶＰＮ８に接続され（Ｓ２７）、さらに、ＳＩＰ設定情報に基づいてＳＩＰ通信可能にされる（Ｓ２８）。つまり、ＶＰＮ設定情報とＳＩＰ設定情報とが更新されることなく、設定記憶エリア３４２にすでに登録されているＳＩＰ設定情報とＶＰＮ設定情報と、Ｓ３６の処理で更新されたＶＰＮアドレスとに基づいて、ＶＰＮ８上でＳＩＰ通信可能にされる。
【０１１１】
第二クライアント端末３がＶＰＮ８上でＳＩＰ通信可能にされたら（Ｓ２８）、接続切断指示があったか否かが判断される（Ｓ２９）。接続切断指示があった場合には（Ｓ２９：ＹＥＳ）、ＶＰＮ８と第二クライアント端末３との接続が切断される（Ｓ３１）。そして、第二クライアント端末３のＣＰＵ３１による処理が終了される。
【０１１２】
接続切断指示がなかった場合には（Ｓ２９：ＮＯ）、次に、第二クライアント端末３によるＶＰＮ８上での最後の通信から所定時間経過したか否かが判断される（Ｓ３０）。所定時間経過していない場合には（Ｓ３０：ＮＯ）、続いて、Ｓ２９に戻り処理が繰り返される。つまり、接続切断指示がなく（Ｓ２９：ＮＯ）、第二クライアント端末３のＶＰＮ８上での最後の通信から所定時間経過していない場合は（Ｓ３０：ＮＯ）、第二クライアント端末３とＶＰＮ８との接続が維持される。
【０１１３】
第二クライアント端末３によるＶＰＮ８上での最後の通信から所定時間経過した場合には（Ｓ３０：ＹＥＳ）、ＶＰＮ８と第二クライアント端末３との接続が切断される（Ｓ３１）。そして、第二クライアント端末３のＣＰＵ３１による処理が終了される。Ｓ２９〜Ｓ３１の処理は、図１６のＳ２９〜Ｓ３１と同様の処理である。なお、ＶＰＮ８と第二クライアント端末３との接続が切断された場合、Ｓ１２の処理（図１４参照）によって、対応つけられてＩＰアドレステーブル１４に登録されたユーザＩＤと実ＩＰアドレスとＶＰＮアドレスとがＩＰアドレステーブル１４から消去される。
【０１１４】
具体例の場合においては、ユーザがユーザＩＤとパスワードとを新たに入力することなく、第二クライアント端末３がインターネット網７を介して設定管理サーバ４に接続され、第二クライアント端末３の実ＩＰアドレス「１９２．１６８．２．２０」と、一回目にＶＰＮ８に接続した際に入力したユーザＩＤ「０００００００１」とパスワード「ａｂｃｄｅｆ１２３」とが、設定管理サーバ４に送信される（Ｓ２３）。設定管理サーバ４の処理はＳ１〜Ｓ７の処理と同様なので説明は省略する。なお、ＶＰＮアドレスは、新たに割り当てられるが、ここではＶＰＮアドレス「１０．１００．０．１４」が割り当てられ、ユーザＩＤと実ＩＰアドレスとに対応付けられて、ＩＰアドレステーブル１４に登録されたとする。
【０１１５】
次に、設定管理サーバ４から送信される認証結果等が受信されたか否かが判断される（Ｓ２４）。設定管理サーバ４から送信される認証結果等が受信された場合には（Ｓ２４：ＹＥＳ）、続いて認証が成功したか否かが判断される（Ｓ２５）。
【０１１６】
具体例の場合は、設定管理サーバ２４から送信された認証結果が、認証成功データであるので（Ｓ２５：ＹＥＳ）、続いてデータＩＤが一致するか否かが判断される（Ｓ３５）。具体例の場合は、ＶＰＮ設定情報及びＳＩＰ設定情報が変更されていないとする。このため、Ｓ２４の処理によって受信されるデータＩＤ「００Ａ」は変更されていない。したがって、Ｓ３５の処理では、第二クライアント端末３のＨＤＤ３４の設定記憶エリア３４２（図８参照）に設定されているデータＩＤ「００Ａ」と、Ｓ２４の処理によって受信されたデータＩＤ「００Ａ」とが一致すると判断される（Ｓ３５：ＹＥＳ）。
【０１１７】
次に、第二クライアント端末３のＨＤＤ３４の設定記憶エリア３４２に記憶されているＶＰＮアドレスが「１０．１００．０．１３」から「１０．１００．０．１４」に更新される（Ｓ３６）。つまり、ＶＰＮ設定情報、ＳＩＰ設定情報、及びデータＩＤは更新されず、ＶＰＮアドレスのみが更新される（Ｓ３６）。次に、設定記憶エリア３４２に記憶されているＶＰＮ設定情報とＶＰＮアドレスとに基づいて、ＶＰＮ８に接続され（Ｓ２７）、さらに、ＳＩＰ設定情報に基づいてＳＩＰ通信可能にされる（Ｓ２８）。図１９のＳ２７とＳ２８の処理は、ＶＰＮアドレスが「１０．１００．０．１４」に変更されていること以外は、図１６のＳ２７とＳ２８の処理と同様なので、詳細の説明は省略する。
【０１１８】
次に、接続切断指示がなく（Ｓ２９：ＮＯ）、第二クライアント端末３のＶＰＮ８上での最後の通信から所定時間経過していない場合は（Ｓ３０：ＮＯ）、ＶＰＮ８との接続が維持される。そして、ユーザによって、第二クライアント端末３に接続切断指示が入力されると（Ｓ２９：ＹＥＳ）、ＶＰＮ８と第二クライアント端末３との接続が切断される（Ｓ３１）。そして、第二クライアント端末３のＣＰＵ３１による処理が終了される。なお、ＶＰＮ８と第二クライアント端末３との接続が切断された場合、ＩＰアドレステーブル１４に対応付けられて登録されている、ユーザＩＤ「０００００００１」と実ＩＰアドレス「１９２．１６８．１．１０」とＶＰＮアドレス「１０．１００．０．１４」とが、ＩＰアドレステーブル１４から消去される。
【０１１９】
以上説明したように、第二クライアント端末３がＶＰＮ８上でＳＩＰ通信を行うのが２回目以降の場合には、パスワードとユーザＩＤとをユーザが入力する必要がない。また、設定管理サーバ４に記憶されているＶＰＮ設定情報とＳＩＰ設定情報とが変更されていない場合には（Ｓ３５：ＹＥＳ）、ＶＰＮ設定情報とＳＩＰ設定情報とデータＩＤとが更新されず、ＶＰＮアドレスのみ更新される（Ｓ３６）。そして、第二クライアント端末３の設定記憶エリア３４２にすでに登録されているＳＩＰ設定情報とＶＰＮ設定情報と、Ｓ３６の処理で更新されたＶＰＮアドレスとに基づいて、ＶＰＮ８上でＳＩＰ通信可能にされる。
【０１２０】
また、設定管理サーバ４に記憶されているＶＰＮ設定情報とＳＩＰ設定情報とが変更されている場合には（Ｓ３５：ＮＯ）、第二クライアント端末３の設定記憶エリア３４２に記憶されているＶＰＮ設定情報、ＳＩＰ設定情報、ＶＰＮアドレス、及びデータＩＤが、設定管理サーバ４のＨＤＤ４４に記憶されているＶＰＮ設定情報、ＳＩＰ設定情報、ＶＰＮアドレス、及びデータＩＤと同じ設定になるように更新される。そして、更新されたＳＩＰ設定情報とＶＰＮ設定情報とＶＰＮアドレスとに基づいて、ＶＰＮ８上でＳＩＰ通信可能にされる。
【０１２１】
上述したように、本実施の形態における通信システム１では、ユーザがユーザＩＤやパスワード等の認証情報を入力するだけで、自動的に、普段使用していた第一クライアント端末２と同様の設定で、ＶＰＮ８上でＳＩＰ通信を行うように設定がなされる。このため、ユーザが第二クライアント端末３に、第一クライアント端末２と同様の設定を手動で行う必要がない。また、第二クライアント端末３がＶＰＮ８上でＳＩＰ通信を行うのが２回目以降の場合には、パスワードとユーザＩＤとをユーザが入力する必要がない。
【０１２２】
なお、本実施の形態に示される構成は例示であり、本発明は各種の変形が可能なことはいうまでもない。例えば、本実施の形態では、ＳＩＰサーバ６を備え、第二クライアント端末３はＶＰＮ８上でＳＩＰ通信を行うように設定されていたが、第二クライアント端末３がＳＩＰ通信を行わない場合は、ＳＩＰサーバ６を削除してもよい。この場合、設定管理サーバ４はＳＩＰ設定情報を記憶しておく必要がない。また、第一クライアント端末２は本社に設置され、第二クライアント端末３は支社に設置されていたがこれに限定されない。例えば、本社で新しいクライアント端末を購入した場合でも、本実施の形態における第二クライアント端末３と同様の処理によって、ＶＰＮ８上でＳＩＰ通信を行うことができる。また、第一クライアント端末２及び第二クライアント端末３の設置場所は限定されず、例えばユーザの自宅等でもよい。また、データＩＤとその他の各種情報とを同時に設定管理サーバ４から送信し（図１６のＳ６参照）、第二クライアント端末３で受信していたが、ＶＰＮ設定情報とＳＩＰ設定情報とを送信せず、データＩＤを設定管理サーバ４から第二クライアント端末３に送信し、第二クライアント端末３でデータＩＤが更新されていることと判断された場合にのみ、ＶＰＮ設定情報とＳＩＰ設定情報とを設定管理サーバ４から第二クライアント端末３に送信するようにしてもよい。つまり、設定管理サーバ４に記憶されているＶＰＮ設定情報とＳＩＰ設定情報とが変更されていない場合には、第二クライアント端末３は、ＶＰＮ設定情報とＳＩＰ設定情報とを設定管理サーバ４からダウンロードしないようにすることもできる。
【０１２３】
次に、本実施の第二の実施の形態における通信システム２１について説明する。なお、本実施の形態において、第一実施形態と同様の構成については、第一実施形態と同様の番号で表し、説明は省略する。
【０１２４】
本実施の形態においては、説明のため、以下のような条件とする。ユーザの会社の本社には、第一クライアント端末２が設置されている。ユーザは、普段は第一クライアント端末２を使用して、ＶＰＮ８上でＳＩＰ通信を行っている。このため、ユーザは、第一クライアント端末２を使用して、ＶＰＮ８上でＳＩＰ通信を行うための種々の設定情報を、第一クライアント端末２、設定管理サーバ２４（後述）、ＶＰＮサーバ５、ＳＩＰ設定管理サーバ２７（後述）、及びＳＩＰサーバ６に予め設定している。第一クライアント端末２は、ＶＰＮ８上でＳＩＰ通信を行えるように、ＶＰＮ８に接続されている。なお、ユーザは、第一クライアント端末２を使用して、ＶＰＮ設定情報、ユーザＩＤ、及びパスワード等を設定管理サーバ２４のＨＤＤ４４０（図２３参照、後述）に記憶させている。また、ユーザは、第一クライアント端末２を使用して、ＳＩＰ設定情報をＳＩＰ設定管理サーバ２７のＨＤＤ２７４（図２４参照、後述）に記憶させている。
【０１２５】
ユーザの会社の支社には、第二クライアント端末２３が設置されている。ユーザは第二クライアント端末２３を使用したことがないので、最初は、第一クライアント端末２と同様の設定によってＶＰＮ８上でＳＩＰ通信を行うことができない。
【０１２６】
第二の実施の形態では、上記のような条件において、ユーザが支社に出張し、支社の第二クライアント端末２３を用いて、本社の第一クライアント端末２と同様の設定で、ＶＰＮ８上でＳＩＰ通信ができるようにする場合について説明する。
【０１２７】
まず、図２０を参照し、本発明の第二の実施の形態における通信システム２１のシステム構成について説明する。図２０に示すように、通信システム２１は、第一クライアント端末２、第二クライアント端末２３、設定管理サーバ２４、ＶＰＮサーバ５、ＳＩＰ設定管理サーバ２７、及びＳＩＰサーバ６から構成されている。なお、第一クライアント端末２、ＶＰＮサーバ５、及びＳＩＰサーバ６は、第一の実施の形態と同様である。
【０１２８】
本実施の第二の実施の形態における通信システム２１には、インターネット網７が設けられている。また、第一の実施の形態と同様にＶＰＮサーバ５により構築されたＶＰＮ８が設けられている。インターネット網７には、設定管理サーバ２４が接続されている。また、ＶＰＮ８を構築するＶＰＮサーバ５は、ＶＰＮ８及びインターネット網７に接続されている。ＶＰＮ８には、後述するＳＩＰ設定管理サーバ２７が接続されている。さらに、ＶＰＮ８には、各クライアント端末がＳＩＰ通信を行うことを可能にするためのＳＩＰサーバ６が接続されている。
【０１２９】
ユーザが第二クライアント端末２３を使用して、第一クライアント端末２と同様の設定で、ＶＰＮ８上でＳＩＰ通信をする場合、図２０に示すように、まず、第二クライアント端末２３は、インターネット網７を介して、設定管理サーバ２４に接続される。第二クライアント端末２３は、第二クライアント端末２３のＩＰアドレスである実ＩＰアドレスと、ユーザによって入力された、設定管理サーバ２４がユーザを特定するためのＩＤであるユーザＩＤや、パスワード等を設定管理サーバ２４に送信する。
【０１３０】
設定管理サーバ２４は、第二クライアント端末２３がＶＰＮ８に接続するために必要な設定情報であるＶＰＮ設定情報と認証情報とＳＩＰ設定管理サーバ２７のＩＰアドレスとＳＩＰ設定管理サーバ２７のポート番号とを記憶している。以下、このＳＩＰ設定管理サーバ２７のＩＰアドレスとＳＩＰ設定管理サーバ２７のポート番号とを「ＳＩＰ設定管理サーバ接続情報」という。なお、ＶＰＮ設定情報と認証情報とは、ユーザが本社の第一クライアント端末２を使用して予め設定した設定情報である。設定管理サーバ２４は、第二クライアント端末２３から送信された実ＩＰアドレスと認証情報とに基づいて、第二クライアント端末２３がＶＰＮ８に接続するために必要となるＶＰＮ８上のＩＰアドレスであるＶＰＮアドレスと、ＶＰＮ設定情報と、ＳＩＰ設定管理サーバ接続情報とを第二クライアント端末２３に送信する。ＶＰＮアドレスとＶＰＮ設定情報とは第一の実施形態と同様である。
【０１３１】
ＶＰＮアドレスとＶＰＮ設定情報とＳＩＰ設定管理サーバ接続情報とを受信した第二クライアント端末２３は、ＶＰＮ設定情報に基づいて、インターネット網７を介してＶＰＮサーバ５に接続される。ＶＰＮサーバ５は、第一の実施の形態と同様であるので、説明は省略する。ＶＰＮサーバ５は、第二クライアント端末２３をＶＰＮ８に接続させる。
【０１３２】
ＶＰＮ８に接続された第二クライアント端末２３は、ＳＩＰ設定管理サーバ接続情報に基づいて、ＶＰＮ８上でＳＩＰ設定管理サーバ２７に接続される。そして、ユーザＩＤが第二クライアント端末２３からＳＩＰ設定管理サーバ２７に送信される。ＳＩＰ設定管理サーバ２７は、ＳＩＰ設定情報を記憶している。ＳＩＰ設定管理サーバ２７は、第二クライアント端末２３から送信されたユーザＩＤに基づいて、ＳＩＰ設定情報を第二クライアント端末２３に送信する。
【０１３３】
ＳＩＰ設定情報を受信した第二クライアント端末２３は、ＳＩＰ設定情報に基づいて、ＶＰＮ８上でＳＩＰサーバ６に接続される。ＳＩＰサーバ６は、第一の実施の形態と同様に、第二クライアント端末２３をＳＩＰ通信可能にする。これにより、第二クライアント端末２３は、ＶＰＮ８に接続された状態でＳＩＰ通信を行うことができる。これにより、ユーザは、第二クライアント端末２３を使用して、第一クライアント端末２と同様の設定で、ＶＰＮ８上でセキュリティーを担保しながら、ＳＩＰ通信を行うことができる。
【０１３４】
次に図２１を参照して、設定管理サーバ２４の電気的構成について説明する。図２１において、ＣＰＵ４１、ＲＯＭ４２、ＲＡＭ４３、バス４５、インターネットＩ／Ｆ４６、ＬＡＮポート４７は、第一の実施の形態の設定管理サーバ４の電気的構成（図２参照）と同様であるので説明を省略する。図２１に示すように、設定管理サーバ２４は、プログラムや各種データ等が記憶される記憶素子であるハードディスク（ＨＤＤ）４４０を備えている。ＣＰＵ４１と、ＲＯＭ４２、ＲＡＭ４３、及びＨＤＤ４４０とはバス４５を介して電気的に接続されている。
【０１３５】
次に、図２２を参照し、ＳＩＰ設定管理サーバ２７の電気的構成について説明する。図２２に示すように、ＳＩＰ設定管理サーバ２７は、ＳＩＰ設定管理サーバ２７にて実行される各処理の制御を司るＣＰＵ２７１、ＣＰＵ２７１にて実行される処理のための各種データ等が記憶される不揮発性記憶素子であるＲＯＭ２７２、ＣＰＵ２７１が処理を実行するために必要となる一時的な記憶領域を提供する為の揮発性記憶素子であるＲＡＭ２７３、及びプログラムやＳＩＰ設定テーブル１３（図１１参照）等が記憶される記憶素子であるハードディスク（ＨＤＤ）２７４を備えている。そして、ＣＰＵ２７１によってＲＯＭ２７２、ＲＡＭ２７３、及びＨＤＤ２７４の記憶領域にアクセスすることが可能なように、ＣＰＵ２７１と、ＲＯＭ２７２、ＲＡＭ２７３、及びＨＤＤ２７４とはバス２７５を介して電気的に接続されている。また、ＳＩＰ設定管理サーバ２７は、ＶＰＮ８を介して通信を行うための通信Ｉ／Ｆ２７６を備えている。そして、通信Ｉ／Ｆ２７６には、ＬＡＮポート２７７が電気的に接続されている。ＬＡＮポート２７７は、ＶＰＮ８を介して、第一クライアント端末２、第二クライアント端末２３、ＶＰＮサーバ５、及びＳＩＰサーバ６等との通信を行うために設けられている。そして、ＣＰＵ２７１により送受信される各種データを、ＶＰＮ８を介して、第一クライアント端末２、第二クライアント端末２３、及びＶＰＮサーバ５等と送受信することができるように、ＣＰＵ２７１と通信Ｉ／Ｆ２７６とはバス２７５を介して電気的に接続されている。
【０１３６】
第二クライアント端末２３の電気的構成は、第一の実施の形態における第二クライアント端末３の電気的構成（図３参照）と同様であるので、説明は省略する。また、ＶＰＮサーバ５の電気的構成とＳＩＰサーバ６の電気的構成は、第一の実施の形態と同様であるので、説明は省略する（図４及び図５参照）。なお、第二クライアント端末２３及びＶＰＮサーバ５の電気的構成は、インターネット網７及びＶＰＮ８に接続された、各クライアント端末や各種サーバ等に接続できるように構成されている。また、ＳＩＰサーバ６の電気的構成は、ＶＰＮ８に接続された各クライアント端末や各種サーバ等に接続できるように構成されている。
【０１３７】
次に、図２３を参照して、設定管理サーバ２４のＨＤＤ４４０（図２１参照）に設けられている記憶エリアについて説明する。図２３に示すように、ＨＤＤ４４０には、プログラム記憶エリア４４１、ユーザテーブル記憶エリア４４２、ＶＰＮ設定テーブル記憶エリア４４３、ＩＰアドレステーブル記憶エリア４４５、接続情報記憶エリア４４６、第二データＩＤ記憶エリア４４８、及びその他の記憶エリアが設けられている。つまり、第一の実施の形態における設定管理サーバ４のＨＤＤ４４に設けられた記憶エリア（図６参照）と比較すると、ＳＩＰ設定テーブル記憶エリア４４４とデータＩＤ記憶エリア４４７とが削除され、接続情報記憶エリア４４６と第二データＩＤ記憶エリア４４８が追加されている。接続情報記憶エリア４４６には、ＳＩＰ設定管理サーバ接続情報であるＳＩＰ設定管理サーバ２７のＩＰアドレスとポート番号とが記憶されている。また、第二データＩＤ記憶エリア４４８には、後述する第二データＩＤが記憶されている。プログラム記憶エリア４４１、ユーザテーブル記憶エリア４４２、ＶＰＮ設定テーブル記憶エリア４４３、ＩＰアドレステーブル記憶エリア４４５、及びその他の記憶エリアは、第一実施形態におけるＨＤＤ４４に設けられた各記憶エリア（図６参照）と同様であるので、説明は省略する。
【０１３８】
第二クライアント端末２３のＨＤＤ３４（図３参照）に設けられている記憶エリアは、第一の実施の形態の第二クライアント端末３のＨＤＤ３４と同様である（図８参照）。ただし、ＨＤＤ３４の設定記憶エリア３４２（図８参照）には、ＶＰＮ設定情報、ＳＩＰ設定情報、ＶＰＮアドレスに加えて、第二データＩＤと、後述する第三データＩＤと、ＳＩＰ設定管理サーバ接続情報であるＳＩＰ設定管理サーバ２７のＩＰアドレスと、ポート番号とが記憶される。詳細は後述するが、設定記憶エリア３４２に記憶されるこれらの情報は、設定管理サーバ２４とＳＩＰ設定管理サーバ２７とから第二クライアント端末２３に送信される。
【０１３９】
次に、図２４を参照して、ＳＩＰ設定管理サーバ２７のＨＤＤ２７４（図２２参照）に設けられている記憶エリアについて説明する。図２４に示すように、ＨＤＤ２７４には、プログラム記憶エリア２７４１、第二ＳＩＰ設定テーブル記憶エリア２７４２、第三データＩＤ記憶エリア２７４３、及びその他の記憶エリアが設けられている。
【０１４０】
これらのエリアのうち、プログラム記憶エリア２７４１には、ＳＩＰ設定管理サーバ２７のＣＰＵ２７１（図２２参照）が各種の処理等を実行するためのプログラムデータが記憶されている。また、第二ＳＩＰ設定テーブル記憶エリア２７４２には、図１１に示すＳＩＰ設定テーブル１３が記憶されている。また、第三データＩＤ記憶エリア２７４３には、後述する第三データＩＤが記憶されている。
【０１４１】
次に、各種データテーブルについて、説明する。図９に示すユーザテーブル１１は、設定管理サーバ２４のＨＤＤ４４０のユーザテーブル記憶エリア４４２（図２３参照）に記憶されている。また、図１０に示すＶＰＮ設定テーブル１２は、設定管理サーバ２４のＨＤＤ４４０のＶＰＮ設定テーブル記憶エリア４４３（図２３参照）に記憶されている。また、図１２に示すＩＰアドレステーブル１４は、設定管理サーバ２４のＨＤＤ４４０のＩＰアドレステーブル記憶エリア４４５（図２３参照）に記憶されている。また、図１１に示すＳＩＰ設定テーブル１３は、ＳＩＰ設定管理サーバ２７のＨＤＤ２７４の第二ＳＩＰ設定テーブル記憶エリア２７４２（図２４参照）に記憶されている。上述の各種データテーブルの構成は、第一の実施の形態の場合と同様なので、説明は省略する。
【０１４２】
次に、第二データＩＤについて説明する。設定されたＶＰＮ設定情報とＳＩＰ設定管理サーバ接続情報とには、第二データＩＤが対応付けられている。第二データＩＤは、ＶＰＮ設定情報とＳＩＰ設定管理サーバ接続情報とが新たに設定された場合に設定管理サーバ２４によって割り当てられる。また、第二データＩＤは、ＶＰＮ設定情報とＳＩＰ設定管理サーバ接続情報とが変更された場合に設定管理サーバ２４によって、新たに割り当てられる。つまり、第二データＩＤが更新される。クライアント端末は、この第二データＩＤを確認することで、ＶＰＮ設定情報とＳＩＰ設定管理サーバ接続情報とが変更されたか否かを判断することができる（図２８のＳ９６参照、後述）。なお、第二データＩＤは、設定管理サーバ２４のＨＤＤ４４０の第二データＩＤ記憶エリア４４８（図２３参照）に記憶されている。
【０１４３】
次に、第三データＩＤについて説明する。設定されたＳＩＰ設定情報には、第三データＩＤが対応付けられている。第三データＩＤは、ＳＩＰ設定情報が新たに設定された場合にＳＩＰ設定管理サーバ２７によって割り当てられる。また、第三データＩＤは、ＳＩＰ設定情報が変更された場合にＳＩＰ設定管理サーバ２７によって、新たに割り当てられる。つまり、第三データＩＤが更新される。クライアント端末は、この第三データＩＤを確認することで、ＳＩＰ設定情報が変更されたか否かを判断することができる（図２８のＳ９８参照、後述）。なお、第三データＩＤは、ＳＩＰ設定管理サーバ２７のＨＤＤ２７４の第三データＩＤ記憶エリア２７４３（図２４参照）に記憶されている。
【０１４４】
次に、具体例を示しながら、フローチャートを参照して、第二の実施の形態に係る通信システム２１による処理について説明する。ここでは、設定管理サーバ２４のＣＰＵ４１による処理、第二クライアント端末２３のＣＰＵ３１による処理、ＳＩＰ設定管理サーバ２７のＣＰＵ２７１による処理に分けて順次説明する。
【０１４５】
なお、ＶＰＮサーバ５のＣＰＵ５１による処理、及びＳＩＰサーバ６のＣＰＵ６１による処理は、第一の実施の形態と同一であるので、説明は省略する（図１７及び図１８参照）。
【０１４６】
具体例として、以下のような条件であるとする。上述した第一クライアント端末２と第二クライアント端末２３を使用するユーザは山田太郎さんであるとする。つまり、第一クライアント端末２は、山田太郎さんの会社の本社にあり、第二クライアント端末２３は、山田太郎さんの会社の支社にあるとする。ユーザである山田太郎さんは、普段は会社の本社で第一クライアント端末２を使用している。そして、山田太郎さんは、本社の第一クライアント端末２を使用して、ＶＰＮ８上で、内線電話等のＳＩＰ通信を行っているとする。つまり、山田太郎さんは、本社の第一クライアント端末２を使用して、ＶＰＮ８上でＳＩＰ通信を行うための各種の設定情報を設定済みであるとする。しかし、山田太郎さんは、支社の第二クライアント端末２３を使用したことがないとする。このため、第二クライアント端末２３は、ＶＰＮ８上でＳＩＰ通信ができるようには設定されていない。このような条件において、山田太郎さんが支社に出張に行き、支社の第二クライアント端末２３を用いて、本社の第一クライアント端末２と同様の設定で、ＶＰＮ８上でＳＩＰ通信を行うことができるようにする場合について説明する。また、ＶＰＮ８上でのＳＩＰ通信後、山田太郎さんによって、第二クライアント端末３に接続切断指示が入力され、第二クライアント端末３のＶＰＮ８への接続が終了される場合について説明する。さらに、一旦ＶＰＮ８への接続が終了された後に、各種の設定情報が変更されないまま、再びＶＰＮ８へ接続する場合について説明する。
【０１４７】
なお、具体例において、第二クライアント端末２３の実ＩＰアドレスは、「１９２．１６８．１．１０」であるとする。また、山田太郎さんは、本社の第一クライアント端末２を使用して、図９に示すユーザテーブル１１において、ユーザＩＤ「０００００００１」、パスワード「ａｂｃｄｅｆ１２３」、氏名「山田太郎」、及びユーザに関するその他の情報を登録しているとする。また、図１０に示すＶＰＮ設定テーブル１２において、ユーザＩＤ「０００００００１」、ＶＰＮサーバ５のＩＰアドレス「２０２．２１３．ｘｘｘ．ｘｘｘ」、ＶＰＮサーバ５のポート番号「５００」、暗号化方式「ＤＥＳ」、暗号化鍵の方式「共通鍵方式」、暗号化キー値「ｆｋａｓｊｄｌａｆ」、及びその他のＶＰＮ設定情報を登録しているとする。また、図１１に示すＳＩＰ設定テーブル１３において、ユーザＩＤ「０００００００１」、ＳＩＰサーバ６のＩＰアドレス「２０２．２１３．ｙｙｙ．ｙｙｙ」、ＳＩＰサーバ６のポート番号「５０６０」、クライアント端末の内線番号「２０００００２１」、着信音データ「ｖｖｖ．ｗａｖ」、及びその他のＳＩＰ設定情報を登録しているとする。また、山田太郎さんは、本社の第一クライアント端末２を使用して、ＳＩＰ設定管理サーバ接続情報であるＳＩＰ設定管理サーバ２７のＩＰアドレス「２０２．２１３．ｚｚｚ．ｚｚｚ」とポート番号「４０００」とを、設定管理サーバ２４のＨＤＤ４４０の接続情報記憶エリア４４６（図２３参照）に記憶させているとする。なお、ＳＩＰ設定管理サーバ２７のＩＰアドレスに用いた「ｚ」は、ＳＩＰ設定管理サーバ２７のＩＰアドレスを表す数字であるが、ここでは、「ｚ」と置き換えて表示している。また、山田太郎さんが登録したＶＰＮ設定情報とＳＩＰ設定管理サーバ接続情報とに対応付けられて、設定管理サーバ４によって設定された第二データＩＤは「００Ｂ」であるとする。また、山田太郎さんが登録したＳＩＰ設定情報に対応付けられて、ＳＩＰ設定管理サーバ２７によって設定された第三データＩＤは「００Ｃ」であるとする。
【０１４８】
まず、設定管理サーバ２４のＣＰＵ４１による処理について、図２５を参照して説明する。なお、設定管理サーバ２４のＣＰＵ４１、ＲＯＭ４２、ＲＡＭ４３、バス４５、インターネットＩ／Ｆ４６、及びＬＡＮポート４７については、第一の実施の形態における設定管理サーバ４の構成と同様であるので、以下においては説明を省略または簡略している。また、図２５に示すＣＰＵ４１による処理についてのフローチャートのプログラムは、ＨＤＤ４４０のプログラム記憶エリア４４１（図２３参照）に記憶されている。
【０１４９】
図２５に示すように、設定管理サーバ２４のＣＰＵ４１による処理では、まず、ユーザの認証情報と、第二クライアント端末２３のＩＰアドレスである実ＩＰアドレスとが受信されたか否かが判断される（Ｓ６１）。なお、ユーザの認証情報と第二クライアント端末２３の実ＩＰアドレスとは、第二クライアント端末２３のＳ８３の処理（図２７参照、後述）によって、第二クライアント端末２３から設定管理サーバ２４に送信される。
【０１５０】
ユーザの認証情報と、第二クライアント端末２３の実ＩＰアドレスとが受信されていない場合には（Ｓ６１：ＮＯ）、次にＳ６１に戻り処理が繰り返される。つまり、設定管理サーバ２４のＣＰＵ４１は、ユーザの認証情報と第二クライアント端末２３の実ＩＰアドレスとが受信されるまで待機している。
【０１５１】
ユーザの認証情報と、第二クライアント端末２３の実ＩＰアドレスとが受信された場合には（Ｓ６１：ＹＥＳ）、続いて、受信された実ＩＰアドレスがＲＡＭ４３（図２１参照）の実ＩＰアドレス記憶エリア４３１（図７参照）に記憶され（Ｓ６２）、認証情報がＲＡＭ４３の認証情報記憶エリア４３２（図７参照）に記憶される（Ｓ６２）。
【０１５２】
具体例の場合では、山田太郎さんによって、第二クライアント端末２３に認証情報が入力されると（図２７のＳ８２参照、後述）、第二クライアント端末２３の実ＩＰアドレスである「１９２．１６８．１．１０」と、山田太郎さんが入力した認証情報であるユーザＩＤ「０００００００１」とパスワード「ａｂｃｄｅｆ１２３」とが第二クライアント端末２３から設定管理サーバ２４に送信される（図２７のＳ８３参照、後述）。そして、第二クライアント端末２３から送信された実ＩＰアドレスと認証情報とが設定管理サーバ２４によって受信される（Ｓ６１：ＹＥＳ）。設定管理サーバ２４によって受信された実ＩＰアドレス「１９２．１６８、１．１０」はＲＡＭ４３の実ＩＰアドレス記憶エリア４３１（図７参照）に記憶され（Ｓ６２）、ユーザＩＤ「０００００００１」とパスワード「ａｂｃｄｅｆ１２３」とはＲＡＭ４３の認証情報記憶エリア４３２（図７参照）に記憶される（Ｓ６２）。
【０１５３】
次に、認証が成功したか否かが判断される（Ｓ６３）。Ｓ６３の処理では、ＨＤＤ４４０のユーザテーブル記憶エリア４４２（図２３参照）に記憶されているユーザテーブル１１（図９参照）がＣＰＵ４１によって読み出される。そして、Ｓ６２の処理によってＲＡＭ４３の認証情報記憶エリア４３２（図７参照）に記憶されたユーザＩＤとパスワードとが、ユーザテーブル１１に登録されているユーザＩＤとパスワードとに一致した場合には認証が成功したと判断され（Ｓ６３：ＹＥＳ）、一致しなかった場合は認証が失敗したと判断される（Ｓ６３：ＮＯ）。
【０１５４】
認証が失敗したと判断された場合（Ｓ６３：ＮＯ）、続いて、認証に失敗したという認証結果のデータである認証失敗データが設定管理サーバ２４から、第二クライアント端末２３に送信される（Ｓ６７）。そして、設定管理サーバ２４による処理が終了される。
【０１５５】
認証が成功したと判断された場合には（Ｓ６３：ＹＥＳ）、続いて、ＶＰＮ設定情報と、ＳＩＰ設定管理サーバ接続情報と、第二データＩＤとが取得される（Ｓ６４）。Ｓ６４の処理では、ＨＤＤ４４０のＶＰＮ設定テーブル記憶エリア４４３（図２３参照）に記憶されているＶＰＮ設定テーブル１２（図１０参照）に登録されているＶＰＮ設定情報のうち、Ｓ６２の処理によってＲＡＭ４３の認証情報記憶エリア４３２に記憶されたユーザＩＤと同一のユーザＩＤに対応付けられているＶＰＮ設定情報が取得される。
【０１５６】
また、Ｓ６４の処理では、ＨＤＤ４４０の接続情報記憶エリア４４６（図２３参照）に記憶されているＳＩＰ設定管理サーバ接続情報が取得される。また、Ｓ６４の処理では、ＨＤＤ４４０の第二データＩＤ記憶エリア４４８に記憶されている第二データＩＤが取得される。
【０１５７】
具体例の場合には、Ｓ６２の処理によってＲＡＭ４３の認証情報記憶エリア４３２に記憶された認証情報は、ユーザＩＤ「０００００００１」及びパスワード「ａｂｃｄｅｆ１２３」である。ユーザテーブル１１（図９参照）には、山田太郎さんが、本社の第一クライアント端末２を使用して登録した、ユーザＩＤ「０００００００１」、パスワード「ａｂｃｄｅｆ１２３」、氏名「山田太郎」、及びユーザに関するその他の情報が登録されている。したがって、Ｓ６２の処理によってＲＡＭ４３の認証情報記憶エリア４３２に記憶されたユーザＩＤ及びパスワードと、ユーザテーブル１１（図９参照）のユーザＩＤ及びパスワードとが一致する。このため、認証に成功したと判断される（Ｓ６３：ＹＥＳ）。そして、ＨＤＤ４４０のＶＰＮ設定テーブル記憶エリア４４３（図２３参照）に記憶されているＶＰＮ設定テーブル１２（図１０参照）に登録されているＶＰＮ設定情報のうち、Ｓ６２の処理によってＲＡＭ４３の認証情報記憶エリア４３２に記憶されたユーザＩＤ「０００００００１」と同一のユーザＩＤに対応付けられたＶＰＮ設定情報が取得される。つまり、図１０におけるユーザＩＤ「０００００００１」に対応付けられた、ＶＰＮサーバ５のＩＰアドレス「２０２．２１３．ｘｘｘ．ｘｘｘ」、ＶＰＮサーバ５のポート番号「５００」、暗号化方式「ＤＥＳ」、暗号化鍵の方式「共通鍵方式」、暗号化キー値「ｆｋａｓｊｄｌａｆ」、及びその他のＶＰＮ設定情報が取得される。（Ｓ６４）。
【０１５８】
また、ＨＤＤ４４０の接続情報記憶エリア４４６（図２３参照）に記憶されているＳＩＰ設定管理サーバ接続情報であるＳＩＰ設定管理サーバ２７のＩＰアドレス「２０２．２１３．ｚｚｚ．ｚｚｚ」とポート番号「４０００」とが取得される（Ｓ６４）。また、ＨＤＤ４４０の第二データＩＤ記憶エリア４４８に記憶されている第二データＩＤ「００Ｂ」が取得される（Ｓ６４）。
【０１５９】
ＶＰＮ設定情報とＳＩＰ設定管理サーバ接続情報と第二データＩＤとが取得されたら（Ｓ６４）、次に、ＶＰＮアドレス取得処理が実行される（Ｓ６５）。Ｓ６５のＶＰＮアドレス取得処理は、第一の実施の形態における図１４に示すＶＰＮアドレス取得処理と同様である。このため説明は省略する。ただし、第二の実施の形態において、ＩＰアドレステーブル１４（図１２参照）は、ＨＤＤ４４０のＩＰアドレステーブル記憶エリア４４５に記憶されている。Ｓ６５の処理では、ＨＤＤ４４０のＩＰアドレステーブル記憶エリア４４５に記憶されたＩＰアドレステーブル１４に基づいて、ＶＰＮアドレスが取得され（図１４のＳ１１参照）、ＩＰアドレステーブル１４に登録される（図１４のＳ１２参照）。
【０１６０】
具体例の場合において、図１４に示すＶＰＮアドレス取得処理について説明する。具体例の場合には、図１２に示すＩＰアドレステーブル１４において、割り当てられていないＶＰＮアドレスである「１０．１００．０．１３」が取得されたとする（図１４のＳ１１）。そして、Ｓ６２の処理（図２５参照）によってＲＡＭ４３に記憶されたユーザＩＤ「０００００００１」と実ＩＰアドレス「１９２．１６８．１．１０」と、Ｓ１１の処理で取得されたＶＰＮアドレス「１０．１００．０．１３」とが対応付けられて、ＩＰアドレステーブル１４に追加登録される（図１４のＳ１２）。Ｓ１２の処理によって、ユーザＩＤ「０００００００１」と実ＩＰアドレス「１９２．１６８．１．１０」とＶＰＮアドレス「１０．１００．０．１３」とが追加登録された後のＩＰアドレステーブル１４を、図１５に示す。
【０１６１】
図２５に示すように、ＶＰＮアドレス取得処理（Ｓ６５）が終了したら、次に、認証結果等が設定管理サーバ２４から、第二クライアント端末２３に送信される（Ｓ６６）。Ｓ６６の処理では、Ｓ６４の処理によって取得されたＶＰＮ設定情報とＳＩＰ設定管理サーバ接続情報と第二データＩＤと、Ｓ６５の処理によって割り当てられたＶＰＮアドレスと、認証に成功したという認証結果のデータである認証成功データとが、設定管理サーバ２４から第二クライアント端末２３に送信される。そして、設定管理サーバ２４のＣＰＵ４１による処理が終了される。なお、詳細は後述するが、Ｓ６６の処理で送信された認証結果等は、第二クライアント端末２３のＳ８４の処理（図２７参照）によって受信される。
【０１６２】
具体例の場合には、Ｓ６４の処理によって取得されたＶＰＮ設定情報である、ＶＰＮサーバ５のＩＰアドレス「２０２．２１３．ｘｘｘ．ｘｘｘ」、ＶＰＮサーバ５のポート番号「５００」、暗号化方式「ＤＥＳ」、暗号化鍵の方式「共通鍵方式」、暗号化キー値「ｆｋａｓｊｄｌａｆ」、及びその他のＶＰＮ設定情報が第二クライアント端末２３に送信される（Ｓ６６）。また、Ｓ６４の処理によって取得されたＳＩＰ設定管理サーバ接続情報であるＳＩＰ設定管理サーバ２７のＩＰアドレス「２０２．２１３．ｚｚｚ．ｚｚｚ」とポート番号「４０００」とが第二クライアント端末２３に送信される（Ｓ６６）。また、Ｓ６４の処理によって取得された第二データＩＤ「００Ｂ」が第二クライアント端末に送信される（Ｓ６６）。また、Ｓ６５のＶＰＮアドレス取得処理において割り当てられたＶＰＮアドレスである「１０．１００．０．１３」が第二クライアント端末２３に送信される（Ｓ６６）。さらに、認証に成功したという認証結果のデータである認証成功データが第二クライアント端末２３に送信される（Ｓ６６）。
【０１６３】
次に、ＳＩＰ設定管理サーバ２７のＣＰＵ２７１（図２２参照）による処理について、図２６を参照して説明する。図２６に示すＣＰＵ２７１による処理についてのフローチャートのプログラムは、ＨＤＤ２７４（図２２参照）のプログラム記憶エリア２７４１（図２４参照）に記憶されている。
【０１６４】
図２６に示すように、ＳＩＰ設定管理サーバ２７のＣＰＵ２７１による処理では、まず、ユーザＩＤが受信されたか否かが判断される（Ｓ１０１）。詳細は後述するが、第二クライアント端末２３のＳ８９の処理（図２７参照）によって、ユーザＩＤが第二クライアント端末２３からＳＩＰ設定管理サーバ２７に送信される。Ｓ１０１の処理では、第二クライアント端末２３から送信されたユーザＩＤが、ＳＩＰ設定管理サーバ２７に受信されたか否かが判断される。ユーザＩＤが受信されていない場合には（Ｓ１０１：ＮＯ）、続いて、Ｓ１０１に戻り処理が繰り返される。つまり、ユーザＩＤが受信されるまで待機している。
【０１６５】
ユーザＩＤが受信された場合には（Ｓ１０１：ＹＥＳ）、続いて、ＳＩＰ設定情報と第三データＩＤとが取得される（Ｓ１０２）。Ｓ１０２の処理では、ＨＤＤ２７４（図２２参照）の第二ＳＩＰ設定テーブル記憶エリア２７４２（図２４参照）に記憶されているＳＩＰ設定テーブル１３（図１１参照）に登録されているＳＩＰ設定情報のうち、Ｓ１０１の処理により受信されたユーザＩＤと同一のユーザＩＤに対応付けられたＳＩＰ設定情報が取得される。また、Ｓ１０２の処理では、第三データＩＤ記憶エリア２７４３（図２４参照）に記憶されている第三データＩＤが取得される。
【０１６６】
次に、Ｓ１０２の処理によって取得されたＳＩＰ設定情報と第三データＩＤとが、第二クライアント端末２３に送信される（Ｓ１０３）。そして、ＳＩＰ設定管理サーバ２７のＣＰＵ２７１による処理が終了される。なお、詳細は後述するが、Ｓ１０３の処理によって第二クライアント端末２３に送信されたＳＩＰ設定情報と第三データＩＤとは、第二クライアント端末２３のＳ９０の処理（図２７参照）によって受信される。
【０１６７】
具体例の場合には、図２６に示すように、まず、第二クライアント端末２３からユーザＩＤ「０００００００１」が送信され（図２７のＳ８９参照、後述）、ＳＩＰ設定管理サーバ２７において受信される（Ｓ１０１：ＹＥＳ）。次に、ＳＩＰ設定テーブル１３（図１１参照）に登録されているＳＩＰ設定情報のうち、ユーザＩＤ「０００００００１」と同一のユーザＩＤに対応付けられたＳＩＰ設定情報が取得される（Ｓ１０２）。つまり、図１１におけるユーザＩＤ「０００００００１」に対応付けられた、ＳＩＰサーバ６のＩＰアドレス「２０２．２１３．ｙｙｙ．ｙｙｙ」、ＳＩＰサーバ６のポート番号「５０６０」、内線番号「２０００００２１」、着信音データ「ｖｖｖ．ｗａｖ」、及びその他のＳＩＰ設定情報が取得される（Ｓ１０２）。また、このＳＩＰ設定情報に対応付けられ、第三データＩＤ記憶エリア２７４３（図２４参照）に記憶されている第三データＩＤ「００Ｃ」が取得される（Ｓ１０２）次に、Ｓ１０２の処理によって取得されたＳＩＰ設定情報と第三データＩＤとが第二クライアント端末２３に送信される（Ｓ１０３）。
【０１６８】
次に、第二クライアント端末２３のＣＰＵ３１による処理について、図２７を参照して説明する。図２７に示すように第二クライアント端末２３のＣＰＵ３１による処理では、まず、認証情報入力画面がディスプレイ３８（図３参照）に表示される（Ｓ８１）。認証情報入力画面については、第一の実施の形態と同様なので説明は省略する。
【０１６９】
次に、認証情報が入力され、ログインキーが押下されたか否かが判断される（Ｓ８２）。認証情報は、ユーザＩＤ、及びパスワードである。ユーザによって認証情報が入力され、ログインキーが押下されていない場合には（Ｓ８２：ＮＯ）、続いて、Ｓ８２に戻り処理が繰り返される。つまり、第二クライアント端末２３は、ユーザによって認証情報が入力され、ログインキーが押下されるまで待機している。
【０１７０】
認証情報が入力され、ログインキーが押下された場合には（Ｓ８２：ＹＥＳ）、続いて、第二クライアント端末２３の実ＩＰアドレスと、ユーザによって入力された認証情報とが、設定管理サーバ２４に送信される（Ｓ８３）。
【０１７１】
具体例の場合には、山田太郎さんは、出張先の支社で第二クライアント端末２３を使用する。第二クライアント端末２３のディスプレイ３８には、認証情報入力画面が表示される（Ｓ８１）。ユーザは山田太郎さんであり、山田太郎さんのユーザＩＤとパスワードはそれぞれ「０００００００１」と「ａｂｃｄｅｆ１２３」である。山田太郎さんは、ディスプレイ３８に表示された認証情報入力画面を確認しながら、入力装置３７を使用してユーザＩＤ「０００００００１」、及びパスワード「ａｂｃｄｅｆ１２３」を入力したとする。山田太郎さんによってユーザＩＤ、及びパスワードが入力され、ログインキーが押下されると（Ｓ８２：ＹＥＳ）、第二クライアント端末２３のＩＰアドレスである実ＩＰアドレス「１９２．１６８．１．１０」と、山田太郎さんによって入力されたユーザＩＤ「０００００００１」とパスワード「ａｂｃｄｅｆ１２３」とが、設定管理サーバ２４に送信される（Ｓ８３）。
【０１７２】
第二クライアント端末２３の実ＩＰアドレスと、ユーザによって入力された認証情報とが、設定管理サーバ２４に送信されたら（Ｓ８３）、次に、設定管理サーバ２４から送信される認証結果等が受信されたか否かが判断される（Ｓ８４）。上述したように、設定管理サーバ２４では、Ｓ８３の処理によって第二クライアント端末２３から送信された認証情報に基づいて、認証が行われ（図２５のＳ６３）、認証に失敗した場合は（図２５のＳ６３：ＮＯ）、認証に失敗したという認証結果のデータである認証失敗データが設定管理サーバ２４から、第二クライアント端末２３に送信される（図２５のＳ６７）。認証に成功した場合は（Ｓ６３：ＹＥＳ）、第二クライアント端末２３のＳ８３の処理によって送信されたユーザＩＤに基づいて、ＶＰＮ設定情報とＳＩＰ設定管理サーバ接続情報と第二データＩＤとが取得される（図２５のＳ６４）。また、第二クライアント端末２３のＳ８３の処理によって送信された実ＩＰアドレスに基づいて、第二クライアント端末２３がＶＰＮ８に接続するために必要となるＶＰＮ８上のＩＰアドレスであるＶＰＮアドレスが割り当てられる（図１４のＳ１１及びＳ１２参照）。そして、認証に成功したという認証結果のデータである認証成功データと、ＶＰＮアドレスとＶＰＮ設定情報とＳＩＰ設定管理サーバ接続情報と第二データＩＤとが、設定管理サーバ２４から第二クライアント端末２３に送信される（図２５のＳ６６参照）。図２７に示すＳ８４の処理では、設定管理サーバ２４のＣＰＵ４１のＳ６７の処理（図２５参照）によって送信された認証失敗データ、もしくは、設定管理サーバ２４のＣＰＵ４１のＳ６６の処理（図２５参照）によって送信された認証成功データ、ＶＰＮ設定情報、ＶＰＮアドレス、ＳＩＰ設定管理サーバ接続情報、及び第二データＩＤが受信されたか否かが判断される。
【０１７３】
設定管理サーバ２４のＣＰＵ４１のＳ６７の処理（図２５参照）によって送信された認証失敗データ、もしくは、設定管理サーバ２４のＣＰＵ４１のＳ６６の処理（図２５参照）によって送信された認証成功データ、ＶＰＮ設定情報、ＶＰＮアドレス、ＳＩＰ設定管理サーバ接続情報、及び第二データＩＤが受信されていない場合には（Ｓ８４：ＮＯ）、続いて、Ｓ８４に戻り処理が繰り返される。つまり、第二クライアント端末２３は、認証失敗データ、もしくは、認証成功データ、ＶＰＮ設定情報、ＶＰＮアドレス、ＳＩＰ設定管理サーバ接続情報、及び第二データＩＤが受信されるまでは待機している。
【０１７４】
設定管理サーバ２４のＳ６７の処理によって送信された認証失敗データ、もしくは、設定管理サーバ２４のＳ６６の処理によって送信された認証成功データ、ＶＰＮ設定情報、ＶＰＮアドレス、ＳＩＰ設定管理サーバ接続情報、及び第二データＩＤが受信された場合には（Ｓ８４：ＹＥＳ）、続いて、図２７に示すように、設定管理サーバ２４による認証が成功したか否かが判断される（Ｓ８５）。Ｓ８５の処理では、設定管理サーバ２４から送信された認証結果が、認証成功データであるか、認証失敗データであるかの判断が行われ、認証成功データであった場合には、認証が成功したと判断される。また、認証失敗データであった場合には、認証が失敗したと判断される。設定管理サーバ２４から送信された認証結果が、認証失敗データであった場合には（Ｓ８５：ＮＯ）、第二クライアント端末２３のＣＰＵ３１による処理が終了される。
【０１７５】
設定管理サーバ２４から送信された認証結果が、認証成功データであった場合には（Ｓ８５：ＹＥＳ）、続いて、ＶＰＮ設定情報、ＶＰＮアドレス、ＳＩＰ設定管理サーバ接続情報、及び第二データＩＤが第二クライアント端末２３に設定される（Ｓ８６）。Ｓ８６の処理では、Ｓ８４で受信されたＶＰＮ設定情報、ＶＰＮアドレス、ＳＩＰ設定管理サーバ接続情報、及び第二データＩＤが、第二クライアント端末２３のＨＤＤ３４の設定記憶エリア３４２（図８参照）に記憶される。これにより、ＶＰＮ設定情報、ＶＰＮアドレス、ＳＩＰ設定管理サーバ接続情報、及び第二データＩＤが第二クライアント端末２３に設定される。
【０１７６】
具体例の場合には、上述したように、設定管理サーバ２４では、第二クライアント端末２３のＳ８３の処理によって第二クライアント端末２３から設定管理サーバ２４に送信された第二クライアント端末２３の実ＩＰアドレスである「１９２．１６８．１．１０」と、ユーザＩＤ「０００００００１」とパスワード「ａｂｃｄｅｆ１２３」とに基づいて、ＶＰＮ設定情報、ＳＩＰ設定管理サーバ接続情報、及び第二データＩＤが取得され（図２５のＳ６４）、ＶＰＮアドレスが割り当てられる（図１４のＳ１１及びＳ１２参照）。そして、認証成功データ、ＶＰＮ設定情報、ＶＰＮアドレス、ＳＩＰ設定管理サーバ接続情報、及び第二データＩＤが、設定管理サーバ２４から第二クライアント端末２３に送信される（図２５のＳ６６）。上述したように、設定管理サーバ２４のＳ６６の処理（図２５参照）によって第二クライアント端末２３に送信されるＶＰＮ設定情報は、ＶＰＮサーバ５のＩＰアドレス「２０２．２１３．ｘｘｘ．ｘｘｘ」、ＶＰＮサーバ５のポート番号「５００」、暗号化方式「ＤＥＳ」、暗号化鍵の方式「共通鍵方式」、暗号化キー値「ｆｋａｓｊｄｌａｆ」、及びその他のＶＰＮ設定情報で構成されている。また、Ｓ６６の処理（図２５参照）によって、第二クライアント端末２３に送信されるＳＩＰ設定管理サーバ接続情報であるＳＩＰ設定管理サーバ２７のＩＰアドレスは「２０２．２１３．ｚｚｚ．ｚｚｚ」であり、ＳＩＰ設定管理サーバ２７のポート番号は「４０００」である。また、Ｓ６６の処理によって送信されるＶＰＮアドレスは、「１０．１００．０．１３」である。また、Ｓ６６の処理によって送信される第二データＩＤは「００Ｂ」である。
【０１７７】
図２７に示すように、具体例の場合に、設定管理サーバ２４から送信された、認証成功データ、ＶＰＮ設定情報、ＶＰＮアドレス、ＳＩＰ設定管理サーバ接続情報、及び第二データＩＤが受信されると（Ｓ８４：ＹＥＳ）、続いて、認証成功データが受信されているので、認証が成功したと判断される（Ｓ８５：ＹＥＳ）。そして、ＶＰＮ設定情報、ＶＰＮアドレス、ＳＩＰ設定管理サーバ接続情報、第二データＩＤが第二クライアント端末２３のＨＤＤ３４の設定記憶エリア３４２（図８参照）に記憶される（Ｓ８６）。これにより、ＶＰＮ設定情報、ＶＰＮアドレス、ＳＩＰ設定管理サーバ接続情報、及び第二データＩＤが第二クライアント端末２３に設定される（Ｓ８６）。
【０１７８】
ＶＰＮ設定情報、ＶＰＮアドレス、ＳＩＰ設定管理サーバ接続情報、及び第二データＩＤが第二クライアント端末２３に設定されたら（Ｓ８６）、続いて、第二クライアント端末２３はＶＰＮ設定情報に基づいてＶＰＮ８に接続される（Ｓ８７）。Ｓ８７の処理では、まず、Ｓ８６の処理で設定されたＶＰＮ設定情報のＶＰＮサーバ５のＩＰアドレス及びポート番号に基づいて、第二クライアント端末２３が、インターネット網７を介して、ＶＰＮサーバ５に接続される。そして、第二クライアント端末２３は、ＶＰＮサーバ５のＣＰＵ５１のＳ４１の処理（図１７参照）によって、ＶＰＮ設定情報とＶＰＮアドレスとに基づいて、ＶＰＮ８への接続が確立される（Ｓ８７）。つまり、ＶＰＮサーバ５によって、第二クライアント端末２３のＶＰＮアドレスが認識され、ＶＰＮサーバ５と第二クライアント端末２３とは、ＶＰＮ設定情報である暗号化方式、暗号化鍵の方式、及び暗号化キー値等に対応した通信を行う。なお、ＶＰＮサーバ５は、ＶＰＮ８を構築しており、第二クライアント端末２３は、ＶＰＮ８を介して、ＶＰＮ設定情報に基づいて通信を行う。これにより、第二クライアント端末２３は、ＶＰＮ８に接続された複数のクライアント端末や各種サーバとセキュリティーを担保した通信を行うことができる。Ｓ８４の処理で受信されたＶＰＮ設定情報は、本社の第一クライアント端末２がＶＰＮ８に接続する場合のＶＰＮ設定情報と同様の設定である。このため、支社の第二クライアント端末２３は、本社の第一クライアント端末２と同様の設定で、ＶＰＮ８に接続される（Ｓ８７）。つまり、第二クライアント端末２３は、例えば、第一クライアント端末２と同様の暗号化方式、暗号化鍵の方式、及び暗号化キー値等に基づいてＶＰＮ８に接続される。これにより、第二クライアント端末２３は、第一クライアント端末２と同様の設定で、ＶＰＮ８上でセキュリティーを担保した通信を行うことができる。
【０１７９】
具体例の場合には、Ｓ８４で受信されたＶＰＮ設定情報のＶＰＮサーバ５のＩＰアドレス「２０２．２１３．ｘｘｘ．ｘｘｘ」とＶＰＮサーバ５のポート番号「５００」とに基づいて、第二クライアント端末２３が、インターネット網７を介して、ＶＰＮサーバ５に接続される（Ｓ８７）。そして、第二クライアント端末２３は、ＶＰＮアドレス「１０．１００．０．１３」と、ＶＰＮ設定情報である暗号化方式「ＤＥＳ」と暗号化鍵の方式「共通鍵方式」と暗号化キー値「ｆｋａｓｊｄｌａｆ」とその他のＶＰＮ設定情報とに基づいて、ＶＰＮサーバ５の処理（図１７のＳ４１参照）によって、ＶＰＮ８への接続が確立される（Ｓ８７）。ＶＰＮ設定情報である暗号化方式「ＤＥＳ」と暗号化鍵の方式「共通鍵方式」、暗号化キー値「ｆｋａｓｊｄｌａｆ」とその他のＶＰＮ設定情報とは、本社の第一クライアント端末２がＶＰＮ８に接続する場合のＶＰＮ設定情報と同様の設定である。このため、支社の第二クライアント端末２３は、本社の第一クライアント端末２と同様の設定でＶＰＮ８に接続される（Ｓ８７）。つまり、山田太郎さんは、出張先の支社の第二クライアント端末２３を使用して、普段使用していた本社の第一クライアント端末２と同様の設定で、ＶＰＮ８上で通信を行うことができる。
【０１８０】
第二クライアント端末２３がＶＰＮ８に接続されたら（Ｓ８７）、続いて、ＳＩＰ設定管理サーバ接続情報に基づいて、ＶＰＮ８上でＳＩＰ設定管理サーバ２７に接続される（Ｓ８８）。Ｓ８８の処理では、Ｓ８４の処理で受信されたＳＩＰ設定管理サーバ接続情報であるＳＩＰ設定管理サーバ２７のＩＰアドレス及びポート番号に基づいて、ＳＩＰ設定管理サーバ２７に接続される。
【０１８１】
次に、ＳＩＰ設定管理サーバ２７にユーザＩＤが送信される（Ｓ８９）。次にＳＩＰ設定管理サーバ２７から送信されるＳＩＰ設定情報と第三データＩＤとが受信されたか否かが判断される（Ｓ９０）。上述したように、Ｓ８９の処理によって、ユーザＩＤがＳＩＰ設定管理サーバ２７に送信されると、ＳＩＰ設定管理サーバ２７は第三データＩＤとユーザＩＤに対応したＳＩＰ設定情報とを、第二クライアント端末２３に送信する（図２６のＳ１０３参照）。第二クライアント端末２３及びＳＩＰ設定管理サーバ２７はＶＰＮ８に接続されている。このため、ＶＰＮ８上でセキュリティーを担保しながら、ＳＩＰ設定情報と第三データＩＤとをＳＩＰ設定管理サーバ２７から第二クライアント端末２３に送信することができる。Ｓ９０の処理では、ＳＩＰ設定管理サーバ２７から送信されたＳＩＰ設定情報と第三データＩＤとが受信されたか否かが判断される。ＳＩＰ設定情報が受信されていない場合には（Ｓ９０：ＮＯ）、続いて、Ｓ９０に戻り処理が繰り返される。つまり、ＳＩＰ設定情報と第三データＩＤとが受信されるまでは、待機している。
【０１８２】
ＳＩＰ設定情報と第三データＩＤとが受信されたら（Ｓ９０：ＹＥＳ）、続いて、ＳＩＰ設定情報と第三データＩＤとが第二クライアント端末２３に設定される（Ｓ９１）。Ｓ９１の処理ではＳ９０の処理で受信されたＳＩＰ設定情報と第三データＩＤとが、第二クライアント端末２３のＨＤＤ３４の設定記憶エリア３４２（図８参照）に追加登録される。これにより、ＳＩＰ設定情報と第三データＩＤとが第二クライアント端末２３に設定される（Ｓ９１）。
【０１８３】
具体例の場合には、Ｓ８４で受信されたＳＩＰ設定管理サーバ接続情報であるＳＩＰ設定管理サーバ２７のＩＰアドレス「２０２．２１３．ｚｚｚ．ｚｚｚ」、及びポート番号「４０００」に基づいて、第二クライアント端末２３がＶＰＮ８上でＳＩＰ設定管理サーバ２７に接続される（Ｓ８８）。そして、ＳＩＰ設定管理サーバ２７にユーザＩＤ「０００００００１」が送信される（Ｓ８９）。上述したように、ＳＩＰ設定管理サーバ２７は、ユーザＩＤ「０００００００１」に対応したＳＩＰ設定情報を、第二クライアント端末２３に送信する（図２６のＳ１０３参照）。具体例の場合、第二クライアント端末２３から送信されるＳＩＰ設定情報は、ＳＩＰサーバ６のＩＰアドレス「２０２．２１３．ｙｙｙ．ｙｙｙ」、ＳＩＰサーバ６のポート番号「５０６０」、内線番号「２０００００２１」、着信音データ「ｖｖｖ．ｗａｖ」、及びその他のＳＩＰ設定情報である。また、このＳＩＰ設定情報に対応付けられた第三データＩＤ「００Ｃ」が第二クライアント端末２３に送信される（図２６のＳ１０３参照）。そして、第二クライアント端末２３は、ＳＩＰ設定管理サーバ２７から送信されたＳＩＰ設定情報と第三データＩＤとを受信する（Ｓ９０：ＹＥＳ）。次に、ＳＩＰ設定情報と第三データＩＤとが、第二クライアント端末２３に設定される（Ｓ９１）。
【０１８４】
次に、ＳＩＰ設定情報に基づいて、第二クライアント端末２３がＶＰＮ８上でＳＩＰ通信可能にされる（Ｓ９２）。上述したように、ＶＰＮ８には、ＳＩＰサーバ６が接続されている。Ｓ９２の処理では、Ｓ９０の処理で受信されたＳＩＰ設定情報のＳＩＰサーバ６のＩＰアドレス及びポート番号に基づいて、第二クライアント端末２３が、ＶＰＮ８上でＳＩＰサーバ６に接続される。そして、第二クライアント端末２３は、ＳＩＰサーバ６の処理（図１８のＳ５１参照）によって、ＳＩＰ設定情報に基づいて、ＳＩＰ通信可能にされる。Ｓ９０の処理で受信されたＳＩＰ設定情報は、本社の第一クライアント端末２がＳＩＰ通信を行う場合のＳＩＰ設定情報と同様の設定である。このため、支社の第二クライアント端末２３は、本社の第一クライアント端末２と同様の設定でＳＩＰ通信可能にされる。つまり、第二クライアント端末２３は、例えば、第一クライアント端末２と同様の内線番号、着信音データ等に設定されて、内線電話等のＳＩＰ通信をすることができる。これにより、ＶＰＮ８上でセキュリティーを担保しながら、ＳＩＰ通信を行うことができる。
【０１８５】
具体例の場合には、Ｓ９０で受信されたＳＩＰ設定情報のＳＩＰサーバ６のＩＰアドレス「２０２．２１３．ｙｙｙ．ｙｙｙ」とＳＩＰサーバ６のポート番号「５０６０」とに基づいて、第二クライアント端末２３が、ＶＰＮ８上でＳＩＰサーバ６に接続される（Ｓ９２）。そして、第二クライアント端末２３は、ＳＩＰ設定情報である内線番号「２０００００２１」と着信音データ「ｖｖｖ．ｗａｖ」とその他のＳＩＰ設定情報とに基づいて、ＳＩＰサーバ６の処理（図１８のＳ５１参照）によって、ＳＩＰ通信可能にされる（Ｓ９２）。ＳＩＰ設定情報である内線番号「２０００００２１」と着信音データ「ｖｖｖ．ｗａｖ」とその他のＳＩＰ設定情報とは、本社の第一クライアント端末２が、ＶＰＮ８上でＳＩＰ通信を行う場合のＳＩＰ設定情報と同様の設定である。このため、支社の第二クライアント端末２３は、本社の第一クライアント端末２と同様の設定で、ＶＰＮ８上でＳＩＰ通信を行うことができる。これにより、第二クライアント端末２３は、第一クライアント端末２と同様の内線番号「２０００００２１」に設定され、着信があった場合には、着信音データ「ｖｖｖ．ｗａｖ」が再生される。このように、山田太郎さんは、出張先の支社の第二クライアント端末２３を使用して、普段使用していた本社の第一クライアント端末２と同様の設定で、ＶＰＮ８上でセキュリティーを担保しながら、内線電話等のＳＩＰ通信を行うことができる。
【０１８６】
第二クライアント端末２３がＶＰＮ８上でＳＩＰ通信可能にされたら、ＶＰＮ８との接続を切断する指示（接続切断指示）があったか否かが判断される（Ｓ９３）。Ｓ９３の処理は、第一の実施の形態におけるＳ２９の処理（図１６参照）と同様であるので、説明は省略する。接続切断指示があった場合には（Ｓ９３：ＹＥＳ）、ＶＰＮ８と第二クライアント端末２３との接続が切断される（Ｓ９５）。そして、第二クライアント端末２３のＣＰＵ３１による処理が終了される。
【０１８７】
接続切断指示がなかった場合には（Ｓ９３：ＮＯ）、次に、第二クライアント端末２３によるＶＰＮ８上での最後の通信から所定時間経過したか否かが判断される（Ｓ９４）。Ｓ９４の処理は第一の実施の形態におけるＳ３０の処理（図１６参照）と同様である。所定時間経過していない場合には（Ｓ９４：ＮＯ）、続いて、Ｓ９３に戻り処理が繰り返される。つまり、接続切断指示がなく（Ｓ９３：ＮＯ）、第二クライアント端末２３のＶＰＮ８上での最後の通信から所定時間経過していない場合は（Ｓ９４：ＮＯ）、第二クライアント端末２３とＶＰＮ８との接続が維持される。
【０１８８】
第二クライアント端末２３によるＶＰＮ８上での最後の通信から所定時間経過した場合には（Ｓ９４：ＹＥＳ）、ＶＰＮ８と第二クライアント端末２３との接続が切断される（Ｓ９５）。そして、第二クライアント端末２３のＣＰＵ３１による処理が終了される。
【０１８９】
具体例の場合には、接続切断指示がなく（Ｓ９３：ＮＯ）、第二クライアント端末２３のＶＰＮ８上での最後の通信から所定時間経過していない場合は（Ｓ９４：ＮＯ）、ＶＰＮ８との接続が維持される。そして、ユーザによって、第二クライアント端末２３に接続切断指示が入力されると（Ｓ９３：ＹＥＳ）、ＶＰＮ８と第二クライアント端末２３との接続が切断される（Ｓ９５）。そして、第二クライアント端末２３のＣＰＵ３１による処理が終了される。
【０１９０】
次に、第二クライアント端末２３が、一度ＶＰＮ８上でＳＩＰ通信可能にされ、その後ＶＰＮ８との接続が終了された場合に、再びＶＰＮ８上でＳＩＰ通信を行う場合、つまり、第二クライアント端末２３がＶＰＮ８上でＳＩＰ通信を行うのが２回目以降の場合について図２８を参照して説明する。なお、すでに説明した処理と同じ処理のステップは同一の番号で示し、説明は省略する。
【０１９１】
図２８に示すように、ＶＰＮ８上でＳＩＰ通信を行うのが２回目以降の場合における、第二クライアント端末２３のＣＰＵ３１の処理では、まず、第二クライアント端末２３がインターネット網７を介して設定管理サーバ２４に接続され、第二クライアント端末２３の実ＩＰアドレスと、認証情報とが、設定管理サーバ２４に送信される（Ｓ８３）。つまり、ユーザが、ユーザＩＤとパスワードとの認証情報を再び入力する必要がない。なお、設定管理サーバ２４に送付される認証情報は、図２７のＳ８２において入力された認証情報、つまり１回目にＶＰＮ８上でＳＩＰ通信を行う際に入力された認証情報が利用される。１回目に入力された認証情報が利用されること以外は、図２７のＳ８３の処理と同様なので、詳細の説明は省略する。また、第二クライアント端末２３の実ＩＰアドレスと、認証情報とが、設定管理サーバ２４に送信された後の設定管理サーバ２４の処理は、図２５のＳ６１〜Ｓ６７の処理と同様なので説明は省略する。なお、ＶＰＮアドレスは、図１４のＳ１１の処理によって新たに取得され、Ｓ１２の処理によってＩＰアドレステーブル１４に登録される
【０１９２】
第二クライアント端末２３の実ＩＰアドレスと、認証情報とが、設定管理サーバ２４に送信されたら（Ｓ８３）、次に、設定管理サーバ２４から送信される認証結果等が受信されたか否かが判断される（Ｓ８４）。Ｓ８４の処理は、上述した図２７のＳ８４の処理と同様なので説明は省略する。設定管理サーバ２４から送信される認証結果等が受信されていない場合には（Ｓ８４：ＮＯ）、続いてＳ８４に戻り処理を繰り返す。つまり、認証結果等が受信されるまで待機している。
【０１９３】
設定管理サーバ２４から送信される認証結果等が受信された場合には（Ｓ８４：ＹＥＳ）、続いて認証が成功したか否かが判断される（Ｓ８５）。Ｓ８５の処理の詳細は、上述した図２７のＳ８５の処理と同様なので説明は省略する。設定管理サーバ２４から送信された認証結果が、認証失敗データであった場合には（Ｓ８５：ＮＯ）、第二クライアント端末２３のＣＰＵ３１による処理が終了される。
【０１９４】
設定管理サーバ２４から送信された認証結果が、認証成功データであった場合には（Ｓ８５：ＹＥＳ）、続いて、第二データＩＤが一致するか否かが判断される（Ｓ９６）。Ｓ９６の処理では、第二クライアント端末２３のＨＤＤ３４の設定記憶エリア３４２（図８参照）に設定されている第二データＩＤと、図２８のＳ８４の処理によって受信された第二データＩＤとが一致するか否かが判断される（Ｓ９６）。上述したように、ユーザが設定したＶＰＮ設定情報とＳＩＰ設定管理サーバ接続情報とに対応つけられて、第二データＩＤが割り当てられる。そして、ＶＰＮ設定情報又はＳＩＰ設定管理サーバ接続情報が変更された場合には、第二データＩＤが新たに割り当てられる。つまり第二データＩＤが更新される。例えば、第二クライアント端末２３以外のクライアント端末によって、設定管理サーバ２４のＨＤＤ４４に記憶されているＶＰＮ設定情報又はＳＩＰ設定管理サーバ接続情報が変更された場合、第二データＩＤが更新される。このため、次に第二クライアント端末２３を使用した場合、Ｓ９６の処理によって、第二データＩＤが一致していないと判断される（Ｓ９６：ＮＯ）。また、ＶＰＮ設定情報とＳＩＰ設定管理サーバ接続情報とが変更されていない場合には、第二データＩＤが更新されることはない。このため、第二クライアント端末２３を使用した場合、第二データＩＤが一致していると判断される（Ｓ９６：ＹＥＳ）。このように、第二データＩＤが一致するか否かを判断することで、ＶＰＮ設定情報とＳＩＰ設定管理サーバ接続情報とが変更されたか否かを判断することができる。
【０１９５】
第二クライアント端末２３のＨＤＤ３４の設定記憶エリア３４２（図８参照）に設定されている第二データＩＤと、図２８のＳ８４の処理によって受信された第二データＩＤとが一致しない場合には（Ｓ９６：ＮＯ）、続いて、ＶＰＮ設定情報、ＶＰＮアドレス、ＳＩＰ設定管理サーバ接続情報、及び第二データＩＤがＨＤＤ３４の設定記憶エリア３４２に設定される（Ｓ８６）。つまり、ＶＰＮ設定情報、ＶＰＮアドレス、ＳＩＰ設定管理サーバ接続情報、及び第二データＩＤが更新される。これにより、第二クライアント端末２３の設定記憶エリア３４２に記憶されているＶＰＮ設定情報、ＳＩＰ設定管理サーバ接続情報、ＶＰＮアドレス、及び第二データＩＤが、設定管理サーバ４のＨＤＤ４４に記憶されているＶＰＮ設定情報、ＳＩＰ設定管理サーバ接続情報、ＶＰＮアドレス、及び第二データＩＤと同じ設定になる。次に、設定記憶エリア３４２に記憶されたＶＰＮ設定情報に基づいて、ＶＰＮ８に接続される（Ｓ８７）。Ｓ８６及びＳ８７の処理は図２７のＳ８６及びＳ８７の処理と同様なので、詳細の説明は省略する。
【０１９６】
Ｓ９６の処理において、第二クライアント端末２３のＨＤＤ３４の設定記憶エリア３４２（図８参照）に設定されている第二データＩＤと、図２８のＳ８４の処理によって受信された第二データＩＤとが一致する場合には（Ｓ９６：ＹＥＳ）、続いて、第二クライアント端末２３のＨＤＤ３４の設定記憶エリア３４２に記憶されているＶＰＮアドレスが更新される（Ｓ９７）。つまり、ＶＰＮ設定情報とＳＩＰ設定管理サーバ接続情報と第二データＩＤとは更新されず、ＶＰＮアドレスのみが更新される（Ｓ９７）。次に、設定記憶エリア３４２に記憶されたＶＰＮ設定情報に基づいて、ＶＰＮ８に接続される（Ｓ８７）。つまり、ＶＰＮ設定情報が更新されることなく、設定記憶エリア３４２にすでに登録されているＶＰＮ設定情報と、Ｓ９７の処理で更新されたＶＰＮアドレスとに基づいて、ＶＰＮ８に接続される。
【０１９７】
第二クライアント端末２３がＶＰＮ８に接続されたら（Ｓ８７）、続いて、ＳＩＰ設定管理サーバ接続情報に基づいて、ＶＰＮ８上でＳＩＰ設定管理サーバ２７に接続される（Ｓ８８）。Ｓ８８の処理では、ＳＩＰ設定管理サーバ接続情報であるＳＩＰ設定管理サーバ２７のＩＰアドレス及びポート番号に基づいて、ＳＩＰ設定管理サーバ２７に接続される。Ｓ８７の処理は、図２７のＳ８７の処理と同様なので詳細の説明は省略する。
【０１９８】
次に、ＳＩＰ設定管理サーバ２７にユーザＩＤが送信される（Ｓ８９）。次に、ＳＩＰ設定管理サーバ２７から送信されるＳＩＰ設定情報と第三データＩＤとが受信されたか否かが判断される（Ｓ９０）。Ｓ８９及びＳ９０の処理は、図２７のＳ８９及びＳ９０の処理と同様なので、詳細の説明は省略する。ＳＩＰ設定情報と第三データＩＤとが受信されていない場合には（Ｓ９０：ＮＯ）、続いて、Ｓ９０に戻り処理が繰り返される。つまり、ＳＩＰ設定情報と第三データＩＤとが受信されるまでは、待機している。
【０１９９】
ＳＩＰ設定情報と第三データＩＤとが受信されたら（Ｓ９０：ＹＥＳ）、続いて、第三データＩＤが一致するか否かが判断される（Ｓ９８）。Ｓ９８の処理では、第二クライアント端末２３のＨＤＤ３４の設定記憶エリア３４２（図８参照）に設定されている第三データＩＤと、図２８のＳ９０の処理によって受信された第三データＩＤとが一致するか否かが判断される（Ｓ９８）。上述したように、ユーザが設定したＳＩＰ設定情報に対応つけられて、第三データＩＤが割り当てられる。そして、ＳＩＰ設定情報が変更された場合には、第三データＩＤが新たに割り当てられる。つまり、第三データＩＤが更新される。例えば、第二クライアント端末２３以外のクライアント端末によって、ＳＩＰ設定管理サーバ２７のＨＤＤ２７４に記憶されているＳＩＰ設定情報が変更された場合、第三データＩＤが更新される。このため、次に第二クライアント端末２３を使用した場合、Ｓ９８の処理によって、第三データＩＤが一致していないと判断される（Ｓ９８：ＮＯ）。また、ＳＩＰ設定情報が変更されていない場合には、第三データＩＤが更新されることはない。このため、第二クライアント端末２３を使用した場合、第三データＩＤが一致していると判断される（Ｓ９８：ＹＥＳ）。このように、第三データＩＤが一致するか否かを判断することで、ＳＩＰ設定情報が変更されたか否かを判断することができる。
【０２００】
第二クライアント端末２３のＨＤＤ３４の設定記憶エリア３４２（図８参照）に設定されている第三データＩＤと、図２８のＳ９０の処理によって受信された第三データＩＤとが一致しない場合には（Ｓ９８：ＮＯ）、続いて、ＳＩＰ設定情報、及び第三データＩＤがＨＤＤ３４の設定記憶エリア３４２に設定される（Ｓ９１）。つまり、ＳＩＰ設定情報及び第三データＩＤが更新される。これにより、第二クライアント端末２３の設定記憶エリア３４２に記憶されているＳＩＰ設定情報及び第三データＩＤが、ＳＩＰ設定管理サーバ２７のＨＤＤ２７４に記憶されているＳＩＰ設定情報及び第三データＩＤと同じ設定になる。次に、設定記憶エリア３４２に記憶されたＳＩＰ設定情報に基づいて、ＶＰＮ８上でＳＩＰ通信可能にされる（Ｓ９２）。Ｓ９１及びＳ９２の処理は図２７のＳ９１及びＳ９２の処理と同様なので、詳細の説明は省略する。
【０２０１】
Ｓ９８の処理において、第二クライアント端末２３のＨＤＤ３４の設定記憶エリア３４２（図８参照）に設定されている第三データＩＤと、図２８のＳ９０の処理によって受信された第二データＩＤとが一致する場合には（Ｓ９６：ＹＥＳ）、続いて、設定記憶エリア３４２に記憶されたＳＩＰ設定情報に基づいて、ＶＰＮ８上でＳＩＰ通信可能にされる（Ｓ９２）。つまり、ＳＩＰ設定情報が更新されることなく、設定記憶エリア３４２にすでに記憶されているＳＩＰ設定情報に基づいて、ＶＰＮ８上でＳＩＰ通信可能にされる（Ｓ９２）。
【０２０２】
第二クライアント端末２３がＶＰＮ８上でＳＩＰ通信可能にされたら（Ｓ９２）、接続切断指示があったか否かが判断される（Ｓ９３）。接続切断指示があった場合には（Ｓ９３：ＹＥＳ）、ＶＰＮ８と第二クライアント端末２３との接続が切断される（Ｓ９５）。そして、第二クライアント端末２３のＣＰＵ３１による処理が終了される。
【０２０３】
接続切断指示がなかった場合には（Ｓ９３：ＮＯ）、次に、第二クライアント端末２３によるＶＰＮ８上での最後の通信から所定時間経過したか否かが判断される（Ｓ９４）。所定時間経過していない場合には（Ｓ９４：ＮＯ）、続いて、Ｓ９３に戻り処理が繰り返される。つまり、接続切断指示がなく（Ｓ９３：ＮＯ）、第二クライアント端末２３のＶＰＮ８上での最後の通信から所定時間経過していない場合は（Ｓ９４：ＮＯ）、第二クライアント端末２３とＶＰＮ８との接続が維持される。
【０２０４】
第二クライアント端末２３によるＶＰＮ８上での最後の通信から所定時間経過した場合には（Ｓ９４：ＹＥＳ）、ＶＰＮ８と第二クライアント端末２３との接続が切断される（Ｓ９５）。そして、第二クライアント端末２３のＣＰＵ３１による処理が終了される。Ｓ９３とＳ９４とＳ９５との処理は、図２７のＳ９３とＳ９４とＳ９５との処理と同様の処理である。なお、ＶＰＮ８と第二クライアント端末２３との接続が切断された場合、Ｓ１２の処理（図１４参照）によって、対応つけられてＩＰアドレステーブル１４に登録されたユーザＩＤと実ＩＰアドレスとＶＰＮアドレスとがＩＰアドレステーブル１４から消去される。
【０２０５】
具体例の場合においては、ユーザがユーザＩＤとパスワードとを新たに入力することなく、第二クライアント端末２３がインターネット網７を介して設定管理サーバ２４に接続され、第二クライアント端末２３の実ＩＰアドレス「１９２．１６８．２．２０」と、一回目にＶＰＮ８に接続した際に入力したユーザＩＤ「０００００００１」とパスワード「ａｂｃｄｅｆ１２３」とが、設定管理サーバ２４に送信される（Ｓ８３）。設定管理サーバ２４の処理は図２５のＳ６１〜Ｓ６７の処理と同様なので説明は省略する。なお、ＶＰＮアドレスは、新たに割り当てられるが、ここではＶＰＮアドレス「１０．１００．０．１４」が割り当てられ、ユーザＩＤと実ＩＰアドレスとに対応付けられて、ＩＰアドレステーブル１４に登録されたとする。
【０２０６】
次に、設定管理サーバ２４から送信される認証結果等が受信されたか否かが判断される（Ｓ８４）。設定管理サーバ２４から送信される認証結果等が受信された場合には（Ｓ８４：ＹＥＳ）、続いて、認証が成功したか否かが判断される（Ｓ８５）。具体例の場合、設定管理サーバ２４から送信された認証結果は、認証成功データである。このため、認証が成功したと判断され（Ｓ８５：ＹＥＳ）、続いて、第二データＩＤが一致するか否かが判断される（Ｓ９６）。具体例の場合は、ＶＰＮ設定情報及びＳＩＰ設定管理サーバ接続情報が変更されていないので、Ｓ８４の処理によって受信されるデータＩＤ「００Ｂ」は変更されていない。このため、Ｓ９６の処理では、第二クライアント端末２３のＨＤＤ３４の設定記憶エリア３４２（図８参照）に設定されている第二データＩＤ「００Ｂ」と、Ｓ８４の処理によって受信された第二データＩＤ「００Ｂ」とが一致すると判断される（Ｓ９６：ＹＥＳ）。
【０２０７】
次に、第二クライアント端末２３のＨＤＤ３４の設定記憶エリア３４２に記憶されているＶＰＮアドレスが「１０．１００．０．１３」から「１０．１００．０．１４」に更新される（Ｓ９７）。つまり、ＶＰＮ設定情報、ＳＩＰ設定管理サーバ接続情報、及び第二データＩＤは更新されず、ＶＰＮアドレスのみが更新される（Ｓ９７）。次に、設定記憶エリア３４２に記憶されているＶＰＮ設定情報に基づいて、ＶＰＮ８に接続される（Ｓ８７）。次に、ＳＩＰ設定管理サーバ接続情報に基づいて、ＳＩＰ設定管理サーバに接続され（Ｓ８８）、第二クライアント端末２３からＳＩＰ設定管理サーバにユーザＩＤ「０００００００１」が送信される（Ｓ８９）。そして、ＳＩＰ設定管理サーバから、ＳＩＰ設定情報と第三データＩＤ「００Ｃ」とが送信され（図２６のＳ１０３参照）、第二クライアント端末２３で受信される（Ｓ９０：ＹＥＳ）。
【０２０８】
続いて、第三データＩＤが一致するか否かが判断される（Ｓ９８）。具体例の場合は、ＳＩＰ設定情報が変更されていないので、Ｓ９０の処理によって受信されるデータＩＤ「００Ｃ」は変更されていない。このため、Ｓ９８の処理では、第二クライアント端末２３のＨＤＤ３４の設定記憶エリア３４２（図８参照）に設定されている第三データＩＤ「００Ｃ」と、Ｓ９０の処理によって受信された第三データＩＤ「００Ｃ」とが一致すると判断される（Ｓ９６：ＹＥＳ）。つまり、ＳＩＰ設定情報は変更されていないので、第二クライアント端末２３におけるＳＩＰ設定情報の更新（Ｓ９１）は行われない。
【０２０９】
次に、設定記憶エリア３４２に記憶されているＳＩＰ設定情報に基づいて、ＶＰＮ８上でＳＩＰ通信可能にされる（Ｓ９２）。
【０２１０】
次に、接続切断指示がなく（Ｓ９３：ＮＯ）、第二クライアント端末２３のＶＰＮ８上での最後の通信から所定時間経過していない場合は（Ｓ９４：ＮＯ）、ＶＰＮ８上でのＳＩＰ通信が維持される。そして、ユーザによって、第二クライアント端末２３に接続切断指示が入力されると（Ｓ９３：ＹＥＳ）、ＶＰＮ８と第二クライアント端末２３との接続が切断される（Ｓ９５）。そして、第二クライアント端末２３のＣＰＵ３１による処理が終了される。なお、ＶＰＮ８と第二クライアント端末２３との接続が切断された場合、ＩＰアドレステーブル１４に対応付けられて登録されている、ユーザＩＤ「０００００００１」と実ＩＰアドレス「１９２．１６８．１．１０」とＶＰＮアドレス「１０．１００．０．１４」とが、ＩＰアドレステーブル１４から消去される。
【０２１１】
以上説明したように、第二クライアント端末２３がＶＰＮ８上でＳＩＰ通信を行うのが２回目以降の場合には、パスワードとユーザＩＤとをユーザが入力する必要がない。また、ＶＰＮ設定情報とＳＩＰ設定管理サーバ接続情報とが変更されていない場合には（Ｓ９６：ＹＥＳ）、ＶＰＮ設定情報とＳＩＰ設定管理サーバ接続情報と第二データＩＤとが更新されず、ＶＰＮアドレスのみ更新される（Ｓ９７）。また、ＳＩＰ設定情報が変更されていない場合には（Ｓ９８：ＹＥＳ）、ＳＩＰ設定情報と第三データＩＤとが更新されない。このため、第二クライアント端末２３の設定記憶エリア３４２にすでに登録されているＳＩＰ設定情報とＶＰＮ設定情報と、Ｓ９７の処理で更新されたＶＰＮアドレスとに基づいて、ＶＰＮ８上でＳＩＰ通信可能にされる。
【０２１２】
以上の構成により、第二の実施の形態では、第二クライアント端末２３は、ＶＰＮ８上でセキュリティーを担保された上で、第一クライアント端末２と同様の設定でＳＩＰ通信を行うことができる。本実施の形態では、ＳＩＰ設定管理サーバ２７がＶＰＮ８に接続されている。そして、第二クライアント端末２３は、ＶＰＮ８に接続された上で、ＳＩＰ設定管理サーバ２７に接続され、ＳＩＰ設定情報を受信する（図２７のＳ９０参照）。ＶＰＮ８上でセキュリティーを担保された上で、ＳＩＰ設定情報を受信することができるので、ＳＩＰ設定情報を第三者に閲覧等される虞が低い。このため安全性を高めることができる。
【０２１３】
また、本実施の形態における通信システム２１では、第一の実施の形態における通信システム１の場合と同様に、ユーザがユーザＩＤやパスワード等の認証情報を入力するだけで、自動的に、普段使用していた第一クライアント端末２と同様の設定で、ＶＰＮ８上でＳＩＰ通信を行うように設定がなされる。このため、ユーザが第二クライアント端末２３に、第一クライアント端末２と同様の設定を手動で行う必要がない。また、第二クライアント端末２３がＶＰＮ８上でＳＩＰ通信を行うのが２回目以降の場合には、パスワードとユーザＩＤとをユーザが入力する必要がない。
【０２１４】
なお、本実施の形態に示される構成は例示であり、本発明は各種の変形が可能なことはいうまでもない。例えば、本実施の形態では、第一クライアント端末２は本社に設置され、第二クライアント端末２３は支社に設置されていたがこれに限定されない。例えば、本社で新しいクライアント端末を購入した場合でも、本実施の形態における第二クライアント端末２３と同様の処理によって、ＶＰＮ８上でＳＩＰ通信を行うことができる。また、第一クライアント端末２及び第二クライアント端末２３の設置場所は限定されず、例えばユーザの自宅等でもよい。
【０２１５】
また、認証情報は、ユーザＩＤとパスワードとであったが、これに限定されない。例えば、認証情報が、ユーザＩＤとパスワードと以外の情報をさらに含んでいてもよい。また、認証情報がユーザＩＤのみでもよい。また、認証情報がユーザＩＤ以外の情報でもよい。これらのように、認証情報を変更した場合には、ユーザテーブル１１に記憶されているユーザＩＤとパスワードとの認証情報を、変更した認証情報に変更することで認証を行うことができる。また、認証情報を、ユーザＩＤ以外の情報にした場合には、ＶＰＮ設定テーブル１２、ＳＩＰ設定テーブル１３、及びＩＰアドレステーブル１４に登録されているユーザＩＤを、変更後の情報に変更すればよい。
【０２１６】
また、図１６のＳ２２及び図２７のＳ８２の処理において、ユーザが認証情報を入力していたが、第一クライアント端末２と第二クライアント端末２３とに、認証情報を記憶しておき、記憶された認証情報を取得するようにしてもよい。
【０２１７】
なお、第一の実施の形態及び第二の実施の形態において、本発明の通信システム１及び通信システム２１が本発明の「通信システム」に相当する。また、第二クライアント端末３及び第二クライアント端末２３が本発明「クライアント端末」に相当し、図１６のＳ２２及び図２７のＳ８２の処理を行うＣＰＵ３１が本発明の「ユーザ特定情報取得手段」に相当する。また、認証情報が本発明の「ユーザ特定情報」に相当する。また、図１６のＳ２３の処理及び図２７のＳ８２の処理を行うＣＰＵ３１が本発明の「第一端末送信手段」に相当し、図１６のＳ２４の処理及び図２７のＳ８４の処理を行うＣＰＵ３１が本発明の「第一端末受信手段」に相当する。また、図１６のＳ２７の処理及び図２７のＳ８７の処理を行うＣＰＵ３１が本発明の「端末ＶＰＮ接続手段」に相当し、図６及び図２３のＶＰＮ設定テーブル記憶エリア４４３が本発明の「設定情報記憶手段」に相当する。また、図１６のＳ３１の処理及び図２７のＳ９３の処理の処理を行うＣＰＵ３１が本発明の「切断手段」に相当し、図１３のＳ３の処理及び図２５のＳ６３の処理を行うＣＰＵ４１が本発明の「認証手段」に相当する。また、図１３のＳ１の処理及び図２５のＳ６１の処理を行うＣＰＵ４１が本発明の「設定管理サーバ受信手段」に相当し、図１３のＳ４の処理及び図２５のＳ６４の処理を行うＣＰＵ４１が本発明の「設定情報取得手段」に相当する。また、図１４のＳ１１〜Ｓ１２の処理を行うＣＰＵ４１が本発明の「ＶＰＮアドレス割り当て手段」に相当し、図１３のＳ６の処理及び図２５のＳ６６の処理を行うＣＰＵ４１が本発明の「設定管理サーバ送信手段」に相当する。また、図１９のＳ３５の処理を行うＣＰＵ３１が本発明の「第一設定情報判断手段」及び「第二設定情報判断手段」に相当する。また、図２８のＳ９６の処理を行うＣＰＵ３１が本発明の「第三設定情報判断手段」に相当し、図２８のＳ９８の処理を行うＣＰＵ３１が本発明の「第四設定情報判断手段」に相当する。
【０２１８】
また、図１７のＳ４１の処理を行うＣＰＵ５１が本発明の「ＶＰＮ接続化手段」に相当し、図８の設定記憶エリア３４２が本発明の「第一端末記憶手段」と「第二端末記憶手段」と「第三端末記憶手段」とに相当する。また、図１６のＳ２８の処理及び図２７のＳ９２の処理を行うＣＰＵ３１が本発明の「第一端末ＳＩＰ通信手段」及び「第二端末ＳＩＰ通信手段」に相当し、図１８のＳ５１の処理を行うＣＰＵ６１が本発明の「第一ＳＩＰ通信可能化手段」及び「第二ＳＩＰ通信可能化手段」に相当する。また、図２７のＳ９０の処理を行うＣＰＵ３１が本発明の「第二端末送信手段」に相当し、図２７のＳ９０の処理を行うＣＰＵ３１が本発明の「第二端末受信手段」に相当する。また、図２４の第二ＳＩＰ設定テーブル記憶エリア２７４２が本発明の「ＳＩＰ情報記憶手段」に相当し、図２６のＳ１０１の処理を行うＣＰＵ２７１が本発明の「ＳＩＰ設定管理サーバ受信手段」に相当する。また、図２６のＳ１０２の処理を行うＣＰＵ２７１が本発明の「ＳＩＰ情報取得手段」に相当し、図２６のＳ１０３の処理を行うＣＰＵ２７１が「ＳＩＰ情報送信手段」に相当する。
【０２１９】
また、図１６のＳ２２の処理及び図２７のＳ８２の処理が本発明の「ユーザ特定情報取得ステップ」に相当する。また、図１６のＳ２３の処理及び図２７のＳ８３の処理が本発明の「第一端末送信ステップ」に相当し、図１６のＳ２４の処理及び図２７のＳ８４の処理が本発明の「第一端末受信ステップ」に相当する。また、図１６のＳ２７の処理及び図２７のＳ８７が本発明の「端末ＶＰＮ接続ステップ」に相当し、図１３のＳ１の処理及び図２５のＳ６１の処理が本発明の「設定管理サーバ受信ステップ」に相当する。また、図１３のＳ４の処理及び図２５のＳ６４の処理が本発明の「設定情報取得ステップ」に相当し、図１４のＳ１１〜Ｓ１２の処理が本発明の「ＶＰＮアドレス割り当てステップ」に相当する。図１３のＳ６の処理及び図２５のＳ６６の処理が本発明の「設定管理サーバ送信ステップ」に相当し、図１７のＳ４１の処理が本発明の「ＶＰＮ接続化ステップ」に相当する。また、図１６のＳ３１の処理及び図２７のＳ９３の処理が本発明の「切断ステップ」に相当し、図１３のＳ３の処理及び図２５のＳ６３の処理が本発明の「認証ステップ」に相当する。
【符号の説明】
【０２２０】
１    通信システム
２    第一クライアント端末
３    第二クライアント端末
４    設定管理サーバ
５    ＶＰＮサーバ
６    ＳＩＰサーバ
７    インターネット網
１１    ユーザテーブル
１２    ＶＰＮ設定テーブル
１３    ＳＩＰ設定テーブル
１４    ＩＰアドレステーブル
２１    通信システム
２３    第二クライアント端末
２４    設定管理サーバ
２７    ＳＩＰ設定管理サーバ
３７    入力装置
３１    ＣＰＵ
３４    ＨＤＤ
４１    ＣＰＵ
４４    ＨＤＤ
５１    ＣＰＵ
６１    ＣＰＵ
４４０    ＨＤＤ
２７１    ＣＰＵ
２７４    ＨＤＤ
３４２    設定記憶エリア
４３１    実ＩＰアドレス記憶エリア
４３２    認証情報記憶エリア
４４１    プログラム記憶エリア
４４２    ユーザテーブル記憶エリア
４４３    ＶＰＮ設定テーブル記憶エリア
４４４    ＳＩＰ設定テーブル記憶エリア
４４５    ＩＰアドレステーブル記憶エリア
４４６    接続情報記憶エリア
２７４２    第二ＳＩＰ設定テーブル記憶エリア
【図１】
2011035678.tif 000003
【図２】
2011035678.tif 000004
【図３】
2011035678.tif 000005
【図４】
2011035678.tif 000006
【図５】
2011035678.tif 000007
【図６】
2011035678.tif 000008
【図７】
2011035678.tif 000009
【図８】
2011035678.tif 000010
【図９】
2011035678.tif 000011
【図１０】
2011035678.tif 000012
【図１１】
2011035678.tif 000013
【図１２】
2011035678.tif 000014
【図１３】
2011035678.tif 000015
【図１４】
2011035678.tif 000016
【図１５】
2011035678.tif 000017
【図１６】
2011035678.tif 000018
【図１７】
2011035678.tif 000019
【図１８】
2011035678.tif 000020
【図１９】
2011035678.tif 000021
【図２０】
2011035678.tif 000022
【図２１】
2011035678.tif 000023
【図２２】
2011035678.tif 000024
【図２３】
2011035678.tif 000025
【図２４】
2011035678.tif 000026
【図２５】
2011035678.tif 000027
【図２６】
2011035678.tif 000028
【図２７】
2011035678.tif 000029
【図２８】
2011035678.tif 000030